(57)【要約】ワイヤレス通信のための方法、システム、および、デバイスを説明する。いくつかのワイヤレス通信システムでは、ユーザ機器、ＵＥ（１１５）は、第２の帯域幅部分（２１５）上での通信から第１の帯域幅部分（２１０）上での通信に遷移するように構成されていてもよい。第１の帯域幅部分（２１０）上で受信したデータを復調するための受信機処理を確実にＵＥ（１１５）が実行できるようにするために、第１の帯域幅部分（２１０）上での通信に遷移した後に、ＵＥ（１１５）は、第２の帯域幅部分（２１５）上で受信した基準信号（３０５）を使用して、受信機処理を実行するように構成されていてもよい。すなわち、構成された時間期間の間、ＵＥは、第１の帯域幅部分上で受信した基準信号を使用して、第１の帯域幅部分（２１０）上で受信したデータを復調するための受信機処理を実行することができる前に、ＵＥは、第２の帯域幅部分（２１５）上で受信した基準信号を使用して、第１の帯域幅部分上で受信したデータを復調するための受信機処理を実行してもよい。【選択図】図２
2021518713.tif 000002
【特許請求の範囲】
【請求項１】
ユーザ機器（ＵＥ）によるワイヤレス通信のための方法において、
第２の帯域幅部分の基準信号から第１の帯域幅部分に対する復調基準信号（ＤＭＲＳ）のための擬似コロケーション（ＱＣＬ）仮定を導出することを示すインジケータを受信することと、
前記第２の帯域幅部分から前記第１の帯域幅部分に切り替えるように前記ＵＥに命令する許可を前記第２の帯域幅部分中で受信することと、
前記ＱＣＬ仮定に少なくとも部分的に基づいて、前記ＵＥが前記許可を受信した後に生じる遷移時間ウインドウ内で受信した前記第１の帯域幅部分中の送信を復調することとを含む方法。
【請求項２】
前記遷移時間ウインドウの持続時間は、前記第１の帯域幅部分上の第１のデータチャネルの持続時間に対応し、前記第１のデータチャネルは、前記第１の帯域幅部分中の前記送信を含む請求項１記載の方法。
【請求項３】
前記インジケータは、前記第２の帯域幅部分の前記基準信号が前記第１の帯域幅部分の第２の基準信号と相互帯域幅部分擬似コロケートされていることを示し、
前記方法は、
前記第１の帯域幅部分および前記第２の帯域幅部分に渡って前記基準信号および前記第２の基準信号をフィルタリングして、ＱＣＬパラメータを決定することをさらに含み、
前記第１の帯域幅部分中の前記送信は、前記ＱＣＬパラメータに少なくとも部分的に基づいて復調される請求項１記載の方法。
【請求項４】
前記インジケータは、前記第２の帯域幅部分の前記基準信号が前記第１の帯域幅部分の第２の基準信号と相互帯域幅部分擬似コロケートされていないことを示し、
前記方法は、
前記第１の帯域幅部分および前記第２の帯域幅部分に渡って前記基準信号および前記第２の基準信号をフィルタリングしないことを決定することとをさらに含む請求項１記載の方法。
【請求項５】
前記遷移時間ウインドウが満了したことを決定することと、
前記第１の帯域幅部分の基準信号から前記第１の帯域幅部分に対する前記ＤＭＲＳのための第２のＱＣＬ仮定を導出することと、
前記遷移時間ウインドウが満了した後に、前記第２のＱＣＬ仮定に少なくとも部分的に基づいて、前記第１の帯域幅部分中の第２の送信を復調することとをさらに含む請求項１記載の方法。
【請求項６】
前記ＱＣＬ仮定は、前記第２の帯域幅部分の前記基準信号に少なくとも部分的に基づいて、前記第１の帯域幅部分に対するＱＣＬパラメータを導出することを示し、前記第１の帯域幅部分中の前記送信は、前記ＱＣＬパラメータに少なくとも部分的に基づいて復調される請求項１記載の方法。
【請求項７】
前記ＱＣＬパラメータは、遅延拡散パラメータ、ドップラーパラメータ、平均遅延パラメータ、ドップラーシフトパラメータ、空間受信パラメータ、または、これらの任意の組み合わせである請求項６記載の方法。
【請求項８】
前記遷移時間ウインドウの持続時間を示す、無線リソース制御シグナリング、または、ダウンリンク制御情報、または、制御要素を受信することをさらに含む請求項１記載の方法。
【請求項９】
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を受信することをさらに含む請求項１記載の方法。
【請求項１０】
前記ＵＥは、前記遷移時間ウインドウの持続時間をローカルに記憶する請求項１記載の方法。
【請求項１１】
前記遷移時間ウインドウの持続時間は、前記第１の帯域幅部分の第２の基準信号の周期の関数である請求項１記載の方法。
【請求項１２】
前記基準信号は、チャネル状態情報基準信号（ＣＳＩ−ＲＳ）、同期信号ブロック（ＳＳＢ）、または、追跡基準信号（ＴＲＳ）である請求項１記載の方法。
【請求項１３】
前記インジケータは、複数の異なるＱＣＬパラメータセットからのＱＣＬパラメータセットを示す送信コンフィギュレーションインジケータ（ＴＣＩ）である請求項１記載の方法。
【請求項１４】
前記第２の帯域幅部分に対する構成された送信コンフィギュレーションインジケータ（ＴＣＩ）状態に少なくとも部分的に基づいて、前記第１の帯域幅部分に対するＴＣＩ状態を導出することをさらに含む請求項１記載の方法。
【請求項１５】
複数の異なる送信コンフィギュレーションインジケータ（ＴＣＩ）状態のうちの、前記第１の帯域幅部分に対する第１のＴＣＩ状態を利用するように前記ＵＥを構成するコンフィギュレーション情報を受信することと、
前記第１のＴＣＩ状態にしたがって、前記第１の帯域幅部分中の前記送信を受信することとをさらに含み、
前記複数のＴＣＩ状態の各ＴＣＩ状態は、少なくとも１つの基準信号を識別し、前記第２の帯域幅部分中で方向送信を受信するように構成されている受信ビームに対するパラメータを含む請求項１記載の方法。
【請求項１６】
前記第２の帯域幅部分中の送信コンフィギュレーションインジケータ（ＴＣＩ）解釈を利用するように前記ＵＥを構成する制御要素を前記許可の前に受信することと、
前記制御要素の適用時間が前記遷移時間ウインドウ内で生じることを決定することと、
前記ＴＣＩ解釈にしたがって、前記第１の帯域幅部分中の前記送信を受信することとをさらに含む請求項１記載の方法。
【請求項１７】
前記第２の帯域幅部分中の送信コンフィギュレーションインジケータ（ＴＣＩ）解釈を利用するように前記ＵＥを構成する制御要素を前記許可の前に受信することと、
前記遷移時間ウインドウの後に延びる前記制御要素の適用時間に少なくとも部分的に基づいて、前記遷移時間ウインドウの間に前記第１の帯域幅部分中で受信した送信に対して前記ＴＣＩ解釈を適用するか拒否するかを決定することとをさらに含む請求項１記載の方法。
【請求項１８】
前記送信のための前記第１の帯域幅部分の共有データチャネルまたは制御チャネルを監視することをさらに含む請求項１記載の方法。
【請求項１９】
前記送信は制御リソースセット（ＣＯＲＥＳＥＴ）であり、前記遷移時間ウインドウの間の前記第１の帯域幅部分中の前記送信を復調することは、
前記ＱＣＬ仮定に少なくとも部分的に基づいて、前記第１の帯域幅部分中の前記ＣＯＲＥＳＥＴを復調することをさらに含む請求項１記載の方法。
【請求項２０】
前記送信は第１の制御リソースセット（ＣＯＲＥＳＥＴ）であり、前記遷移時間ウインドウの間の前記第１の帯域幅部分中の前記送信を復調することは、
前記第１の帯域幅部分中の前記第１のＣＯＲＥＳＥＴおよび第２のＣＯＲＥＳＥＴをマッピングすることと、
前記ＱＣＬ仮定と前記マッピングとに少なくとも部分的に基づいて、前記第１のＣＯＲＥＳＥＴおよび前記第２のＣＯＲＥＳＥＴを復調することとをさらに含む請求項１記載の方法。
【請求項２１】
基地局によるワイヤレス通信のための方法において、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信することと、
前記第２の帯域幅部分から前記第１の帯域幅部分に切り替えるように前記ＵＥに命令する許可を前記第２の帯域幅部分中で送信することと、
前記ＱＣＬ仮定にしたがって、送信を発生させることと、
前記第２の帯域幅部分から前記第１の帯域幅部分に切り替えるように前記ＵＥが命令された後に生じる遷移時間ウインドウの間に、前記第１の帯域幅部分中で前記送信を送信することとを含む方法。
【請求項２２】
前記遷移時間ウインドウの持続時間は、前記第１の帯域幅部分上の第１のデータチャネルの持続時間に対応し、前記第１のデータチャネルは、前記第１の帯域幅部分中の前記送信を含む請求項２１記載の方法。
【請求項２３】
前記遷移時間ウインドウが満了したことを決定することと、
前記第１の帯域幅部分に対応する第２のＱＣＬ仮定にしたがって、第２の送信を発生させることと、
前記遷移時間ウインドウが満了した後に、前記第１の帯域幅部分中で前記第２の送信を送信することとをさらに含む請求項２１記載の方法。
【請求項２４】
前記遷移時間ウインドウの持続時間を示す、無線リソース制御シグナリング、または、ダウンリンク制御情報、または、制御要素を送信することをさらに含む請求項２１記載の方法。
【請求項２５】
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を送信することとをさらに含む請求項２１記載の方法。
【請求項２６】
前記第２の帯域幅部分中で前記基準信号を送信することと、
前記第１の帯域幅部分中で第２の基準信号を送信することとをさらに含む請求項２１記載の方法。
【請求項２７】
前記基準信号は、チャネル状態情報基準信号（ＣＳＩ−ＲＳ）、同期信号ブロック（ＳＳＢ）、または、追跡基準信号（ＴＲＳ）である請求項２１記載の方法。
【請求項２８】
ユーザ機器（ＵＥ）によるワイヤレス通信のための装置において、
第２の帯域幅部分の基準信号から第１の帯域幅部分に対する復調基準信号（ＤＭＲＳ）のための擬似コロケーション（ＱＣＬ）仮定を導出することを示すインジケータを受信する手段と、
前記第２の帯域幅部分から前記第１の帯域幅部分に切り替えるように前記ＵＥに命令する許可を前記第２の帯域幅部分中で受信する手段と、
前記ＱＣＬ仮定に少なくとも部分的に基づいて、前記ＵＥが前記許可を受信した後に生じる遷移時間ウインドウ内で受信した前記第１の帯域幅部分中の送信を復調する手段とを具備する装置。
【請求項２９】
基地局によるワイヤレス通信のための装置において、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信する手段と、
前記第２の帯域幅部分から前記第１の帯域幅部分に切り替えるように前記ＵＥに命令する許可を前記第２の帯域幅部分中で送信する手段と、
前記ＱＣＬ仮定にしたがって、送信を発生させる手段と、
前記第２の帯域幅部分から前記第１の帯域幅部分に切り替えるように前記ＵＥが命令された後に生じる遷移時間ウインドウの間に、前記第１の帯域幅部分中で前記送信を送信する手段とを具備する装置。
【請求項３０】
ユーザ機器（ＵＥ）によるワイヤレス通信のための装置において、
プロセッサと、
前記プロセッサと電子通信するメモリと、
前記メモリ中に記憶されている命令とを具備し、
前記命令は、前記プロセッサによって、前記装置に、
第２の帯域幅部分の基準信号から第１の帯域幅部分に対する復調基準信号（ＤＭＲＳ）のための擬似コロケーション（ＱＣＬ）仮定を導出することを示すインジケータを受信させ、
前記第２の帯域幅部分から前記第１の帯域幅部分に切り替えるように前記ＵＥに命令する許可を前記第２の帯域幅部分中で受信させ、
前記ＱＣＬ仮定に少なくとも部分的に基づいて、前記ＵＥが前記許可を受信した後に生じる遷移時間ウインドウ内で受信した前記第１の帯域幅部分中の送信を復調させるように実行可能である装置。
【請求項３１】
前記インジケータは、前記第２の帯域幅部分の前記基準信号が前記第１の帯域幅部分の第２の基準信号と相互帯域幅部分擬似コロケートされていることを示し、
前記命令は、前記プロセッサによって、前記装置に、
前記第１の帯域幅部分および前記第２の帯域幅部分に渡って前記基準信号および前記第２の基準信号をフィルタリングさせて、ＱＣＬパラメータを決定させるようにさらに実行可能であり、
前記第１の帯域幅部分中の前記送信は、前記ＱＣＬパラメータに少なくとも部分的に基づいて復調される請求項３０記載の装置。
【請求項３２】
前記インジケータは、前記第２の帯域幅部分の前記基準信号が前記第１の帯域幅部分の第２の基準信号と相互帯域幅部分擬似コロケートされていないことを示し、
前記命令は、前記プロセッサによって、前記装置に、
前記第１の帯域幅部分および前記第２の帯域幅部分に渡って前記基準信号および前記第２の基準信号をフィルタリングしないことを決定させるようにさらに実行可能である請求項３０記載の装置。
【請求項３３】
前記命令は、前記プロセッサによって、前記装置に、
前記遷移時間ウインドウが満了したことを決定させ、
前記第１の帯域幅部分の基準信号から前記第１の帯域幅部分に対する前記ＤＭＲＳのための第２のＱＣＬ仮定を導出させ、
前記遷移時間ウインドウが満了した後に、前記第２のＱＣＬ仮定に少なくとも部分的に基づいて、前記第１の帯域幅部分中の第２の送信を復調させるようにさらに実行可能である請求項３０記載の装置。
【請求項３４】
前記ＱＣＬ仮定は、前記第２の帯域幅部分の前記基準信号に少なくとも部分的に基づいて、前記第１の帯域幅部分に対するＱＣＬパラメータを導出することを示し、前記第１の帯域幅部分中の前記送信は、前記ＱＣＬパラメータに少なくとも部分的に基づいて復調される請求項３０記載の装置。
【請求項３５】
前記ＱＣＬパラメータは、遅延拡散パラメータ、ドップラーパラメータ、平均遅延パラメータ、ドップラーシフトパラメータ、空間受信パラメータ、または、これらの任意の組み合わせである請求項３４記載の装置。
【請求項３６】
前記命令は、前記プロセッサによって、前記装置に、
前記遷移時間ウインドウの持続時間を示す、無線リソース制御シグナリング、または、ダウンリンク制御情報、または、制御要素を受信させるようにさらに実行可能である請求項３０記載の装置。
【請求項３７】
前記命令は、前記プロセッサによって、前記装置に、
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を受信させるようにさらに実行可能である請求項３０記載の装置。
【請求項３８】
前記ＵＥは、前記遷移時間ウインドウの持続時間をローカルに記憶する請求項３０記載の装置。
【請求項３９】
前記遷移時間ウインドウの持続時間は、前記第１の帯域幅部分の第２の基準信号の周期の関数である請求項３０記載の装置。
【請求項４０】
前記基準信号は、チャネル状態情報基準信号（ＣＳＩ−ＲＳ）、同期信号ブロック（ＳＳＢ）、または、追跡基準信号（ＴＲＳ）である請求項３０記載の装置。
【請求項４１】
前記インジケータは、複数の異なるＱＣＬパラメータセットからのＱＣＬパラメータセットを示す送信コンフィギュレーションインジケータ（ＴＣＩ）である請求項３０記載の装置。
【請求項４２】
前記命令は、前記プロセッサによって、前記装置に、
前記第２の帯域幅部分に対する構成された送信コンフィギュレーションインジケータ（ＴＣＩ）状態に少なくとも部分的に基づいて、前記第１の帯域幅部分に対するＴＣＩ状態を導出させるようにさらに実行可能である請求項３０記載の装置。
【請求項４３】
前記命令は、前記プロセッサによって、前記装置に、
複数の異なる送信コンフィギュレーションインジケータ（ＴＣＩ）状態のうちの、前記第１の帯域幅部分に対する第１のＴＣＩ状態を利用するように前記ＵＥを構成するコンフィギュレーション情報を受信させ、
前記第１のＴＣＩ状態にしたがって、前記第１の帯域幅部分中の前記送信を受信させるようにさらに実行可能であり、
前記複数のＴＣＩ状態の各ＴＣＩ状態は、少なくとも１つの基準信号を識別し、前記第２の帯域幅部分中で方向送信を受信するように構成されている受信ビームに対するパラメータを含む請求項３０記載の装置。
【請求項４４】
前記命令は、前記プロセッサによって、前記装置に、
前記第２の帯域幅部分中の送信コンフィギュレーションインジケータ（ＴＣＩ）解釈を利用するように前記ＵＥを構成する制御要素を前記許可の前に受信させ、
前記制御要素の適用時間が前記遷移時間ウインドウ内で生じることを決定させ、
前記ＴＣＩ解釈にしたがって、前記第１の帯域幅部分中の前記送信を受信させるようにさらに実行可能である請求項３０記載の装置。
【請求項４５】
前記命令は、前記プロセッサによって、前記装置に、
前記第２の帯域幅部分中の送信コンフィギュレーションインジケータ（ＴＣＩ）解釈を利用するように前記ＵＥを構成する制御要素を前記許可の前に受信させ、
前記遷移時間ウインドウの後に延びる前記制御要素の適用時間に少なくとも部分的に基づいて、前記遷移時間ウインドウの間に前記第１の帯域幅部分中で受信した送信に対して前記ＴＣＩ解釈を適用するか拒否するかを決定させるようにさらに実行可能である請求項３０記載の装置。
【請求項４６】
前記命令は、前記プロセッサによって、前記装置に、
前記送信のための前記第１の帯域幅部分の共有データチャネルまたは制御チャネルを監視させるようにさらに実行可能である請求項３０記載の装置。
【請求項４７】
前記送信への前記命令は制御リソースセット（ＣＯＲＥＳＥＴ）であり、前記遷移時間ウインドウの間の前記第１の帯域幅部分中の前記送信を復調することは、前記プロセッサによって、前記装置に、
前記ＱＣＬ仮定に少なくとも部分的に基づいて、前記第１の帯域幅部分中の前記ＣＯＲＥＳＥＴを復調させるようにさらに実行可能である請求項３０記載の装置。
【請求項４８】
前記送信への前記命令は第１の制御リソースセット（ＣＯＲＥＳＥＴ）であり、前記遷移時間ウインドウの間の前記第１の帯域幅部分中の前記送信を復調することは、前記プロセッサによって、前記装置に、
前記第１の帯域幅部分中の前記第１のＣＯＲＥＳＥＴおよび第２のＣＯＲＥＳＥＴをマッピングさせ、
前記ＱＣＬ仮定と前記マッピングとに少なくとも部分的に基づいて、前記第１のＣＯＲＥＳＥＴおよび前記第２のＣＯＲＥＳＥＴを復調させるようにさらに実行可能である請求項３０記載の装置。
【請求項４９】
基地局によるワイヤレス通信のための装置において、
プロセッサと、
前記プロセッサと電子通信するメモリと、
前記メモリ中に記憶されている命令とを具備し、
前記命令は、前記プロセッサによって、前記装置に、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信させ、
前記第２の帯域幅部分から前記第１の帯域幅部分に切り替えるように前記ＵＥに命令する許可を前記第２の帯域幅部分中で送信させ、
前記ＱＣＬ仮定にしたがって、送信を発生させ、
前記第２の帯域幅部分から前記第１の帯域幅部分に切り替えるように前記ＵＥが命令された後に生じる遷移時間ウインドウの間に、前記第１の帯域幅部分中で前記送信を送信させるように実行可能である装置。
【請求項５０】
前記命令は、前記プロセッサによって、前記装置に、
前記遷移時間ウインドウが満了したことを決定させ、
前記第１の帯域幅部分に対応する第２のＱＣＬ仮定にしたがって、第２の送信を発生させ、
前記遷移時間ウインドウが満了した後に、前記第１の帯域幅部分中で前記第２の送信を送信させるようにさらに実行可能である請求項４９記載の装置。
【請求項５１】
前記命令は、前記プロセッサによって、前記装置に、
前記遷移時間ウインドウの持続時間を示す、無線リソース制御シグナリング、または、ダウンリンク制御情報、または、制御要素を送信させるようにさらに実行可能である請求項４９記載の装置。
【請求項５２】
前記命令は、前記プロセッサによって、前記装置に、
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を送信させるようにさらに実行可能である請求項４９記載の装置。
【請求項５３】
前記命令は、前記プロセッサによって、前記装置に、
前記第２の帯域幅部分中で前記基準信号を送信させ、
前記第１の帯域幅部分中で第２の基準信号を送信させるようにさらに実行可能である請求項４９記載の装置。
【請求項５４】
前記基準信号は、チャネル状態情報基準信号（ＣＳＩ−ＲＳ）、同期信号ブロック（ＳＳＢ）、または、追跡基準信号（ＴＲＳ）である請求項４９記載の装置。
【請求項５５】
ユーザ機器（ＵＥ）によるワイヤレス通信のためのコードを記憶している非一時的コンピュータ読取可能媒体において、
前記コードは命令を含み、
前記命令は、プロセッサによって、
第２の帯域幅部分の基準信号から第１の帯域幅部分に対する復調基準信号（ＤＭＲＳ）のための擬似コロケーション（ＱＣＬ）仮定を導出することを示すインジケータを受信し、
前記第２の帯域幅部分から前記第１の帯域幅部分に切り替えるように前記ＵＥに命令する許可を前記第２の帯域幅部分中で受信し、
前記ＱＣＬ仮定に少なくとも部分的に基づいて、前記ＵＥが前記許可を受信した後に生じる遷移時間ウインドウ内で受信した前記第１の帯域幅部分中の送信を復調するように実行可能である非一時的コンピュータ読取可能媒体。
【請求項５６】
基地局によるワイヤレス通信のためのコードを記憶している非一時的コンピュータ読取可能媒体において、
前記コードは命令を含み、
前記命令は、プロセッサによって、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信し、
前記第２の帯域幅部分から前記第１の帯域幅部分に切り替えるように前記ＵＥに命令する許可を前記第２の帯域幅部分中で送信し、
前記ＱＣＬ仮定にしたがって、送信を発生させ、
前記第２の帯域幅部分から前記第１の帯域幅部分に切り替えるように前記ＵＥが命令された後に生じる遷移時間ウインドウの間に、前記第１の帯域幅部分中で前記送信を送信するように実行可能である非一時的コンピュータ読取可能媒体。
【発明の詳細な説明】
【相互参照】
【０００１】
［０００１］
特許のための本出願は、２０１８年３月２３日に出願された「帯域幅部分切り替えの間の擬似コロケーション仮定」と題されたジョンウィルソン他による米国仮特許出願番号第６２／６４７，５９６号、および、２０１９年３月１１日に出願された「帯域幅部分切り替えの間の擬似コロケーション仮定」と題されたジョンウィルソン他による米国特許出願番号第１６／２９８，９２７号の利益を主張し、これらのそれぞれは、この譲受人に譲受されている。
【背景】
【０００２】
［０００２］
以下は、一般的にワイヤレス通信に関連し、より詳細には、帯域幅部分切り替えの間の擬似コロケーション（ＱＣＬ）仮定に関連する。
【０００３】
［０００３］
ワイヤレス通信システムは、音声、ビデオ、パケットデータ、メッセージング、ブロードキャスト等のような、さまざまなタイプの通信コンテンツを提供するために広く配備されている。これらのシステムは、利用可能なシステムリソース（例えば、時間、周波数、および、電力）を共有することによって、複数のユーザとの通信をサポートすることが可能であるかもしれない。このような多元接続システムの例は、ロングタームエボリューション（ＬＴＥ（登録商標））システム、ＬＴＥアドバンスト（ＬＴＥ−Ａ）システム、または、ＬＴＥ−Ａプロシステムのような第４世代（４Ｇ）システムと、新たな無線（ＮＲ）システムと呼ばれることがある第５世代（５Ｇ）システムとを含んでいる。これらのシステムは、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、または、離散フーリエ変換拡散ＯＦＤＭ（ＤＦＴ−Ｓ−ＯＦＤＭ）のようなテクノロジーを用いるかもしれない。ワイヤレス多元接続通信システムは、多数の基地局またはアクセスネットワークノードを含んでいてもよく、それぞれは、そうでなければユーザ機器（ＵＥ）として知られているかもしれない複数の通信デバイスに対する通信を同時にサポートする。
【０００４】
［０００４］
いくつかのワイヤレス通信システムでは、基地局は、複数のアンテナを使用してＵＥと通信するかもしれない。データストリームは、アンテナポートを使用して１つ以上のアンテナにマッピングされるかもしれず、これらのアンテナポートのそれぞれは、（例えば、受信機が、受信した送信において、異なるアンテナポートに関係付けられているデータストリームを区別することを可能にするかもしれない）基準信号に関係付けられているかもしれない。いくつかのケースでは、いくつかのアンテナポートは、擬似コロケートされていると呼ばれることがあり、これは、１つのアンテナポート上でシンボルが伝えられるチャネルの特性（例えば、空間受信特性）が、別のアンテナポート上で別のシンボルが伝えられるチャネルの特性から推測されるかもしれないことを意味する。アンテナポート間のこの暗黙的関連性は、ＵＥがダウンリンク送信のデコードに成功できる機会を改善するかもしれない。例えば、受信デバイス（例えば、ＵＥ）は、アンテナポートの第１のセットと擬似コロケートされているアンテナポートの第２のセット上で受信した基準信号に基づいて、アンテナポートの第１のセット上で受信したデータを復調するための（例えば、チャネル推定および空間フィルタリングを含む）受信機処理を実行することが可能であってもよい。アンテナポート間のＱＣＬ関連性に基づいて受信機処理を実行するための現在の技術は、ある事例では、不十分であるかもしれない。
【概要】
【０００５】
［０００５］
説明する技術は、帯域幅部分切り替えの間の適切な擬似コロケーション（ＱＣＬ）仮定を決定することをサポートする、改善された方法、システム、デバイス、または、装置に関連する。ここで説明する例は、ユーザ機器（ＵＥ）が、１つの帯域幅部分（例えば、システム帯域幅の副帯域）における通信から別の帯域幅部分への遷移の後のＱＣＬ仮定を決定することを可能にするための手順を提供する。特に、ＵＥは、チャネル上でデータを送信するために使用されるアンテナポートと、ＵＥに基準信号を送信するために使用されるアンテナポートとのＱＣＬ仮定に基づいて、チャネル上で受信したデータを復調するための（例えば、チャネル推定および空間フィルタリングを含む）受信機処理を実行するように構成されていてもよい。ＱＣＬ仮定は、チャネル上の第１の帯域幅部分上でデータを送信するために使用されるアンテナポートが、第２の帯域幅部分上で基準信号を送信するために使用されるアンテナポートと擬似コロケートされていることを示していてもよい。したがって、構成された時間期間の間、ＵＥが第１の帯域幅部分上で受信した基準信号を使用して、第１の帯域幅部分上で受信機処理を実行することができる前に、ＵＥは、第２の帯域幅部分上で受信した基準信号を使用して、第１の帯域幅部分上で受信機処理を実行してもよい。
【０００６】
［０００６］
ワイヤレス通信のための方法を説明する。方法は、第２の帯域幅部分の基準信号から第１の帯域幅部分に対する復調基準信号（ＤＭＲＳ）のためのＱＣＬ仮定を導出することを示すインジケータを受信することと、第２の帯域幅部分から第１の帯域幅部分に切り替えるようにＵＥに命令する許可を第２の帯域幅部分中で受信することと、ＱＣＬ仮定に少なくとも部分的に基づいて、ＵＥが許可を受信した後に生じる遷移時間ウインドウ内で受信した第１の帯域幅部分中の送信を復調することとを含んでいてもよい。
【０００７】
［０００７］
ワイヤレス通信のための装置を説明する。装置は、第２の帯域幅部分の基準信号から第１の帯域幅部分に対するＤＭＲＳのためのＱＣＬ仮定を導出することを示すインジケータを受信する手段と、第２の帯域幅部分から第１の帯域幅部分に切り替えるようにＵＥに命令する許可を第２の帯域幅部分中で受信する手段と、ＱＣＬ仮定に少なくとも部分的に基づいて、ＵＥが許可を受信した後に生じる遷移時間ウインドウ内で受信した第１の帯域幅部分中の送信を復調する手段とを含んでいてもよい。
【０００８】
［０００８］
ワイヤレス通信のための別の装置を説明する。装置は、プロセッサと、プロセッサと電子通信するメモリと、メモリ中に記憶されている命令とを含んでいてもよい。命令は、プロセッサに、第２の帯域幅部分の基準信号から第１の帯域幅部分に対するＤＭＲＳのためのＱＣＬ仮定を導出することを示すインジケータを受信させ、第２の帯域幅部分から第１の帯域幅部分に切り替えるようにＵＥに命令する許可を第２の帯域幅部分中で受信させ、ＱＣＬ仮定に少なくとも部分的に基づいて、ＵＥが許可を受信した後に生じる遷移時間ウインドウ内で受信した第１の帯域幅部分中の送信を復調させるように動作可能であってもよい。
【０００９】
［０００９］
ワイヤレス通信のための非一時的コンピュータ読取可能媒体を説明する。非一時的コンピュータ読取可能媒体は、命令を含んでいてもよく、命令は、プロセッサに、第２の帯域幅部分の基準信号から第１の帯域幅部分に対するＤＭＲＳのためのＱＣＬ仮定を導出することを示すインジケータを受信させ、第２の帯域幅部分から第１の帯域幅部分に切り替えるようにＵＥに命令する許可を第２の帯域幅部分中で受信させ、ＱＣＬ仮定に少なくとも部分的に基づいて、ＵＥが許可を受信した後に生じる遷移時間ウインドウ内で受信した第１の帯域幅部分中の送信を復調させるように動作可能であってもよい。
【００１０】
［００１０］
上記で説明した方法、装置、および、非一時的コンピュータ読取可能媒体のうちのいくつかの例では、インジケータは、第２の帯域幅部分の基準信号が第１の帯域幅部分の第２の基準信号と相互帯域幅部分擬似コロケートされていることを示す。上記で説明した方法、装置、および、非一時的コンピュータ読取可能媒体のうちのいくつかの例では、第１の帯域幅部分および第２の帯域幅部分に渡って基準信号および第２の基準信号をフィルタリングして、ＱＣＬパラメータを決定するためのプロセス、特徴、手段、または、命令をさらに含んでいてもよく、第１の帯域幅部分中の送信は、ＱＣＬパラメータに少なくとも部分的に基づいて復調されてもよい。上記で説明した方法、装置、および、非一時的コンピュータ読取可能媒体のうちのいくつかの例では、インジケータは、第２の帯域幅部分の基準信号が第１の帯域幅部分の第２の基準信号と相互帯域幅部分擬似コロケートされていないことを示す。上記で説明した方法、装置、または、非一時的コンピュータ読取可能媒体のうちのいくつかの例では、第１の帯域幅部分および第２の帯域幅部分に渡って基準信号および第２の基準信号をフィルタリングしないことを決定するためのプロセス、特徴、手段、または、命令をさらに含んでいてもよい。
【００１１】
［００１１］
上記で説明した方法、装置、または、非一時的コンピュータ読取可能媒体のうちのいくつかの例では、遷移時間ウインドウが満了したことを決定するためのプロセス、特徴、手段、または、命令をさらに含んでいてもよい。上記で説明した方法、装置、および、非一時的コンピュータ読取可能媒体のうちのいくつかの例では、第１の帯域幅部分の基準信号から第１の帯域幅部分に対するＤＭＲＳのための第２のＱＣＬ仮定を導出するためのプロセス、特徴、手段、または、命令をさらに含んでいてもよい。上記で説明した方法、装置、および、非一時的コンピュータ読取可能媒体のうちのいくつかの例では、遷移時間ウインドウが満了した後に、第２のＱＣＬ仮定に少なくとも部分的に基づいて、第１の帯域幅部分中の第２の送信を復調するためのプロセス、特徴、手段、または、命令をさらに含んでいてもよい。
【００１２】
［００１２］
上記で説明した方法、装置、および、非一時的コンピュータ読取可能媒体のうちのいくつかの例では、ＱＣＬ仮定は、第２の帯域幅部分の基準信号に少なくとも部分的に基づいて、第１の帯域幅部分に対するＱＣＬパラメータを導出することを示し、第１の帯域幅部分中の送信は、ＱＣＬパラメータに少なくとも部分的に基づいて復調されてもよい。上記で説明した方法、装置、および、非一時的コンピュータ読取可能媒体のうちのいくつかの例では、ＱＣＬパラメータは、遅延拡散パラメータ、ドップラーパラメータ、平均遅延パラメータ、ドップラーシフトパラメータ、空間受信パラメータ、または、これらの任意の組み合わせであってもよい。上記で説明した方法、装置、または、非一時的コンピュータ読取可能媒体のうちのいくつかの例は、遷移時間ウインドウの持続時間を示す、無線リソース制御シグナリング、または、ダウンリンク制御情報、または、制御要素を受信するためのプロセス、特徴、手段、または、命令をさらに含んでいてもよい。ここで説明する方法、装置、および、非一時的コンピュータ読取可能媒体のうちのいくつかの例では、遷移時間ウインドウの持続時間は、第１の帯域幅部分上の第１のデータチャネルの持続時間に対応し、第１のデータチャネルは、第１の帯域幅部分中の送信を含んでいる。
【００１３】
［００１３］
上記で説明した方法、装置、および、非一時的コンピュータ読取可能媒体のうちのいくつかの例は、第２の帯域幅部分の基準信号が第１の帯域幅部分の第２の基準信号と相互帯域幅部分擬似コロケートされているか否かを示す、無線リソース制御シグナリング、または、ダウンリンク制御情報、または、制御要素を受信するためのプロセス、特徴、手段、または、命令をさらに含んでいてもよい。上記で説明した方法、装置、および、非一時的コンピュータ読取可能媒体のうちのいくつかの例では、ＵＥは、遷移時間ウインドウの持続時間をローカルに記憶する。上記で説明した方法、装置、および、非一時的コンピュータ読取可能媒体のうちのいくつかの例では、遷移時間ウインドウの持続時間は、第１の帯域幅部分の第２の基準信号の周期の関数であってもよい。
【００１４】
［００１４］
上記で説明した方法、装置、および、非一時的コンピュータ読取可能媒体のうちのいくつかの例において、基準信号は、チャネル状態情報基準信号（ＣＳＩ−ＲＳ）、同期信号ブロック（ＳＳＢ）、または、追跡基準信号（ＴＲＳ）であってもよい。上記で説明した方法、装置、および、非一時的コンピュータ読取可能媒体のうちのいくつかの例では、インジケータは、複数の異なるＱＣＬパラメータセットからのＱＣＬパラメータセットを示す送信コンフィギュレーションインジケータ（ＴＣＩ）であってもよい。上記で説明した方法、装置、または、非一時的コンピュータ読取可能媒体のいくつかのうちの例は、第２の帯域幅部分に対する構成されたＴＣＩ状態に少なくとも部分的に基づいて、第１の帯域幅部分に対するＴＣＩ状態を導出するためのプロセス、特徴、手段、または、命令をさらに含んでいてもよい。
【００１５】
［００１５］
上記で説明した方法、装置、および、非一時的コンピュータ読取可能媒体のうちのいくつかの例は、複数の異なるＴＣＩ状態のうちの、第１の帯域幅部分に対する第１のＴＣＩ状態を利用するようにＵＥを構成するコンフィギュレーション情報を受信するためのプロセス、特徴、手段、または、命令をさらに含んでいてもよく、複数のＴＣＩ状態の各ＴＣＩ状態は、少なくとも１つの基準信号を識別し、第２の帯域幅部分中で方向送信を受信するように構成されている受信ビームに対するパラメータを含んでいる。上記で説明した方法、装置、または、非一時的コンピュータ読取可能媒体のうちのいくつかの例は、第１のＴＣＩ状態にしたがって、第１の帯域幅部分中の送信を受信するためのプロセス、特徴、手段、または、命令をさらに含んでいてもよい。
【００１６】
［００１６］
上記で説明した方法、装置、または、非一時的コンピュータ読取可能媒体のうちのいくつかの例は、第２の帯域幅部分中のＴＣＩ解釈を利用するようにＵＥを構成する制御要素を許可の前に受信するためのプロセス、特徴、手段、または、命令をさらに含んでいてもよい。上記で説明した方法、装置、または、非一時的コンピュータ読取可能媒体のうちのいくつかの例は、制御要素の適用時間が遷移時間ウインドウ内で生じることを決定するためのプロセス、特徴、手段、または、命令をさらに含んでいてもよい。上記で説明した方法、装置、または、非一時的コンピュータ読取可能媒体のうちのいくつかの例は、ＴＣＩ解釈にしたがって、第１の帯域幅部分中の送信を受信するためのプロセス、特徴、手段、または、命令をさらに含んでいてもよい。
【００１７】
［００１７］
上記で説明した方法、装置、および、非一時的コンピュータ読取可能媒体のうちのいくつかの例は、第２の帯域幅部分中の送信コンフィギュレーションインジケータ（ＴＣＩ）解釈を利用するようにＵＥを構成する制御要素を許可の前に受信するためのプロセス、特徴、手段、または、命令をさらに含んでいてもよい。上記で説明した方法、装置、および、非一時的コンピュータ読取可能媒体のうちのいくつかの例は、遷移時間ウインドウの後に延びる制御要素の適用時間に少なくとも部分的に基づいて、遷移時間ウインドウの間に第１の帯域幅部分中で受信した送信に対してＴＣＩ解釈を適用するか拒否するかを決定するためのプロセス、特徴、手段、または、命令をさらに含んでいてもよい。上記で説明した方法、装置、または、非一時的コンピュータ読取可能媒体のうちのいくつかの例は、送信のための第１の帯域幅部分の共有データチャネルまたは制御チャネルを監視するためのプロセス、特徴、手段、または、命令をさらに含んでいてもよい。
【００１８】
［００１８］
上記で説明した方法、装置、および、非一時的コンピュータ読取可能媒体のうちのいくつかの例では、送信は制御リソースセット（ｃｏｒｅｓｅｔ）であってもよく、遷移時間ウインドウの間の第１の帯域幅部分中の送信を復調することは、ＱＣＬ仮定に少なくとも部分的に基づいて、第１の帯域幅部分中のｃｏｒｅｓｅｔを復調することをさらに含んでいる。上記で説明した方法、装置、および、非一時的コンピュータ読取可能媒体のうちのいくつかの例では、送信は第１のｃｏｒｅｓｅｔであってもよく、遷移時間ウインドウの間の第１の帯域幅部分中の送信を復調することは、第１の帯域幅部分中の第１のｃｏｒｅｓｅｔおよび第２のｃｏｒｅｓｅｔをマッピングすることをさらに含んでいる。上記で説明した方法、装置、または、非一時的コンピュータ読取可能媒体のいくつかのうちの例は、ＱＣＬ仮定とマッピングとに少なくとも部分的に基づいて、第１のｃｏｒｅｓｅｔおよび第２のｃｏｒｅｓｅｔを復調するためのプロセス、特徴、手段、または、命令をさらに含んでいてもよい。
【００１９】
［００１９］
ワイヤレス通信のための方法を説明する。方法は、第２の帯域幅部分の基準信号から第１の帯域幅部分に対するＤＭＲＳのためのＱＣＬ仮定を導出することを示すインジケータをＵＥに送信することと、第２の帯域幅部分から第１の帯域幅部分に切り替えるようにＵＥに命令する許可を第２の帯域幅部分中で送信することと、ＱＣＬ仮定にしたがって、送信を発生させることと、第２の帯域幅部分から第１の帯域幅部分に切り替えるようにＵＥが命令された後に生じる遷移時間ウインドウの間に、第１の帯域幅部分中で送信を送信することとを含んでいてもよい。
【００２０】
［００２０］
ワイヤレス通信のための装置を説明する。装置は、第２の帯域幅部分の基準信号から第１の帯域幅部分に対するＤＭＲＳのためのＱＣＬ仮定を導出することを示すインジケータをＵＥに送信する手段と、第２の帯域幅部分から第１の帯域幅部分に切り替えるようにＵＥに命令する許可を第２の帯域幅部分中で送信する手段と、ＱＣＬ仮定にしたがって、送信を発生させる手段と、第２の帯域幅部分から第１の帯域幅部分に切り替えるようにＵＥが命令された後に生じる遷移時間ウインドウの間に、第１の帯域幅部分中で送信を送信する手段とを含んでいてもよい。
【００２１】
［００２１］
ワイヤレス通信のための別の装置を説明する。装置は、プロセッサと、プロセッサと電子通信するメモリと、メモリ中に記憶されている命令とを含んでいてもよい。命令は、プロセッサに、第２の帯域幅部分の基準信号から第１の帯域幅部分に対するＤＭＲＳのためのＱＣＬ仮定を導出することを示すインジケータをＵＥに送信させ、第２の帯域幅部分から第１の帯域幅部分に切り替えるようにＵＥに命令する許可を第２の帯域幅部分中で送信させ、ＱＣＬ仮定にしたがって、送信を発生させ、第２の帯域幅部分から第１の帯域幅部分に切り替えるようにＵＥが命令された後に生じる遷移時間ウインドウの間に、第１の帯域幅部分中で送信を送信させるように動作可能であってもよい。
【００２２】
［００２２］
ワイヤレス通信のための非一時的コンピュータ読取可能媒体を説明する。非一時的コンピュータ読取可能媒体は、命令を含んでいてもよく、命令は、プロセッサに、第２の帯域幅部分の基準信号から第１の帯域幅部分に対するＤＭＲＳのためのＱＣＬ仮定を導出することを示すインジケータをＵＥに送信させ、第２の帯域幅部分から第１の帯域幅部分に切り替えるようにＵＥに命令する許可を第２の帯域幅部分中で送信させ、ＱＣＬ仮定にしたがって、送信を発生させ、第２の帯域幅部分から第１の帯域幅部分に切り替えるようにＵＥが命令された後に生じる遷移時間ウインドウの間に、第１の帯域幅部分中で送信を送信させるように動作可能であってもよい。
【００２３】
［００２３］
上記で説明した方法、装置、または、非一時的コンピュータ読取可能媒体のうちのいくつかの例は、遷移時間ウインドウが満了したことを決定するためのプロセス、特徴、手段、または、命令をさらに含んでいてもよい。上記で説明した方法、装置、または、非一時的コンピュータ読取可能媒体のうちのいくつかの例は、第１の帯域幅部分に対応する第２のＱＣＬ仮定にしたがって、第２の送信を発生させるためのプロセス、特徴、手段、または、命令をさらに含んでいてもよい。上記で説明した方法、装置、または、非一時的コンピュータ読取可能媒体のうちのいくつかの例は、遷移時間ウインドウが満了した後に、第１の帯域幅部分中で第２の送信を送信するためのプロセス、特徴、手段、または、命令をさらに含んでいてもよい。
【００２４】
［００２４］
上記で説明した方法、装置、および、非一時的コンピュータ読取可能媒体のうちのいくつかの例は、遷移時間ウインドウの持続時間を示す、無線リソース制御シグナリング、または、ダウンリンク制御情報、または、制御要素を送信するためのプロセス、特徴、手段、または、命令をさらに含んでいてもよい。上記で説明した方法、装置、および、非一時的コンピュータ読取可能媒体のうちのいくつかの例では、第２の帯域幅部分の基準信号が第１の帯域幅部分の第２の基準信号と相互帯域幅部分擬似コロケートされているか否かを示す、無線リソース制御シグナリング、または、ダウンリンク制御情報、または、制御要素を送信するためのプロセス、特徴、手段、または、命令をさらに含んでいてもよい。
【００２５】
［００２５］
上記で説明した方法、装置、または、非一時的コンピュータ読取可能媒体のうちのいくつかの例は、第２の帯域幅部分中で基準信号を送信するためのプロセス、特徴、手段、または、命令をさらに含んでいてもよい。上記で説明した方法、装置、または、非一時的コンピュータ読取可能媒体のうちのいくつかの例は、第１の帯域幅部分中で第２の基準信号を送信するためのプロセス、特徴、手段、または、命令をさらに含んでいてもよい。上記で説明した方法、装置、および、非一時的コンピュータ読取可能媒体のうちのいくつかの例では、基準信号は、ＣＳＩ−ＲＳ、ＳＳＢ、または、追跡基準信号であってもよい。
【図面の簡単な説明】
【００２６】
【図１】［００２６］  図１は、本開示の態様にしたがう、帯域幅部分切り替えの間の擬似コロケーション（ＱＣＬ）仮定をサポートするワイヤレス通信システムの例を図示している。
【図２】図２は、本開示の態様にしたがう、帯域幅部分切り替えの間の擬似コロケーション（ＱＣＬ）仮定をサポートするワイヤレス通信システムの例を図示している。
【図３】［００２７］  図３は、本開示の態様にしたがう、基地局とユーザ機器（ＵＥ）との間の通信の例示的なタイムラインを図示している。
【図４】［００２８］  図４は、本開示の態様にしたがう、搬送波中に含まれる異なる帯域幅部分の例を図示している。
【図５】［００２９］  図５は、本開示の態様にしたがう、帯域幅部分切り替えの間のＱＣＬ仮定をサポートするプロセスフローの例を図示している。
【図６】［００３０］  図６は、本開示の態様にしたがう、帯域幅部分切り替えの間のＱＣＬ仮定をサポートするデバイスのブロックダイヤグラムを示している。
【図７】図７は、本開示の態様にしたがう、帯域幅部分切り替えの間のＱＣＬ仮定をサポートするデバイスのブロックダイヤグラムを示している。
【図８】図８は、本開示の態様にしたがう、帯域幅部分切り替えの間のＱＣＬ仮定をサポートするデバイスのブロックダイヤグラムを示している。
【図９】［００３１］  図９は、本開示の態様にしたがう、帯域幅部分切り替えの間のＱＣＬ仮定をサポートするＵＥを含むシステムのブロックダイヤグラムを図示している。
【図１０】［００３２］  図１０は、本開示の態様にしたがう、帯域幅部分切り替えの間のＱＣＬ仮定をサポートするデバイスのブロックダイヤグラムを示している。
【図１１】図１１は、本開示の態様にしたがう、帯域幅部分切り替えの間のＱＣＬ仮定をサポートするデバイスのブロックダイヤグラムを示している。
【図１２】図１２は、本開示の態様にしたがう、帯域幅部分切り替えの間のＱＣＬ仮定をサポートするデバイスのブロックダイヤグラムを示している。
【図１３】［００３３］  図１３は、本開示の態様にしたがう、帯域幅部分切り替えの間のＱＣＬ仮定をサポートする基地局を含むシステムブロックダイヤグラムを図示している。
【図１４】［００３４］  図１４は、本開示の態様にしたがう、帯域幅部分切り替えの間のＱＣＬ仮定のための方法を図示している。
【図１５】図１５は、本開示の態様にしたがう、帯域幅部分切り替えの間のＱＣＬ仮定のための方法を図示している。
【詳細な説明】
【００２７】
［００３５］
説明する技術は、帯域幅部分切り替えの間の適切な擬似コロケーション（ＱＣＬ）仮定を決定することをサポートする、改善された方法、システム、デバイス、または、装置に関連する。ここで説明する例は、ユーザ機器（ＵＥ）が、１つの帯域幅部分（例えば、システム帯域幅の副帯域）中の通信から別の帯域幅部分への遷移の後のＱＣＬ仮定を決定することを可能にするための手順を提供する。特に、ＵＥは、チャネル上でデータを送信するために使用されるアンテナポートと、ＵＥに基準信号を送信するために使用されるアンテナポートとのＱＣＬ仮定に基づいて、チャネル上で受信したデータを復調するための（例えば、チャネル推定および空間フィルタリングを含む）受信機処理を実行するように構成されていてもよい。ＱＣＬ仮定は、チャネル上の第１の帯域幅部分上でデータを送信するために使用されるアンテナポートが、第２の帯域幅部分上で基準信号を送信するために使用されるアンテナポートと擬似コロケートされていることを示していてもよい。したがって、構成された時間期間の間、ＵＥは、第１の帯域幅部分上で受信した基準信号を使用して、第１の帯域幅部分上で受信機処理を実行することができる前に、ＵＥは、第２の帯域幅部分上で受信した基準信号を使用して、第１の帯域幅部分上で受信機処理を実行してもよい。
【００２８】
［００３６］
いくつかのワイヤレス通信システムでは、基地局は、複数のアンテナを使用してユーザ機器（ＵＥ）と通信してもよい。例えば、基地局は、（例えば、同じアンテナを通してシーケンシャルにデータストリームを送信することとは対照的に）スループットを増加させるために、それぞれのアンテナを通してパラレルにデータストリームを送信してもよい。追加的にまたは代替的に、基地局は、（例えば、送信のダイバーシティを増加させるために）複数のアンテナを通して同時に所定のデータストリームを送信してもよい。いくつかのケースでは、複数アンテナの使用は、１つ以上のアンテナポートに基づいていてもよい。アンテナポートは、データストリームをアンテナにマッピングするために使用される論理エンティティである。所定のアンテナポートは、１つ以上のアンテナからの送信を駆動し（例えば、そして、１つ以上のアンテナを通して受信した信号成分を分解し）てもよい。各アンテナポートは、（例えば、受信した送信において、異なるアンテナポートに関係付けられているデータストリームを受信機が区別することを可能にするかもしれない）基準信号に関係付けられていてもよい。
【００２９】
［００３７］
いくつかのアンテナポートは、擬似コロケートされていると呼ばれることがあり、これは、１つのアンテナポート上でシンボルが伝えられるチャネルの特性（例えば、空間受信特性）が、別のアンテナポート上で別のシンボルが伝えられるチャネルの特性から推測されてもよいことを意味する。したがって、受信デバイス（例えば、ＵＥ）は、アンテナポートの第１のセットと擬似コロケートされているアンテナポートの第２のセット上で受信した基準信号に基づいて、アンテナポートの第１のセット上で受信したデータまたは制御情報を復調するための受信機処理を実行することが可能であってもよい。したがって、アンテナポート間の擬似コロケーション（ＱＣＬ）関連性（ＱＣＬ関連性が仮定されるとき、ＱＣＬ仮定としても呼ばれる）は、ＵＥが基地局からのダウンリンク送信のデコードに成功できる機会を改善するかもしれない。いくつかのケースでは、ＵＥが受信機処理のために使用する追加の基準信号を識別することが可能であってもよいように、どのアンテナポートが擬似コロケートされているかの表示を基地局がＵＥに送信することが適切であるかもしれない。
【００３０】
［００３８］
いくつかの態様では、基地局は、ダウンリンク信号をＵＥに送信するために使用されるアンテナポート間のＱＣＬ関連性をＵＥに示すために使用する送信コンフィギュレーション表示（ＴＣＩ）状態のセットを構成してもよい。各ＴＣＩ状態は、基準信号（例えば、同期信号ブロック（ＳＳＢ）、異なるタイプのチャネル状態情報基準信号（ＣＳＩ−ＲＳ）、または、追跡基準信号（ＴＲＳ））のセットに関係付けられてもよく、ＴＣＩ状態は、これらの基準信号を送信するために使用されるアンテナポートと、データまたは制御情報をＵＥに送信するために使用されるアンテナポートとの間のＱＣＬ関連性を示していてもよい。したがって、ＵＥが（例えば、送信時間間隔（ＴＴＩ）中のダウンリンク制御情報（ＤＣＩ）中で）基地局から特定のＴＣＩ状態の表示を受信するとき、ＴＣＩ状態に関係付けられている基準信号を送信するために使用されるアンテナポートが、データおよび制御情報をＵＥに送信するために使用されるアンテナポートと擬似コロケートされていることをＵＥは識別してもよい。したがって、ＵＥは、ＴＣＩ状態に関係付けられている基準信号を使用して、基地局から受信したデータまたは制御情報を復調するための受信機処理を実行してもよい。
【００３１】
［００３９］
いくつかのワイヤレス通信システムでは、ＵＥは、基地局からデータを受信するために、１つの帯域幅部分（例えば、システム帯域幅の副帯域）から別の帯域幅部分に遷移するように構成されていてもよい。このようなケースでは、ＵＥは、他の帯域幅部分上で基地局から受信されることになるデータを復調するための受信機処理を実行するためにＵＥが使用する基準信号を示す（例えば、ＤＣＩ中の）ＴＣＩ状態の表示を受信してもよい。しかしながら、いくつかの態様では、ＵＥによって受信されることになるデータは、何らかの基準信号が他の帯域幅部分上で送信される前に、基地局によって送信されるようにスケジューリングされるかもしれない。その結果、ＵＥは、（例えば、空間特性、遅延拡散、ドップラー効果等のような、チャネルの特性を決定するために）受信機処理を実行することができないかもしれず、ＵＥは、チャネル上で受信したデータを正しく復調することができないかもしれず、これはワイヤレス通信システムにとって有害であるかもしれない。
【００３２】
［００４０］
ここで説明するように、ワイヤレス通信システムは、ＵＥがデータを受信するために第２の帯域幅部分から第１の帯域幅部分に遷移した後に、適切なＱＣＬ仮定に基づいて、チャネル上で受信したデータを復調するための受信機処理を実行するようにＵＥを構成するための効率的な技術をサポートしてもよい。特に、ＵＥは、第１の帯域幅部分上でデータを送信するために使用されるアンテナポートが、第２の帯域幅部分上で基準信号を送信するために使用されるアンテナポートと擬似コロケートされていることを示すＱＣＬ仮定を識別してもよい。したがって、構成された時間期間（すなわち、遷移時間ウインドウ）の間、ＵＥは、第１の帯域幅部分上で受信した基準信号を使用して、第１の帯域幅部分上で受信機処理を実行することができる前に、ＵＥは、第２の帯域幅部分上で受信した基準信号を使用して、第１の帯域幅部分上で受信機処理を実行してもよい。ＵＥは、次いで、受信機処理を実行することに基づいて、第１の帯域幅部分上で受信したデータを復調してもよい。遷移時間ウインドウが満了した後に、ＵＥは、第１の帯域幅部分上で受信した基準信号を使用して、第１の帯域幅部分上で受信したデータを復調するための受信機処理を実行してもよい。
【００３３】
［００４１］
上記で説明した技術は、ＵＥが、第１の帯域幅部分に遷移した直後に第１の帯域幅部分上で受信したデータを復調するための受信機処理を実行することができないこと（すなわち、従来の技術を使用すること）とは対照的に、ＵＥが、第１の帯域幅部分上で通信するように遷移した直後にデータを受信するための受信機処理を実行することを可能にする（すなわち、基地局から制御およびデータを受信する）ことから、ワイヤレス通信システムにおけるチャネル効率を増加できる。上記で紹介した本開示の態様を、ワイヤレス通信システムの文脈で以下に説明する。次に、帯域幅部分切り替え間のＱＣＬ仮定をサポートするプロセスおよびシグナリング交換の例を説明する。帯域幅部分切り替えの間のＱＣＬ仮定に関連する装置ダイヤグラム、システムダイヤグラム、および、フローチャートによって本開示の態様をさらに図示し、これらを参照して説明する。
【００３４】
［００４２］
図１は、本開示のさまざまな態様にしたがう、帯域幅部分切り替えの間のＱＣＬ仮定をサポートするワイヤレス通信システム１００の例を図示している。ワイヤレス通信システム１００は、基地局１０５と、ＵＥ１１５と、コアネットワーク１３０とを含んでいる。いくつかの例では、ワイヤレス通信システム１００は、ロングタームエボリューション（ＬＴＥ）ネットワーク、ＬＴＥアドバンスト（ＬＴＥ−Ａ）ネットワーク、または、新たな無線（ＮＲ）ネットワークであってもよい。いくつかのケースでは、ワイヤレス通信システム１００は、拡張ブロードバンド通信、超高信頼（例えば、ミッションクリティカル）通信、低遅延通信、または、低コストおよび低複雑性デバイスとの通信をサポートしていてもよい。
【００３５】
［００４３］
基地局１０５は、１つ以上の基地局アンテナを介して、ＵＥ１１５とワイヤレスに通信してもよい。ここで説明する基地局１０５は、ベーストランシーバ局、無線基地局、アクセスポイント、無線トランシーバ、ノードＢ、ｅノードＢ（ｅＮＢ）、次世代ノードＢまたはギガノードＢ（これらのいずれもｇＮＢと呼ばれることがある）、ホームノードＢ、ホームｅノードＢ、あるいは、他の何らかの適切な専門用語を含んでいてもよく、または、このように当業者によって呼ばれることがある。ワイヤレス通信システム１００は、異なるタイプの基地局１０５（例えば、マクロセル基地局またはスモールセル基地局）を含んでいてもよい。ここで説明するＵＥ１１５は、マクロｅＮＢ、スモールセルｅＮＢ、ｇＮＢ、中継基地局、および、これらに類するものを含む、さまざまなタイプの基地局１０５およびネットワーク機器と通信することが可能であってもよい。
【００３６】
［００４４］
各基地局１０５は、さまざまなＵＥ１１５との通信がサポートされる特定の地理的カバレッジエリア１１０に関係付けられてもよい。各基地局１０５は、通信リンク１２５を介してそれぞれの地理的カバレッジエリア１１０に通信カバレッジを提供してもよく、基地局１０５とＵＥ１１５との間の通信リンク１２５は、１つ以上の搬送波を利用してもよい。ワイヤレス通信システム１００において示される通信リンク１２５は、ＵＥ１１５から基地局１０５へのアップリンク送信、または、基地局１０５からＵＥ１１５へのダウンリンク送信を含んでいてもよい。ダウンリンク送信は、フォワードリンク送信とも呼ばれることがあり、アップリンク送信は、リバースリンク送信とも呼ばれることがある。
【００３７】
［００４５］
基地局１０５のための地理的カバレッジエリア１１０は、地理的カバレッジエリア１１０の一部分のみを構成するセクタに分割されてもよく、各セクタは、セルに関係付けられていてもよい。例えば、各基地局１０５は、マクロセル、スモールセル、ホットスポット、または、他のタイプのセル、あるいは、これらのさまざまな組み合わせに通信カバレッジを提供してもよい。いくつかの例では、基地局１０５は、移動可能であり、したがって、移動する地理的カバレッジエリア１１０に通信カバレッジを提供してもよい。いくつかの例では、異なるテクノロジーに関係付けられている異なる地理的カバレッジエリア１１０がオーバーラップしていてもよく、異なるテクノロジーに関係付けられているオーバーラップする地理的カバレッジエリア１１０が、同じ基地局１０５によって、または、異なる基地局１０５によってサポートされてもよい。ワイヤレス通信システム１００は、例えば、異なるタイプの基地局１０５がさまざまな地理的カバレッジエリア１１０にカバレッジを提供する、ヘテロジニアスＬＴＥ／ＬＴＥ−ＡまたはＮＲネットワークを含んでいてもよい。
【００３８】
［００４６］
「セル」という用語は、（例えば、搬送波を通して）基地局１０５との通信のために使用される論理通信エンティティを指し、同じまたは異なる搬送波を介して動作する近隣セルを区別するための識別子（例えば、物理セル識別子（ＰＣＩＤ）、仮想セル識別子（ＶＣＩＤ））に関係付けられてもよい。いくつかの例では、搬送波は、複数のセルをサポートし、異なるセルは、異なるタイプのデバイスにアクセスを提供してもよい異なるプロトコルタイプ（例えば、機械タイプ通信（ＭＴＣ）、狭帯域インターネットオブシングス（ＮＢ−ＩｏＴ）、拡張移動体ブロードバンド（ｅＭＢＢ）、または、その他）にしたがって構成されていてもよい。いくつかのケースでは、「セル」という用語は、論理エンティティが動作する地理的カバレッジエリア１１０（例えば、セクタ）の一部分を指しているかもしれない。
【００３９】
［００４７］
ＵＥ１１５は、ワイヤレス通信システム１００全体を通じて分散されていてもよく、そして各ＵＥ１１５は、静的または移動性であってもよい。ＵＥ１１５はまた、移動体デバイス、ワイヤレスデバイス、遠隔デバイス、ハンドヘルドデバイス、または、加入者デバイス、あるいは、他の何らかの適切な専門用語で呼ばれることがあり、「デバイス」は、ユニット、局、端末、または、クライアントとしても呼ばれることがある。ＵＥ１１５はまた、セルラ電話機、パーソナルデジタルアシスタント（ＰＤＡ）、タブレットコンピュータ、ラップトップコンピュータ、または、パーソナルコンピュータのようなパーソナル電子デバイスであってもよい。いくつかの例では、ＵＥ１１５はまた、ワイヤレスローカルループ（ＷＬＬ）局、インターネットオブシングス（ＩｏＴ）デバイス、インターネットオブエブリシング（ＩｏＥ）デバイス、または、ＭＴＣデバイス、または、これらに類するものを指していてもよく、これらは、電気機器、ビークル、メータ、または、これらに類するもののようなさまざまな物品において実現してもよい。
【００４０】
［００４８］
基地局１０５は、コアネットワーク１３０と、そして互いに、通信してもよい。例えば、基地局１０５は、バックホールリンク１３２を通して（例えば、Ｓ１または他のインターフェースを介して）コアネットワーク１３０とインターフェースしていてもよい。基地局１０５は、直接的に（例えば、基地局１０５間で直接）または間接的に（例えば、コアネットワーク１３０を介して）のいずれかで、バックホールリンク１３４を通して（例えば、Ｘ２または他のインターフェースを介して）互いに通信してもよい。
【００４１】
［００４９］
コアネットワーク１３０は、ユーザ認証、アクセス認可、追跡、インターネットプロトコル（ＩＰ）接続性、および、他のアクセス、ルーティング、または、モビリティ機能を提供してもよい。コアネットワーク１３０は、進化型パケットコア（ＥＰＣ）であってもよく、これは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含んでいてもよい。ＭＭＥは、ＥＰＣに関係付けられている基地局１０５によってサービス提供されるＵＥ１１５のためのモビリティ、認証、および、ベアラ管理のような、非アクセスストラタム（例えば、制御プレーン）機能を管理してもよい。ユーザＩＰパケットは、それ自体がＰ−ＧＷに接続されているかもしれないＳ−ＧＷを通して転送されてもよい。Ｐ−ＧＷは、ＩＰアドレス割り振りとともに他の機能を提供してもよい。Ｐ−ＧＷは、ネットワークオペレータＩＰサービスに接続されていてもよい。オペレータのＩＰサービスは、インターネット、イントラネット、ＩＰマルチメディアサブシステム（ＩＭＳ）、または、パケット交換（ＰＳ）ストリーミングサービスへのアクセスを含んでいてもよい。
【００４２】
［００５０］
基地局１０５のような、ネットワークデバイスのうちの少なくともいくつかは、アクセスノード制御装置（ＡＮＣ）の例であってもよいアクセスネットワークエンティティのようなサブコンポーネントを含んでいてもよい。各アクセスネットワークエンティティは、多数の他のアクセスネットワーク送信エンティティを通してＵＥ１１５と通信してもよく、これらは、無線ヘッド、スマート無線ヘッド、または、送信／受信ポイント（ＴＲＰ）と呼ばれることがある。いくつかのコンフィギュレーションでは、各アクセスネットワークエンティティまたは基地局１０５のさまざまな機能は、さまざまなネットワークデバイス（例えば、無線ヘッドおよびアクセスネットワーク制御装置）に渡って分散されていてもよく、または、単一のネットワークデバイス（例えば、基地局１０５）に統合されていてもよい。
【００４３】
［００５１］
いくつかのケースでは、ワイヤレス通信システム１００は、レイヤードプロトコルスタックにしたがって動作する、パケットベースのネットワークであってもよい。ユーザプレーンでは、ベアラまたはパケットデータコンバージェンスプロトコル（ＰＤＣＰ）レイヤにおける通信は、ＩＰベースであってもよい。無線リンク制御（ＲＬＣ）レイヤは、いくつかのケースでは、パケットセグメント化および再アセンブルを実行して、論理チャネルを通して通信してもよい。ＭＡＣレイヤは、論理チャネルの優先取り扱いと、論理チャネルを伝送チャネルに多重化することとを実行してもよい。ＭＡＣレイヤはまた、ハイブリッド自動反復要求（ＨＡＲＱ）を使用して、ＭＡＣレイヤにおける再送信を提供して、リンク効率を改善してもよい。制御プレーンにおいて、無線リソース制御（ＲＲＣ）プロトコルレイヤは、ＵＥ１１５と、ユーザプレーンデータのための無線ベアラをサポートする、基地局１０５またはコアネットワーク１３０との間のＲＲＣ接続の確立、コンフィギュレーション、および、管理を提供してもよい。物理（ＰＨＹ）レイヤにおいて、伝送チャネルは、物理チャネルにマッピングされていてもよい。
【００４４】
［００５２］
ワイヤレス通信システム１００は、ミリメートル帯域としても知られる、スペクトルのミリ波（ＥＨＦ）領域（例えば、３０ＧＨｚ〜３００ＧＨｚ）において動作してもよい。いくつかの例では、ワイヤレス通信システム１００は、ＵＥ１１５と基地局１０５との間のｍｍＷ通信をサポートしていてもよく、それぞれのデバイスのＥＨＦアンテナは、極超短波（ＵＨＦ）アンテナよりもさらに小さく、より近接して間隔が空けられていてもよい。いくつかのケースでは、これは、ＵＥ１１５内でのアンテナアレイの使用を促進するかもしれない。しかしながら、ＥＨＦ送信の伝搬は、センチメートル波（ＳＨＦ）またはＵＨＦ送信よりも、さらに大きな大気減衰を受け、狭い範囲であるかもしれない。ここで開示する技術は、１つ以上の異なる周波数領域を使用する送信に渡って用いてもよく、これらの周波数領域に渡る帯域の指定された使用は、国または規制団体によって異なっていてもよい。
【００４５】
［００５３］
いくつかのケースでは、ＵＥ１１５および基地局１０５は、データの受信に成功する可能性を増加させるために、データの再送信をサポートしてもよい。ＨＡＲＱフィードバックは、データが通信リンク１２５を通して正しく受信される可能性を増加させる１つの技術である。ＨＡＲＱは、送信が受信に成功したか否かを送信デバイスに示すための、受信デバイスによる送信デバイスへの肯定応答（ＡＣＫ）または否定応答（ＮＡＣＫ）の送信を含んでいてもよい。ＨＡＲＱは、（例えば、巡回冗長検査（ＣＲＣ）を使用する）誤り検出、前方誤り訂正（ＦＥＣ）、および、再送信（例えば、自動反復要求（ＡＲＱ））の組み合わせを含んでいてもよい。ＨＡＲＱは、不十分な無線条件（例えば、信号対雑音条件）において、ＭＡＣレイヤでスループットを改善するかもしれない。いくつかのケースでは、ワイヤレスデバイスは、同一スロットＨＡＲＱフィードバックをサポートしてもよく、デバイスは、特定のスロット中の前のシンボル中で受信したデータのために、そのスロット中でＨＡＲＱフィードバックを提供してもよい。他のケースでは、デバイスは、後続のスロット中で、または、何らかの他の時間間隔にしたがって、ＨＡＲＱフィードバックを提供してもよい。
【００４６】
［００５４］
ＬＴＥまたはＮＲにおける時間間隔は、基本時間単位の倍数で表されていてもよく、これは、例えば、Ｔｓ＝１／３０，７２０，０００秒のサンプリング期間を指していてもよい。通信リソースの時間間隔は、それぞれが１０ミリ秒（ｍｓ）の持続時間を有する無線フレームにしたがって編成されていてもよく、フレーム期間は、Ｔｆ＝３０７，２００Ｔｓとして表されてもよい。無線フレームは、０〜１０２３の範囲のシステムフレーム番号（ＳＦＮ）によって識別されてもよい。各フレームは、０〜９の番号付けされた１０個のサブフレームを含み、各サブフレームは、１ｍｓの持続時間を有していてもよい。サブフレームは、それぞれが０．５ｍｓの持続時間を有する２つのスロットにさらに分割されていてもよく、各スロットは、（例えば、各シンボル期間に付加されたサイクリックプレフィックスの長さに依存して）６または７つの変調シンボル期間を含んでいてもよい。サイクリックプレフィックスを除いて、各シンボル期間は、２０４８個のサンプリング期間を含んでいてもよい。いくつかのケースでは、サブフレームは、ワイヤレス通信システム１００の最小スケジューリング単位であり、送信時間間隔（ＴＴＩ）と呼ばれることがある。他のケースでは、ワイヤレス通信システム１００の最小スケジューリング単位は、サブフレームより短く、または、（例えば、短縮ＴＴＩ（ｓＴＴＩ）のバーストにおいて、または、ｓＴＴＩを使用する選択されたコンポーネント搬送波において）動的に選択されてもよい。
【００４７】
［００５５］
いくつかの例では、基地局１０５またはＵＥ１１５は、送信ダイバーシティ、受信ダイバーシティ、複数入力複数出力（ＭＩＭＯ）通信、または、ビーム形成のような技術を用いるために使用されてもよい、複数のアンテナを装備していてもよい。例えば、ワイヤレス通信システム１００は、送信デバイス（例えば、基地局１０５）と受信デバイス（例えば、ＵＥ１１５）との間の送信スキームを使用してもよく、送信デバイスは、複数のアンテナを装備し、受信デバイスは１つ以上のアンテナを装備する。ＭＩＭＯ通信は、マルチパス信号伝搬を用いて、異なる空間レイヤを介して複数の信号を送信または受信することによって、スペクトル効率を増加させてもよく、これは、空間多重化と呼ばれることがある。複数の信号は、例えば、異なるアンテナまたはアンテナの異なる組み合わせを介して、送信デバイスによって送信されてもよい。同様に、複数の信号は、異なるアンテナまたはアンテナの異なる組み合わせを介して、受信デバイスによって受信されてもよい。複数の信号のそれぞれは、別個の空間ストリームとして呼ばれることがあり、同じデータストリーム（例えば、同じコードワード）または異なるデータストリームに関係付けられているビットを搬送してもよい。
【００４８】
［００５６］
異なる空間レイヤは、チャネル測定および報告のために使用される異なるアンテナポートに関係付けられてもよい。アンテナポートは、データストリームをアンテナにマッピングするために使用される論理エンティティである。所定のアンテナポートは、１つ以上のアンテナからの送信を駆動し（例えば、そして、１つ以上のアンテナを通して受信した信号成分を分解し）てもよい。各アンテナポートは、（例えば、受信した送信において、異なるアンテナポートに関係付けられているデータストリームを受信機が区別することを可能にするかもしれない）基準信号に関係付けられてもよい。いくつかのケースでは、いくつかのアンテナポートは、擬似コロケートされているとして呼ばれることがあり、これは、１つのアンテナポート上でシンボルが伝えられるチャネルの特性（例えば、空間受信特性）が、別のアンテナポート上で別のシンボルが伝えられるチャネルの特性から推測されてもよいことを意味する。
【００４９】
［００５７］
したがって、アンテナポートの第１のセットがアンテナポートの第２のセットと擬似コロケートされている場合、ＵＥ１１５は、アンテナポートの第２のセット上で受信した基準信号に基づいて、アンテナポートの第１のセット上で受信したデータまたは制御情報を復調するための受信機処理を実行することが可能であってもよい。例えば、ＵＥ１１５は、アンテナポートの第２のセット上で受信した基準信号に基づいて、アンテナポートの第１のセット上でのデータまたは制御情報のダウンリンク送信に関係する遅延拡散、ドップラーシフト等を決定することが可能であってもよい。ＵＥ１１５は、次いで、例えば、（すなわち、上記で説明したように、受信機処理を実行することに基づいて決定した）チャネル推定を使用して、基地局１０５からのダウンリンク送信を正しく復調してもよい。したがって、基地局１０５とＵＥ１１５との間のダウンリンク通信のために使用されるアンテナポート間のＱＣＬ関連性は、ＵＥ１１５が基地局１０５からのダウンリンク送信のデコードに成功できる機会を改善するかもしれない。したがって、ＵＥが受信機処理のために使用する追加の基準信号を識別できるように、どのアンテナポートが擬似コロケートされているかの表示を基地局がＵＥに送信することが適切であるかもしれない。
【００５０】
［００５８］
したがって、基地局１０５は、ＵＥ１１５との通信のために使用されるアンテナポート間の異なるＱＣＬ関連性に対応するＴＣＩ状態のセットを構成してもよい。ＴＣＩ状態は、基準信号（例えば、ＳＳＢ、ＴＲＳ、異なるタイプのＣＳＩ−ＲＳ）のセットに関係付けられてもよく、ＴＣＩ状態は、これらの基準信号を送信するために使用されるアンテナポートと、データまたは制御情報をＵＥ１１５に送信するために使用されるアンテナポートとの間のＱＣＬ関連性を示していてもよい。このように、ＵＥ１１５が（例えば、ＴＴＩ中のＤＣＩ中で）基地局１０５から特定のＴＣＩ状態の表示を受信するとき、ＵＥ１１５は、ＴＣＩ状態に関係付けられている基準信号を送信するために使用されるアンテナポートが、ＵＥ１１５にデータおよび制御情報を送信するために使用されるアンテナポートと擬似コロケートされていることを識別してもよい。したがって、ＵＥ１１５は、ＴＣＩ状態に関係付けられている基準信号を使用して、基地局１０５から受信したデータまたは制御情報を復調するための受信機処理を実行してもよい。例えば、ＵＥ１１５は、ＴＣＩ状態に関係付けられている基準信号に基づいて、データまたは制御情報の送信に関係する遅延拡散、ドップラーシフト、ドップラー拡散、ドップラー平均、遅延受信パラメータ、空間受信パラメータ等を決定してもよい。
【００５１】
［００５９］
ワイヤレス通信システム１００において、ＵＥ１１５は、１つの帯域幅部分（例えば、システム帯域幅の副帯域）上での通信から別の帯域幅部分上での通信に遷移するように構成されていてもよい。例えば、ＵＥ１１５は、タイマーが満了した後に、基地局１０５からデータを受信するために、異なる帯域幅部分に切り替えるように構成されていてもよく、または、ＵＥ１１５は、異なる帯域幅部分上での基地局１０５からのダウンリンク送信のためのリソースを割り振るＤＣＩ許可に基づいて、基地局１０５からデータを受信するために、異なる帯域幅部分に切り替えるように構成されていてもよい。このようなケースでは、ＵＥ１１５は、異なる帯域幅部分上で基地局１０５から受信されることになるデータを復調するための受信機処理を実行するために、ＵＥ１１５が使用する基準信号を示すＴＣＩ状態の表示を受信（または、さもなければ識別）してもよい。しかしながら、いくつかの態様では、ＵＥ１１５によって受信されることになるデータは、異なる帯域幅部分中の何らかの基準信号の前に送信されるようにスケジューリングされているかもしれない。結果として、ＵＥ１１５は、（例えば、空間特性、遅延拡散、ドップラー効果等のような、チャネルの特性を決定するために）受信機処理を実行することが可能でないかもしれず、ＵＥ１１５は、チャネル上で受信したデータを正しく復調することができないかもしれず、これはワイヤレス通信システムにとって有害であるかもしれない。ワイヤレス通信システム１００は、適切なＱＣＬ仮定に基づいて、チャネル上で受信したデータを復調するための受信機処理を実行するようにＵＥ１１５を構成するための効率的な技術をサポートしてもよい。
【００５２】
［００６０］
図２は、本開示のさまざまな態様にしたがう、帯域幅部分切り替えの間のＱＣＬ仮定をサポートするワイヤレス通信システム２００の例を図示している。ワイヤレス通信システム２００は、基地局１０５−ａとＵＥ１１５−ａとを含んでいてもよく、これらは、図１を参照して説明した対応するデバイスの例であってもよい。基地局１０５−ａは、カバレッジエリア１１０−ａ内の（ＵＥ１１５−ａを含む）ＵＥ１１５と通信してもよい。例えば、基地局１０５−ａは、搬送波２０５のリソース上でＵＥ１１５−ａと通信してもよい。搬送波２０５は、（例えば、基地局１０５−ａとＵＥ１１５−ａとの間の通信のために構成されている）第１の帯域幅部分２１０と第２の帯域幅部分２１５とを含んでいてもよい。したがって、基地局１０５−ａは、第１の帯域幅部分２１０および第２の帯域幅部分２１５上でＵＥ１１５−ａと通信してもよい。
【００５３】
［００６１］
いくつかのケースでは、図１を参照して説明したように、ある時間期間の間、第２の帯域幅部分２１５上で基地局１０５−ａと通信した後に、ＵＥ１１５−ａは、基地局１０５−ａと通信するために、第１の帯域幅部分２１０に遷移するように構成されていてもよい。例えば、基地局１０５−ａは、タイマーが満了した後に、ダウンリンク送信を受信するために、第２の帯域幅部分２１５から第１の帯域幅部分２１０に遷移するようにＵＥ１１５−ａを構成してもよい。代替的に、基地局１０５−ａは、第２の帯域幅部分２１５上でＤＣＩメッセージを送信して、第１の帯域幅部分２１０上でのＵＥ１１５−ａへのダウンリンク送信をスケジューリングしてもよい。しかしながら、このようなケースでは、ＵＥ１１５−ａは、ダウンリンク送信の前に第１の帯域幅部分２１０上で基地局１０５−ａから何らかの基準信号を受信しないかもしれないことから、ＵＥ１１５−ａは、第１の帯域幅部分２１０上でデータを受信するための受信機処理を実行することができないかもしれない。
【００５４】
［００６２］
ここで説明するように、ワイヤレス通信システム２００は、第２の帯域幅部分２１５上での基地局１０５−ａとの通信から遷移した後に、第１の帯域幅部分２１０上でのダウンリンク送信を復調するための受信機処理を実行するようにＵＥ１１５−ａを構成するための効率的な技術をサポートしてもよい。特に、ＵＥ１１５−ａが、第１の帯域幅部分２１０上で基準信号を最初に受信することなく、第１の帯域幅部分２１０上でデータを受信するための受信機処理を実行することを可能にするために、ＵＥ１１５−ａは、第２の帯域幅部分２１５上で受信した基準信号に基づいて、第１の帯域幅部分２１０上で受信したデータを復調するための受信機処理を実行するように構成されていてもよい。図３は、基地局１０５−ａとＵＥ１１５−ａとの間の通信の例示的なタイムライン３００を図示し、ＵＥ１１５−ａは、第２の帯域幅部分２１５上での基地局１０５−ａとの通信から遷移した後に、第１の帯域幅部分２１０上で受信したデータを復調するための受信機処理を実行する。
【００５５】
［００６３］
図３の例では、基地局１０５−ａは、ある時間期間の間、第２の帯域幅部分２１５上でＵＥ１１５−ａと通信してもよい。この時間の間に、基地局１０５−ａは、第２の帯域幅部分２１５上でＵＥ１１５−ａに基準信号３０５（例えば、同期信号ブロック（ＳＳＢ）、チャネル状態情報基準信号（ＣＳＩ−ＲＳ）、または、追跡基準信号（ＴＲＳ））を送信してもよく、ＵＥ１１５−ａは、それを使用して、第２の帯域幅部分２１５上で受信したダウンリンク送信を復調するための受信機処理を実行してもよい。ある時間期間の間、第２の帯域幅部分２１５上でＵＥ１１５−ａと通信した後に、基地局１０５−ａは、第１の帯域幅部分２１０上で物理ダウンリンク共有チャネル（ＰＤＳＣＨ）３１５中でデータをＵＥ１１５−ａに送信することを決定してもよい。このように、基地局１０５−ａは、第２の帯域幅部分２１５上でＤＣＩ３１０をＵＥ１１５−ａに送信して、第１の帯域幅部分２１０上のＰＤＳＣＨ３１５中でのデータのダウンリンク送信をスケジューリングしてもよい。いくつかの例では、ＤＣＩ３１０はまた、ＰＤＳＣＨ３１５の持続時間、遷移時間ウインドウ３３０の持続時間、または、両方を示してもよい。ＤＣＩ３１０に続く事前に構成されている数のスロット３２０（例えば、Ｋ０）の後に、ＰＤＳＣＨにおいてデータが送信されるようにスケジューリングされてもよく、それゆえ、ＵＥ１１５−ａは、第２の帯域幅部分上の通信から第１の帯域幅部分２１０上の通信に遷移するための時間を有してもよい（例えば、Ｋ０≧遷移時間）。
【００５６】
［００６４］
いったんＵＥ１１５−ａがＤＣＩ３１０を受信すると、ＵＥ１１５−ａは、ＰＤＳＣＨ３１５中のダウンリンク送信のために割り振られているリソースを識別してもよく、ＵＥ１１５−ａは、第１の帯域幅部分２１０上で（すなわち、スロットの数３２０の後に）基地局１０５−ａからＰＤＳＣＨ３１５中でダウンリンク送信を受信してもよい。ここで説明する技術を使用して、ＵＥ１１５−ａは、（例えば、第１の帯域幅部分２１０がシングルビーム送信またはマルチビーム送信のために構成されているか否かにかかわらず）第２の帯域幅部分２１５上で受信した基準信号３０５を使用して受信機処理を実行して、第１の帯域幅部分２１０上でＰＤＳＣＨ３１５中で受信したデータを復調してもよい。したがって、ＵＥ１１５−ａは、第１の帯域幅部分２１０上で何らの基準信号も最初に受信することなく、第１の帯域幅部分２１０上でＰＤＳＣＨ３１５中で受信したデータを復調することが可能であるかもしれない。
【００５７】
［００６５］
ＵＥ１１５−ａはまた、第２の帯域幅部分２１５上で受信した基準信号３０５を使用して受信機処理を実行して、遷移ウインドウ３３０（例えば、遷移ウインドウ３３０−ａまたは遷移ウインドウ３３０−ｂ）中で受信した何らかのデータ送信を復調してもよい。いくつかの例では、遷移ウインドウは、ＰＤＳＣＨ３１５の長さに対応していてもよい遷移ウインドウ３３０−ａであってもよい。例えば、遷移ウインドウ３３０−ａは、第１の帯域幅部分２１０上の第１のＰＤＳＣＨ３１５の持続時間に及んでもよく、ＵＥ１１５−ａは、第２の帯域幅部分２１５上で受信した基準信号３０５を使用して、第１のＰＤＳＣＨ３１５（例えば、第１の帯域幅部分２１０上の第１のＰＤＳＣＨ３１５のみであり、後続のＰＤＳＣＨではない）を復調してもよい。いくつかの例では、ＵＥ１１５−ａは、次いで、第１のＰＤＳＣＨ３１５中で受信したＴＣＩ状態の表示を使用して、遷移ウインドウ３３０の後に、第１の帯域幅部分２１０上で受信したさらなるデータを復調してもよい。
【００５８】
［００６６］
他の例では、遷移ウインドウは、（例えば、第１の帯域幅部分２１０上で受信した基準信号３０５に基づいて）例えば、第１の帯域幅部分２１０上で受信したデータを復調するための適切なチャネル推定を識別するためにＵＥ１１５−ａによってかかる時間期間３２５（例えば、ウォームアップ時間）に及ぶかもしれない遷移ウインドウ３３０−ｂであってもよい。したがって、ＵＥ１１５−ａは、第２の帯域幅部分２１５上で受信した基準信号３０５を使用して、遷移ウインドウ３３０−ｂの間に第１の帯域幅部分２１０上で受信したデータを復調してもよく、ＵＥ１１５−ａは、第１の帯域幅部分２１０上で受信した基準信号３０５を使用して、遷移ウインドウ３３０−ｂの後に、第１の帯域幅部分２１０上で受信したデータを復調してもよい。
【００５９】
［００６７］
さらに、ＵＥ１１５−ａはまた、物理ダウンリンク制御チャネル（ＰＤＣＣＨ）または制御リソースセット（ｃｏｒｅｓｅｔ）中で受信した制御情報を復調するために、上記で説明した技術を使用してもよい。具体的には、ＵＥ１１５−ａは、第２の帯域幅部分２１５上で受信した基準信号を使用して、遷移ウインドウ３３０中で受信した制御情報を復調するための受信機処理を実行するように構成されていてもよい。いくつかの例では、第１の帯域幅部分２１０上の特定のｃｏｒｅｓｅｔ中で受信した制御情報を復調するための受信機処理を実行するために使用される基準信号３０５は、第２の帯域幅部分２１５上の対応するｃｏｒｅｓｅｔ中で受信した制御情報を復調するための受信機処理を実行するために使用されるのと同じ基準信号であってもよい。代替的に、（例えば、第１の帯域幅部分２１０中の制御情報を有するｃｏｒｅｓｅｔの数が、第２の帯域幅部分２１５中の制御情報を有するｃｏｒｅｓｅｔの数よりも多いとき）第１の帯域幅部分２１０上の特定のｃｏｒｅｓｅｔ中で受信した制御情報を復調するための受信機処理を実行するために使用される基準信号３０５は、第１の帯域幅部分２１０上の別のｃｏｒｅｓｅｔ中で受信した制御情報を復調するための受信機処理を実行するために使用されるのと同じ基準信号であってもよい（すなわち、ｃｏｒｅｓｅｔは、受信機処理のためにマッピングされてもよい）。
【００６０】
［００６８］
ＵＥ１１５−ａは、第２の帯域幅部分２１５上で受信した基準信号を使用して、第１の帯域幅部分２１０上で遷移ウインドウ３３０中で受信したデータを復調するための受信機処理を実行するように構成されていてもよいが、ＵＥ１１５−ａは、いくつかのケースでは、第１の帯域幅部分２１０中でＵＥ１１５−ａが受信機処理を実行するために使用する基準信号を示すＴＣＩ状態の表示を依然として受信してもよい。例えば、ある帯域幅部分は、（例えば、３つまたは別の数のＴＣＩビットを含む）ＴＣＩフィールドを含むＤＣＩを用いて構成されていてもよく、他の帯域幅部分は、ＴＣＩフィールドを含まないＤＣＩを用いて構成されていてもよい。ある帯域幅部分中のＤＣＩメッセージがＴＣＩを有するＤＣＩを含むか否かのこのコンフィギュレーションは、上位レイヤシグナリングを使用して（例えば、帯域幅部分特有のＲＲＣパラメータ中のＴＣＩ−ｐｒｅｓｅｎｔＩｎＤＣＩフラグを使用して）示されてもよい。したがって、ＵＥ１１５−ａが、第１の帯域幅部分２１０および第２の帯域幅部分２１５中で受信したＤＣＩを解釈して、第１の帯域幅部分２１０中で受信機処理を実行するための適切な基準信号を識別できることが適切であるかもしれない。
【００６１】
［００６９］
１つの態様では、第２の帯域幅部分２１５中で送信されるように構成されているＤＣＩ中にＴＣＩフィールドが含まれず、第１の帯域幅部分２１０中で送信されるように構成されているＤＣＩ中にＴＣＩフィールドが含まれないとき、ＵＥ１１５−ａは、第１の帯域幅部分２１０上での送信のための受信機処理を実行するために、（例えば、上位レイヤシグナリングによって構成されているＴＣＩ状態に基づいて）第２の帯域幅部分２１５上での送信のための受信機処理を実行するために使用される基準信号と同じ基準信号を使用してもよい。別の態様では、第２の帯域幅部分２１５中で送信されるように構成されているＤＣＩ中にＴＣＩフィールドが含まれず、第１の帯域幅部分２１０中で送信されるように構成されているＤＣＩ中にＴＣＩフィールドが含まれるとき、ＵＥ１１５−ａは、遷移ウインドウ３３０の間に、第１の帯域幅部分２１０上での送信のための受信機処理を実行するために、第２の帯域幅部分２１５上での送信のための受信機処理を実行するために使用される基準信号と同じ基準信号を使用してもよく、ＵＥ１１５−ａは、遷移ウインドウ３３０後に、第１の帯域幅部分２１０上のＤＣＩ中のＴＣＩフィールドによって示される基準信号を使用して、第１の帯域幅部分２１０上での送信のための受信機処理を実行してもよい。
【００６２】
［００７０］
さらに別の態様では、ＴＣＩフィールドが第２の帯域幅部分２１５中で送信されるように構成されているＤＣＩ中に含まれ、ＴＣＩフィールドが第１の帯域幅部分２１０中で送信されるように構成されているＤＣＩ中に含まれないとき、ＵＥ１１５−ａは、遷移ウインドウ３３０の間に、第１の帯域幅部分２１０上での送信のための受信機処理を実行するために、（例えば、第２の帯域幅部分２１５上で受信したＤＣＩ中のＴＣＩフィールドによって示されるような）第２の帯域幅部分２１５上での送信のための受信機処理を実行するために使用される基準信号と同じ基準信号を使用してもよく、ＵＥ１１５−ａは、遷移ウインドウの後に、第１の帯域幅部分２１０上での送信のための受信機処理を実行するために、（例えば、上位レイヤによって構成されているＴＣＩ状態に基づいて）異なる基準信号を使用してもよい。さらに別の態様では、ＴＣＩフィールドが第２の帯域幅部分２１５中で送信されるように構成されているＤＣＩ中に含まれ、ＴＣＩフィールドが第１の帯域幅部分２１０中で送信されるように構成されているＤＣＩ中に含まれるとき、ＵＥ１１５−ａは、遷移ウインドウ３３０の間に、第１の帯域幅部分２１０上での送信のための受信機処理を実行するために、（例えば、第２の帯域幅部分２１５上で受信したＤＣＩ中のＴＣＩフィールドによって示されるような）第２の帯域幅部分２１５上での送信のための受信機処理を実行するために使用される基準信号と同じ基準信号を使用してもよく、ＵＥ１１５−ａは、遷移ウインドウの後に、第１の帯域幅部分２１０上での送信のための受信機処理を実行するために、（例えば、第１の帯域幅部分２１５上で受信したＤＣＩ中のＴＣＩフィールドによって示されるような）異なる基準信号を使用してもよい。
【００６３】
［００７１］
上記で説明したように、ＤＣＩ中に含まれるＴＣＩフィールドは、ＵＥ１１５−ａに送信されるデータと擬似コロケートされているかもしれない基準信号に対応するＴＣＩ状態を示してもよく、ＴＣＩ状態は、どのＱＣＬパラメータ（空間特性、遅延拡散、ドップラー効果等）が、基地局１０５−ａから受信した基準信号から導出されるかを示していてもよい。しかしながら、いくつかのケースでは、ある時間期間の後、元々構成されたＴＣＩ状態は、ＵＥ１１５−ａにダウンリンク信号を送信するために使用されるアンテナポート間の適切なＱＣＬ関連性にもはや対応しないかもしれない。このようなケースでは、基地局１０５−ａは、（例えば、ＭＡＣ制御要素（ＭＡＣ−ＣＥ）を使用して）アンテナポート間のＱＣＬ関連性をＵＥ１１５−ａに示すために使用されるＴＣＩ状態を更新してもよい。したがって、更新されたＴＣＩ状態の表示を受信した後に、ＵＥ１１５−ａは、ＤＣＩ中で受信したＴＣＩフィールドを異なって解釈するかもしれない。いくつかの態様では、ＵＥ１１５−ａは、更新されたＴＣＩ状態（例えば、ＴＣＩ状態再コンフィギュレーション）の表示を受信するかもしれず、更新されたＴＣＩ状態は、ある時間期間に対して構成されていてもよい。
【００６４】
［００７２］
このような態様では、更新されたＴＣＩ状態が第２の帯域幅部分２１５中で構成され、更新されたＴＣＩ状態が有効である時間期間が遷移ウインドウ３３０（すなわち、適用時間）を超えて延びない場合、更新されたＴＣＩ状態は、第１の帯域幅部分２１０中で受信機処理を実行するために使用される基準信号に影響を及ぼさないかもしれない（すなわち、ＵＥ１１５−ａは、遷移ウインドウ３３０の間に受信機処理を実行するために第２の帯域幅部分２１５上で受信した基準信号を使用するかもしれないからである）。しかしながら、更新されたＴＣＩ状態が第２の帯域幅部分２１５中で構成され、更新されたＴＣＩ状態が有効である時間期間が遷移ウインドウ３３０を超えて延びる場合、ＵＥ１１５−ａは、遷移ウインドウ３３０の後に、受信機処理を実行するための基準信号を識別するために、更新されたＴＣＩ状態を使用するか否かを決定してもよい。１つの例では、更新されたＴＣＩ状態の表示は、第１の帯域幅部分２１０中ではなく第２の帯域幅部分２１５中の更新されたＱＣＬ関連性を示すために使用してもよい。別の例では、更新されたＴＣＩ状態は、第２の帯域幅部分２１５および第１の帯域幅部分２１０中の更新されたＱＣＬ関連性を示すために使用してもよい。さらに別の例では、更新されたＴＣＩ状態が有効である時間期間が遷移ウインドウ３３０を超えて延びることから、更新されたＴＣＩ状態の表示を無視してもよい。
【００６５】
［００７３］
上記で説明した技術は、オーバーラップしない第２の帯域幅部分２１５から遷移した後に、第１の帯域幅部分２１０上でのダウンリンク送信を復調するための受信機処理を実行することに関連するが、オーバーラップする第２の帯域幅部分２１５上で受信した基準信号を使用して、第１の帯域幅部分２１０上でのダウンリンク送信を復調するための受信機処理を実行するために、同じ技術を使用してもよいことを理解されたい。図４は、搬送波２０５中に含まれていてもよい（すなわち、異なる周波数帯域に渡る）異なる帯域幅部分４００の例を図示している。１つの例では、搬送波２０５−ａは、第２の帯域幅部分２１５−ａと、第２の帯域幅部分２１５−ａよりも広い周波数帯域とオーバーラップし、第２の帯域幅部分２１５−ａよりも広い周波数帯域に及ぶ第１の帯域幅部分２１０−ａとを含んでいてもよい。別の例では、搬送波２０５−ｂは、第２の帯域幅部分２１５−ｂと、第２の帯域幅部分２１５−ｂよりも狭い周波数帯域とオーバーラップし、第２の帯域幅部分２１５−ｂよりも狭い周波数帯域に及ぶ第１の帯域幅部分２１０−ｂとを含んでいてもよい。さらに別の例では、搬送波２０５−ｃは、第２の帯域幅部分２１５−ｃと、第２の帯域幅部分２１５−ｃと部分的にオーバーラップする第１の帯域幅部分２１０−ｃとを含んでいてもよい。これらの例のそれぞれでは、ＵＥ１１５−ａは、第２の帯域幅部分２１５上での通信から第１の帯域幅部分２１０上での通信に遷移した後に、第２の帯域幅部分２１５上で受信した基準信号を使用して、第１の帯域幅部分２１０上でのダウンリンク送信を復調するための受信機処理を実行してもよい。
【００６６】
［００７４］
図５は、本開示のさまざまな態様にしたがう、帯域幅部分切り替えの間のＱＣＬ仮定をサポートするプロセスフロー５００の例を図示している。プロセスフロー５００は、基地局１０５−ｂによって実行される技術の態様を図示しており、これは、図１〜４を参照して説明した基地局１０５の例であってもよい。プロセスフロー５００は、ＵＥ１１５−ｂによって実行される技術の態様も図示しており、これは、図１〜４を参照して説明したＵＥ１１５の例であってもよい。以下で説明する技術は、１つの帯域幅部分から別の帯域幅部分への単一の遷移に向けられているが、これらの技術は、１つの帯域幅部分上での通信から別の帯域幅部分上での通信にＵＥ１１５−ｂが遷移するたびに適用してもよいことを理解されたい。
【００６７】
［００７５］
５０５において、基地局１０５−ｂは、第２の帯域幅部分上でＵＥ１１５−ｂと通信してもよい。ある時間期間の間、第２の帯域幅部分上で基地局１０５−ｂと通信した後に、ＵＥ１１５−ｂは、基地局１０５−ｂと通信するために、第１の帯域幅部分に遷移するように構成されていてもよい。例えば、５１０において、ＵＥ１１５−ｂは、第１の帯域幅部分上での基地局１０５−ｂとの通信をスケジューリングするＤＣＩメッセージを受信してもよい。代替的に、ＵＥ１１５−ｂは、タイマーが満了した後に、第１の帯域幅部分上での通信に遷移するように構成されていてもよい。いずれのケースにおいても、５１５において、ＵＥ１１５−ｂは、基地局１０５−ｂとの通信のために、第１の帯域幅部分を識別してもよい。
【００６８】
［００７６］
５２０において、基地局１０５−ｂは、データのダウンリンク送信を発生させてもよく、次いで、ＵＥ１１５−ｂは、第１の帯域幅部分上において遷移時間ウインドウ中でデータ（および、付随する復調基準信号（ＤＭＲＳ））を受信してもよい。ＵＥ１１５−ｂは、第１の帯域幅部分上で受信したデータを復調するための受信機処理を実行するための（すなわち、基準信号とＱＣＬパラメータの複数のセットのうちのＱＣＬパラメータのセットとに対応する）ＴＣＩ状態を識別するかもしれないが、ＵＥ１１５−ｂは、第１の帯域幅部分上で何らかの基準信号を受信する前に、データを受信するようにスケジューリングされているかもしれない。
【００６９】
［００７７］
したがって、ここで説明する技術を使用して、５２５において、ＵＥ１１５−ｂは、第２の帯域幅部分上で受信した基準信号を使用して、第１の帯域幅部分上で受信したデータ（および、付随するＤＭＲＳ）を復調するための受信機処理を実行してもよい。すなわち、ＵＥ１１５−ｂは、第１の帯域幅部分上における遷移時間ウインドウ中のＰＤＳＣＨにおける送信のＱＣＬパラメータ（例えば、ドップラーパラメータ、平均遅延パラメータ、ドップラーシフトパラメータ、および／または、空間受信パラメータ）が、第２の帯域幅部分上で受信した基準信号から導出されてもよいことを示すＱＣＬ仮定を識別してもよい（すなわち、遷移時間ウインドウ中でデータを送信するために使用されるアンテナポートが、第２の帯域幅部分中で基準信号を送信するために使用されるアンテナポートと擬似コロケートされていることをＱＣＬ仮定は、示しているかもしれないからである）。
【００７０】
［００７８］
いくつかのケースでは、第２の帯域幅部分上で受信した基準信号を使用して、第１の帯域幅部分上で受信したデータを復調するための受信機処理を実行するためのＱＣＬパラメータをＵＥ１１５−ｂが導出すべきであることを示すインジケータ（例えば、ＤＣＩ中のＴＣＩフィールド）を、ＵＥ１１５−ｂが受信してもよい。ＵＥ１１５−ｂは、遷移時間ウインドウの間に第１の帯域幅部分上で受信した何らかの送信に対して、第２の帯域幅部分上で受信した基準信号を使用して受信機処理を実行するために、これらの技術を使用してもよい。いくつかのケースでは、ＵＥ１１５−ｂは、（すなわち、基地局１０５−ｂから）遷移時間ウインドウの持続時間を示す、ＲＲＣシグナリング、ＤＣＩ、または、制御要素を受信してもよい。代替的に、ＵＥ１１５−ｂは、（例えば、帯域幅部分毎に）遷移時間ウインドウの持続時間をローカルに記憶していてもよい。
【００７１】
［００７９］
さらに、遷移時間ウインドウの持続時間は、第１の帯域幅部分上の基準信号送信の周期の関数であってもよい。追加的にまたは代替的に、遷移時間ウインドウは、第１の帯域幅部分上で受信する第１の基準信号（例えば、ＴＲＳ）まで第１の帯域幅部分上の時間期間に及んでいてもよい。例えば、基準信号が２０ｍｓ毎に送信されるようにスケジューリングされている場合、遷移ウインドウは、ＵＥ１１５−ｂが第１の帯域幅部分上の通信に遷移した後の最初の１９ｍｓに及んでいてもよい。追加的にまたは代替的に、遷移時間ウインドウは、第１の帯域幅部分上の規定された数の基準信号送信（例えば、１、２、３等の基準信号送信）に及んでいてもよい。例えば、基準信号が２０ｍｓ毎に送信されるようにスケジューリングされている場合、遷移ウインドウは、（例えば、１つの基準信号送信に及び、ＵＥ１１５−ｂが基準信号を処理するために２ｍｓを提供する）２２ｍｓに及んでいてもよく、または、（例えば、４つの基準信号送信に及び、ＵＥ１１５−ｂが第４の基準信号を処理し、その後、第１の帯域幅部分の基準信号から導出したＱＣＬパラメータに基づいて、制御および／またはデータ信号（例えば、ＰＤＳＣＨおよび／またはＰＤＣＣＨ）を受信するために２ｍｓを提供する）８２ｍｓに及んでいてもよい。遷移時間ウインドウの長さにかかわらず、いったんＵＥ１１５−ｂが第１の帯域幅部分上で少なくとも１つの基準信号を受信して処理すると、ＵＥ１１５−ｂは、この基準信号を使用して、受信機処理を実行するように構成されていてもよい。
【００７２】
［００８０］
いくつかのケースでは、ＵＥ１１５−ｂはまた、第１の帯域幅部分上で受信した基準信号が第２の帯域幅部分上で受信した（または、受信されることになる）基準信号と擬似コロケートされているか否かの表示を（例えば、ＲＲＣシグナリング、ＤＣＩ、または、ＭＡＣ−ＣＥのような制御要素中で基地局１０５−ｂから）受信してもよい。ＵＥ１１５−ｂが、（例えば、表示に基づいて）第１の帯域幅部分上で受信した基準信号が第２の帯域幅部分上で受信した基準信号と擬似コロケートされていることを決定する場合、ＵＥ１１５−ｂは、第１の帯域幅部分上で受信した基準信号と第２の帯域幅上で受信した基準信号ともに同じフィルタを適用してもよい（すなわち、第１の帯域幅部分上で受信した基準信号と第２の帯域幅上で受信した基準信号とを非コヒーレントまたはコヒーレントにフィルタリングしてもよい）。いくつかの例では、遅延拡散のようないくつかのＱＣＬパラメータについて、基準信号を、非コヒーレントにフィルタリングしてもよい。代替的に、（例えば、表示に基づいて）第１の帯域幅部分上で受信した基準信号が第２の帯域幅部分上で受信した基準信号と擬似コロケートされていないことをＵＥ１１５−ｂが決定する場合、ＵＥ１１５−ｂは、第１の帯域幅部分上で受信した基準信号と第２の帯域幅部分上で受信した基準信号とに同じフィルタを適用しないことを決定してもよい（すなわち、ＵＥ１１５−ｂは、第１の帯域幅部分上で受信した基準信号に対して、フィルタリングプロセスを再開してもよい）。
【００７３】
［００８１］
いくつかのケースでは、遷移時間ウインドウが満了した後に、基地局１０５−ｂは、データの別のダウンリンク送信を発生させてもよく、５３０において、基地局１０５−ｂは、遷移時間ウインドウが満了した後に、ＰＤＳＣＨ中でデータを送信してもよい。ダウンリンク送信は遷移時間ウインドウの間にないかもしれないことから、ＵＥ１１５−ｂは、第１の帯域幅部分上で十分な基準信号を受信して、第１の帯域幅部分上で受信した基準信号を使用して、第１の帯域幅部分上のデータを復調するための受信機処理を実行するかもしれない。したがって、５３５において、ＵＥ１１５−ｂは、第１の帯域幅部分上で受信した基準信号を使用して、第１の帯域幅部分上で受信したデータを復調するための受信機処理を実行してもよい。受信機処理を実行するために使用される基準信号、そして、これらの基準信号から導出されるＱＣＬパラメータは、（もしあれば）ダウンリンク送信をスケジューリングするために使用されるＤＣＩ中で示されるＴＣＩ状態に、または、上位レイヤシグナリングを介して示されるＴＣＩ状態に基づいて決定されてもよい。
【００７４】
［００８２］
上記で説明した技術は、基地局１０５−ｂからダウンリンク送信を受信するために、第２の帯域幅部分から第１の帯域幅部分に遷移するＵＥ１１５−ｂに向けられているが、ＵＥ１１５−ｂは、アップリンク送信を（例えば、アップリンクビームを使用して）（例えば、物理アップリンク制御チャネル（ＰＵＣＣＨ）または物理アップリンク共有チャネル（ＰＵＳＣＨ）において）基地局１０５−ｂに送信するために、第２の帯域幅部分から第１の帯域幅部分に遷移してもよいことを理解されたい。このケースでは、基地局１０５−ｂは、第２の帯域幅部分上でＵＥ１１５−ｂから受信した基準信号（例えば、アップリンクサウンディング基準信号（ＳＲＳ））、または、第２の帯域幅部分上でＵＥ１１５−ｂに送信される基準信号（例えば、ダウンリンク基準信号）に基づいて、遷移時間ウインドウの間の第１の帯域幅部分上でのアップリンク送信を復調するための受信機処理を実行してもよい。
【００７５】
［００８３］
図６は、本開示の態様にしたがう、帯域幅部分切り替えの間のＱＣＬ仮定をサポートするワイヤレスデバイス６０５のブロックダイヤグラム６００を示している。ワイヤレスデバイス６０５は、ここで説明したようなＵＥ１１５の態様の例であってもよい。ワイヤレスデバイス６０５は、受信機６１０と、ＵＥ通信マネージャー６１５と、送信機６２０とを含んでいてもよい。ワイヤレスデバイス６０５はまた、プロセッサを含んでいてもよい。これらのコンポーネントのそれぞれは、（例えば、１つ以上のバスを介して）互いに通信してもよい。
【００７６】
［００８４］
受信機６１０は、さまざまな情報チャネル（例えば、制御チャネル、データチャネル、および、帯域幅部分切り替えの間のＱＣＬ仮定に関連する情報等）に関係付けられている、パケット、ユーザデータ、または、制御情報のような情報を受信してもよい。情報は、デバイスの他のコンポーネントに伝えられてもよい。受信機６１０は、図９を参照して説明するトランシーバ９３５の態様の例であってもよい。受信機６１０は、単一のアンテナまたはアンテナのセットを利用してもよい。
【００７７】
［００８５］
ＵＥ通信マネージャー６１５は、図９を参照して説明するＵＥ通信マネージャー９１５の態様の例であってもよい。ＵＥ通信マネージャー６１５および／またはそのさまざまなサブコンポーネントのうち少なくともいくつかは、ハードウェア、プロセッサによって実行されるソフトウェア、ファームウェア、または、これらの任意の組み合わせで実現してもよい。プロセッサによって実行されるソフトウェア中で実現する場合、ＵＥ通信マネージャー６１５および／またはそのさまざまなサブコンポーネントのうちの少なくともいくつかの機能は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、本開示において説明した機能を実行するように設計されている、これら任意の組み合わせによって実行してもよい。
【００７８】
［００８６］
ＵＥ通信マネージャー６１５および／またはそのさまざまなサブコンポーネントのうちの少なくともいくつかは、機能の一部分が１つ以上の物理的デバイスによって異なる物理的ロケーションにおいて実現されるように分散されることを含め、さまざまなポジションに物理的に位置付けられていてもよい。いくつかの例では、ＵＥの通信マネージャー６１５および／またはそのさまざまなサブコンポーネントのうちの少なくともいくつかは、本開示のさまざまな態様にしたがう、別のおよび別個のコンポーネントであってもよい。他の例では、ＵＥ通信マネージャー６１５および／またはそのさまざまなサブコンポーネントのうちの少なくともいくつかは、１つ以上の他のハードウェアコンポーネントと組み合わされてもよく、１つ以上の他のハードウェアコンポーネントは、Ｉ／Ｏコンポーネント、トランシーバ、ネットワークサーバ、別のコンピューティングデバイス、本開示で説明した１つ以上の他のコンポーネント、または、本開示のさまざまな態様したがうこれらの組み合わせを含むが、これらに限定されない。
【００７９】
［００８７］
ＵＥ通信マネージャー６１５は、第２の帯域幅部分の基準信号から第１の帯域幅部分に対するＤＭＲＳのためのＱＣＬ仮定を導出することを示すインジケータを受信し、第２の帯域幅部分から第１の帯域幅部分に切り替えるようにＵＥに命令する許可を第２の帯域幅部分中で受信し、ＱＣＬ仮定に基づいて、ＵＥが許可を受信した後に生じる遷移時間ウインドウ内で受信した第１の帯域幅部分中の送信を復調してもよい。
【００８０】
［００８８］
送信機６２０は、デバイスの他のコンポーネントによって発生された信号を送信してもよい。いくつかの例では、送信機６２０は、トランシーバモジュール中で受信機６１０と同じ位置に配置されていてもよい。例えば、送信機６２０は、図９を参照して説明するトランシーバ９３５の態様の例であってもよい。送信機６２０は、単一のアンテナまたはアンテナのセットを利用してもよい。
【００８１】
［００８９］
図７は、本開示の態様にしたがう、帯域幅部分切り替えの間のＱＣＬ仮定をサポートするワイヤレスデバイス７０５のブロックダイヤグラム７００を示している。ワイヤレスデバイス７０５は、図６を参照して説明したような、ワイヤレスデバイス６０５またはＵＥ１１５の態様の例であってもよい。ワイヤレスデバイス７０５は、受信機７１０と、ＵＥ通信マネージャー７１５と、送信機７２０とを含んでいてもよい。ＵＥ通信マネージャー７１５は、図９を参照して説明するＵＥ通信マネージャー９１５の態様の例であってもよい。ＵＥ通信マネージャー７１５は、ＱＣＬマネージャー７２５と、ＤＣＩマネージャー７３０と、復調器７３５とを含んでいてもよい。ワイヤレスデバイス７０５はまた、プロセッサを含んでいてもよい。これらのコンポーネントのそれぞれは、（例えば、１つ以上のバスを介して）互いに通信してもよい。
【００８２】
［００９０］
受信機７１０は、さまざまな情報チャネル（例えば、制御チャネル、データチャネル、および、帯域幅部分切り替えの間のＱＣＬ仮定に関連する情報等）に関係付けられた、パケット、ユーザデータ、または、制御情報のような情報を受信してもよい。情報は、デバイスの他のコンポーネントに伝えられてもよい。受信機７１０は、図９を参照して説明するトランシーバ９３５の態様の例であってもよい。受信機７１０は、単一のアンテナまたはアンテナのセットを利用してもよい。
【００８３】
［００９１］
ＱＣＬマネージャー７２５は、第２の帯域幅部分の基準信号から第１の帯域幅部分に対するＤＭＲＳのためのＱＣＬ仮定を導出することを示すインジケータを受信してもよい。ＤＣＩマネージャー７３０は、第２の帯域幅部分から第１の帯域幅部分に切り替えるようにＵＥに命令する許可を第２の帯域幅部分中で受信してもよい。復調器７３５は、ＱＣＬ仮定に基づいて、ＵＥが許可を受信した後に生じる遷移時間ウインドウ内で受信した第１の帯域幅部分中の送信を復調してもよい。
【００８４】
［００９２］
送信機７２０は、デバイスの他のコンポーネントによって発生された信号を送信してもよい。いくつかの例では、送信機７２０は、トランシーバモジュール中で受信機７１０と同じ位置に配置されていてもよい。例えば、送信機７２０は、図９を参照して説明するトランシーバ９３５の態様の例であってもよい。送信機７２０は、単一のアンテナまたはアンテナのセットを利用してもよい。
【００８５】
［００９３］
図８は、本開示の態様にしたがう、帯域幅部分切り替えの間のＱＣＬ仮定をサポートするＵＥ通信マネージャー８１５のブロックダイヤグラム８００を示している。ＵＥ通信マネージャー８１５は、図６、７、および、９を参照して説明するＵＥ通信マネージャー６１５、ＵＥ通信マネージャー７１５、または、ＵＥ通信マネージャー９１５の態様の例であってもよい。ＵＥ通信マネージャー８１５は、ＱＣＬマネージャー８２０と、ＤＣＩマネージャー８２５と、復調器８３０と、基準信号フィルタ８３５と、遷移時間ウインドウマネージャー８４０と、ＴＣＩマネージャー８４５とを含んでいてもよい。これらのモジュールのそれぞれは、（例えば、１つ以上のバスを介して）互いに直接的にまたは間接的に通信してもよい。
【００８６】
［００９４］
ＱＣＬマネージャー８２０は、第２の帯域幅部分の基準信号から第１の帯域幅部分に対するＤＭＲＳのためのＱＣＬ仮定を導出することを示すインジケータを受信してもよい。ＤＣＩマネージャー８２５は、第２の帯域幅部分から第１の帯域幅部分に切り替えるようにＵＥに命令する許可を第２の帯域幅部分中で受信してもよい。復調器８３０は、ＱＣＬ仮定に基づいて、ＵＥが許可を受信した後に生じる遷移時間ウインドウ内で受信した第１の帯域幅部分中の送信を復調してもよい。いくつかのケースでは、ＵＥ通信マネージャー８１５と通信している受信機は、送信のための第１の帯域幅部分の共有データチャネルまたは制御チャネルを監視してもよい。
【００８７】
［００９５］
いくつかのケースでは、インジケータは、第２の帯域幅部分の基準信号が第１の帯域幅部分の第２の基準信号と相互帯域幅部分擬似コロケートされていることを示す。このようなケースでは、基準信号フィルタ８３５は、第１および第２の帯域幅部分に渡って基準信号および第２の基準信号をフィルタリングして、ＱＣＬパラメータを決定してもよく、第１の帯域幅部分中の送信は、ＱＣＬパラメータに基づいて復調される。他のケースでは、インジケータは、第２の帯域幅部分の基準信号が第１の帯域幅部分の第２の基準信号と相互帯域幅部分擬似コロケートされていないことを示す。このようなケースでは、基準信号フィルタ８３５は、第１および第２の帯域幅部分に渡って基準信号および第２の基準信号をフィルタリングしないことを決定してもよい。
【００８８】
［００９６］
いくつかのケースでは、遷移時間ウインドウマネージャー８４０は、遷移時間ウインドウが満了したことを決定してもよい。このようなケースでは、ＱＣＬマネージャー８２０は、第１の帯域幅部分の基準信号から第１の帯域幅部分に対するＤＭＲＳのための第２のＱＣＬ仮定を導出してもよく、復調器８３０は、遷移時間ウインドウが満了した後に、第２のＱＣＬ仮定に基づいて、第１の帯域幅部分中の第２の送信を復調してもよい。いくつかのケースでは、ＱＣＬ仮定は、第２の帯域幅部分の基準信号に基づいて、第１の帯域幅部分に対するＱＣＬパラメータを導出することを示し、第１の帯域幅部分中の送信は、ＱＣＬパラメータに基づいて復調される。いくつかのケースでは、ＱＣＬパラメータは、遅延拡散パラメータ、ドップラーパラメータ、平均遅延パラメータ、ドップラーシフトパラメータ、空間受信パラメータ、または、これらの任意の組み合わせである。いくつかのケースでは、復調器８３０は、遷移時間ウインドウの持続時間を示す、ＲＲＣシグナリング、または、ＤＣＩ、または、制御要素を受信してもよい。
【００８９】
［００９７］
いくつかのケースでは、ＱＣＬマネージャー８２０は、第２の帯域幅部分の基準信号が第１の帯域幅部分の第２の基準信号と相互帯域幅部分擬似コロケートされているか否かを示す、ＲＲＣシグナリング、または、ＤＣＩ、または、制御要素を受信する。いくつかのケースでは、ＵＥ通信マネージャー８１５は、遷移時間ウインドウの持続時間をローカルに記憶する。いくつかのケースでは、遷移時間ウインドウの持続時間は、第１の帯域幅部分の第２の基準信号の周期の関数である。いくつかのケースでは、基準信号は、ＣＳＩ−ＲＳ、ＳＳＢ、または、ＴＲＳである。いくつかのケースでは、インジケータは、異なるＱＣＬパラメータセットのセットからのＱＣＬパラメータセットを示すＴＣＩである。
【００９０】
［００９８］
ＴＣＩマネージャー８４５は、第２の帯域幅部分に対する構成されたＴＣＩ状態に基づいて、第１の帯域幅部分に対するＴＣＩ状態を導出してもよい。いくつかのケースでは、ＴＣＩマネージャー８４５は、異なるＴＣＩ状態のセットのうちの、第１の帯域幅部分に対する第１のＴＣＩ状態を利用するようにＵＥを構成するコンフィギュレーション情報を受信してもよく、ＴＣＩ状態のセットの各ＴＣＩ状態は、少なくとも１つの基準信号を識別し、第２の帯域幅部分中で方向送信を受信するように構成されている受信ビームに対するパラメータを含み、ＴＣＩマネージャー８４５は、第１のＴＣＩ状態にしたがって、第１の帯域幅部分中の送信を受信するように受信機と調整してもよい。
【００９１】
［００９９］
いくつかのケースでは、ＴＣＩマネージャー８４５は、第２の帯域幅部分中のＴＣＩ解釈を利用するようにＵＥを構成する制御要素を許可の前に受信し、制御要素の適用時間が遷移時間ウインドウ内で生じることを決定し、ＴＣＩ解釈にしたがって、第１の帯域幅部分中の送信を受信するように受信機と調整してもよい。いくつかのケースでは、ＴＣＩマネージャー８４５は、第２の帯域幅部分中のＴＣＩ解釈を利用するようにＵＥを構成する制御要素を許可の前に受信してもよく、ＴＣＩマネージャー８４５は、遷移時間ウインドウの後に延びる制御要素の適用時間に基づいて、遷移時間ウインドウの間に第１の帯域幅部分中で受信した送信に対してＴＣＩ解釈を適用するか拒否するかを決定してもよい。
【００９２】
［０１００］
いくつかのケースでは、送信はｃｏｒｅｓｅｔであり、復調器８３０は、ＱＣＬ仮定に基づいて、第１の帯域幅部分中のｃｏｒｅｓｅｔを復調してもよい。いくつかのケースでは、送信は第１のｃｏｒｅｓｅｔであり、復調器８３０は、第１の帯域幅部分中の第１のｃｏｒｅｓｅｔおよび第２のｃｏｒｅｓｅｔをマッピングし、ＱＣＬ仮定とマッピングとに基づいて、第１のｃｏｒｅｓｅｔおよび第２のｃｏｒｅｓｅｔを復調してもよい。
【００９３】
［０１０１］
図９は、本開示の態様にしたがう、帯域幅部分切り替えの間のＱＣＬ仮定をサポートするデバイス９０５を含むシステム９００のダイヤグラムを示している。デバイス９０５は、例えば、図６および７を参照して上記で説明したようなワイヤレスデバイス６０５、ワイヤレスデバイス７０５、または、ＵＥ１１５のコンポーネントの例であってもよいか、または、これらを含んでいてもよい。デバイス９０５は、ＵＥ通信マネージャー９１５と、プロセッサ９２０と、メモリ９２５と、ソフトウェア９３０と、トランシーバ９３５と、アンテナ９４０と、Ｉ／Ｏ制御装置９４５とを含み、通信を送信および受信するためのコンポーネントを含む双方向の音声およびデータ通信のためのコンポーネントを含んでいてもよい。これらのコンポーネントは、１つ以上のバス（例えば、バス９１０）を介して電子通信してもよい。デバイス９０５は、１つ以上の基地局１０５とワイヤレスに通信してもよい。
【００９４】
［０１０２］
プロセッサ９２０は、インテリジェントハードウェアデバイス（例えば、汎用プロセッサ、ＤＳＰ、中央処理ユニット（ＣＰＵ）、マイクロ制御装置、ＡＳＩＣ、ＦＰＧＡ、プログラム可能論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ９２０は、メモリ制御装置を使用して、メモリアレイを動作させるように構成されていてもよい。他のケースでは、メモリ制御装置は、プロセッサ９２０に統合されていてもよい。プロセッサ９２０は、メモリ中に記憶されているコンピュータ読取可能命令を実行して、さまざまな機能（例えば、帯域幅部分切り替えの間のＱＣＬ仮定をサポートする機能またはタスク）を実行するように構成されていてもよい。
【００９５】
［０１０３］
メモリ９２５は、ランダムアクセスメモリ（ＲＡＭ）およびリードオンリーメモリ（ＲＯＭ）を含んでいてもよい。メモリ９２５は、実行されるとき、プロセッサに、ここで説明したさまざまな機能を実行させる命令を含む、コンピュータ読取可能、コンピュータ実行可能ソフトウェアコード９３０を記憶していてもよい。いくつかのケースでは、メモリ９２５は、とりわけ、周辺コンポーネントまたはデバイスとの対話のような基本ハードウェアまたはソフトウェア動作を制御できる基本入力／出力システム（ＢＩＯＳ）を含んでいてもよい。
【００９６】
［０１０４］
ソフトウェア９３０は、帯域幅部分切り替えの間のＱＣＬ仮定をサポートするためのコードを含む、本開示の態様を実現するためのコードを含んでいてもよい。ソフトウェア９３０は、システムメモリまたは他のメモリのような非一時的コンピュータ読取可能媒体中に記憶されていてもよい。いくつかのケースでは、ソフトウェア９３０は、プロセッサによって直接実行可能でないかもしれないが、（例えば、コンパイルして実行するとき）コンピュータに、ここで説明した機能を実行させてもよい。
【００９７】
［０１０５］
トランシーバ９３５は、上記で説明したように、１つ以上のアンテナ、ワイヤードまたはワイヤレスリンクを介して、双方向に通信してもよい。例えば、トランシーバ９３５は、ワイヤレストランシーバを表していてもよく、別のワイヤレストランシーバと双方向に通信してもよい。トランシーバ９３５は、パケットを変調して、変調したパケットを送信のためにアンテナに提供し、アンテナから受け取ったパケットを復調するためのモデムも含んでいてもよい。
【００９８】
［０１０６］
いくつかのケースでは、ワイヤレスデバイスは、単一のアンテナ９４０を含んでいてもよい。しかしながら、いくつかのケースでは、デバイスは、１つより多くのアンテナ９４０を有してもよく、これらは、複数のワイヤレス送信を同時に送信または受信することが可能であってもよい。
【００９９】
［０１０７］
Ｉ／Ｏ制御装置９４５は、デバイス９０５に対する入力および出力信号を管理してもよい。Ｉ／Ｏ制御装置９４５は、デバイス９０５に統合されていない周辺機器も管理してもよい。いくつかのケースでは、Ｉ／Ｏ制御装置９４５は、外部周辺機器への物理的な接続またはポートを表していてもよい。いくつかのケースでは、Ｉ／Ｏ制御装置９４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または、他の既知のオペレーティングシステムのようなオペレーティングシステムを利用してもよい。他のケースでは、Ｉ／Ｏ制御装置９４５は、モデム、キーボード、マウス、タッチスクリーン、または、同様のデバイスを表していてもよく、または、これらと対話してもよい。いくつかのケースでは、Ｉ／Ｏ制御装置９４５を、プロセッサの一部として実現してもよい。いくつかのケースでは、ユーザは、Ｉ／Ｏ制御装置９４５を介して、または、Ｉ／Ｏ制御装置９４５により制御されるハードウェアコンポーネントを介して、デバイス９０５と対話してもよい。
【０１００】
［０１０８］
図１０は、本開示の態様にしたがう、帯域幅部分切り替えの間のＱＣＬ仮定をサポートするワイヤレスデバイス１００５のブロックダイヤグラム１０００を示している。ワイヤレスデバイス１００５は、ここで説明したような基地局１０５の態様の例であってもよい。ワイヤレスデバイス１００５は、受信機１０１０と、基地局通信マネージャー１０１５と、送信機１０２０とを含んでいてもよい。ワイヤレスデバイス１００５は、プロセッサも含んでいてもよい。これらのコンポーネントのそれぞれは、（例えば、１つ以上のバスを介して）互いに通信してもよい。
【０１０１】
［０１０９］
受信機１０１０は、さまざまな情報チャネル（例えば、制御チャネル、データチャネル、および、帯域幅部分切り替えの間のＱＣＬ仮定に関連する情報等）に関係付けられている、パケット、ユーザデータ、または、制御情報のような情報を受信してもよい。情報は、デバイスの他のコンポーネントに伝えられてもよい。受信機１０１０は、図１３を参照して説明するトランシーバ１３３５の態様の例であってもよい。受信機１０１０は、単一のアンテナまたはアンテナのセットを利用してもよい。
【０１０２】
［０１１０］
基地局通信マネージャー１０１５は、図１３を参照して説明する基地局通信マネージャー１３１５の態様の例であってもよい。基地局通信マネージャー１０１５および／またはそのさまざまなサブコンポーネントのうちの少なくともいくつかは、ハードウェア、プロセッサによって実行されるソフトウェア、ファームウェア、または、これらの任意の組み合わせで実現してもよい。プロセッサによって実行されるソフトウェアにおいて実現する場合、基地局通信マネージャー１０１５および／またはそのさまざまなサブコンポーネントのうちの少なくともいくつかの機能は、汎用プロセッサ、ＤＳＰ、ＡＳＩＣ、ＦＰＧＡまたは他のプログラム可能論理デバイス、ディスクリートゲートまたはトランジスタ論理、ディスクリートハードウェアコンポーネント、あるいは、本開示で説明する機能を実行するように設計されているこれらの任意の組み合わせによって実行してもよい。
【０１０３】
［０１１１］
基地局通信マネージャー１０１５および／またはそのさまざまなサブコンポーネントのうちの少なくともいくつかは、機能の一部分が１つ以上の物理的デバイスによって異なる物理的ロケーションにおいて実現されるように分散されることを含め、さまざまなポジションに物理的に位置付けられていてもよい。いくつかの例では、基地局通信マネージャー１０１５および／またはそのさまざまなサブコンポーネントのうちの少なくともいくつかは、本開示のさまざまな態様にしたがう別のおよび別個のコンポーネントであってもよい。他の例では、基地局通信マネージャー１０１５および／そのさまざまなサブコンポーネントのうちの少なくともいくつかは、１つ以上の他のハードウェアコンポーネントと組み合わされてもよく、１つ以上の他のハードウェアコンポーネントは、Ｉ／Ｏコンポーネント、トランシーバ、ネットワークサーバ、別のコンピューティングデバイス、本開示で説明する他の１つ以上のコンポーネント、または、本開示のさまざまな態様にしたがうこれらの組み合わせを含むが、これらに限定されない。
【０１０４】
［０１１２］
基地局通信マネージャー１０１５は、第２の帯域幅部分の基準信号から第１の帯域幅部分に対するＤＭＲＳのためのＱＣＬ仮定を導出することを示すインジケータをＵＥに送信し、第２の帯域幅部分から第１の帯域幅部分に切り替えるようにＵＥに命令する許可を第２の帯域幅部分中で送信し、ＱＣＬ仮定にしたがって送信を発生させ、第２の帯域幅部分から第１の帯域幅部分に切り替えるようにＵＥが命令された後に生じる遷移時間ウインドウの間に、第１の帯域幅部分中で送信を送信するように送信機１０２０と調整してもよい。
【０１０５】
［０１１３］
送信機１０２０は、デバイスの他のコンポーネントによって発生された信号を送信してもよい。いくつかの例では、送信機１０２０は、トランシーバモジュール中で受信機１０１０と同じ位置に配置されていてもよい。例えば、送信機１０２０は、図１３を参照して説明するトランシーバ１３３５の態様の例であってもよい。送信機１０２０は、単一のアンテナまたはアンテナのセットを利用してもよい。
【０１０６】
［０１１４］
図１１は、本開示の態様にしたがう、帯域幅部分切り替えの間のＱＣＬ仮定をサポートするワイヤレスデバイス１１０５のブロックダイヤグラム１１００を示している。ワイヤレスデバイス１１０５は、図１０を参照して説明したような、ワイヤレスデバイス１００５または基地局１０５の態様の例であってもよい。ワイヤレスデバイス１１０５は、受信機１１１０と、基地局通信マネージャー１１１５と、送信機１１２０とを含んでいてもよい。基地局通信マネージャー１１１５は、図１３を参照して説明する基地局通信マネージャー１３１５の態様の例であってもよい。基地局通信マネージャー１１１５は、ＱＣＬマネージャー１２５と、ＤＣＩマネージャー１１３０と、送信発生器１１３５とを含んでいてもよい。ワイヤレスデバイス１１０５はまた、プロセッサを含んでいてもよい。これらのコンポーネントのそれぞれは、（例えば、１つ以上のバスを介して）互いに通信してもよい。
【０１０７】
［０１１５］
受信機１１１０は、さまざまな情報チャネル（例えば、制御チャネル、データチャネル、および、帯域幅部分切り替えの間のＱＣＬ仮定に関連する情報等）に関係付けられている、パケット、ユーザデータ、または、制御情報のような情報を受信してもよい。情報は、デバイスの他のコンポーネントに伝えられてもよい。受信機１１１０は、図１３を参照して説明するトランシーバ１３３５の態様の例であってもよい。受信機１１１０は、単一のアンテナまたはアンテナのセットを利用してもよい。
【０１０８】
［０１１６］
ＱＣＬマネージャー１１２５は、第２の帯域幅部分の基準信号から第１の帯域幅部分に対するＤＭＲＳのためのＱＣＬ仮定を導出することを示すインジケータをＵＥに送信してもよい。ＤＣＩマネージャー１１３０は、第２の帯域幅部分から第１の帯域幅部分に切り替えるようにＵＥに命令する許可を第２の帯域幅部分中で送信してもよい。送信発生器１１３５は、ＱＣＬ仮定にしたがって送信を発生させてもよい。基地局通信マネージャー１１１５は、次いで、送信機１１２０と調整して、第２の帯域幅部分から第１の帯域幅部分に切り替えるようにＵＥが命令された後に生じる遷移時間ウインドウの間に、第１の帯域幅部分中で送信を送信してもよい。
【０１０９】
［０１１７］
送信機１１２０は、デバイスの他のコンポーネントによって発生された信号を送信してもよい。いくつかの例では、送信機１１２０は、トランシーバモジュール中で受信機１１１０と同じ位置に配置されていてもよい。例えば、送信機１１２０は、図１３を参照して説明するトランシーバ１３３５の態様の例であってもよい。送信機１１２０は、単一のアンテナまたはアンテナのセットを利用してもよい。
【０１１０】
［０１１８］
図１２は、本開示の態様にしたがう、帯域幅部分切り替えの間のＱＣＬ仮定をサポートする基地局通信マネージャー１２１５のブロックダイヤグラム１２００を示している。基地局通信マネージャー１２１５は、図１０、１１、および、１３を参照して説明する基地局通信マネージャー１３１５の態様の例であってもよい。基地局通信マネージャー１２１５は、ＱＣＬマネージャー１２２０と、ＤＣＩマネージャー１２２５と、送信発生器１２３０と、遷移時間ウインドウマネージャー１２３５とを含んでいてもよい。これらのモジュールのそれぞれは、（例えば、１つ以上のバスを介して）互いに直接的にまたは間接的に通信してもよい。
【０１１１】
［０１１９］
ＱＣＬマネージャー１２２０は、第２の帯域幅部分の基準信号から第１の帯域幅部分に対するＤＭＲＳのためのＱＣＬ仮定を導出することを示すインジケータをＵＥに送信してもよい。ＤＣＩマネージャー１２２５は、第２の帯域幅部分から第１の帯域幅部分に切り替えるようにＵＥに命令する許可を第２の帯域幅部分中で送信してもよい。送信発生器１２３０は、ＱＣＬ仮定にしたがって送信を発生させてもよい。基地局通信マネージャー１２１５は、次いで、送信機と調整して、第２の帯域幅部分から第１の帯域幅部分に切り替えるようにＵＥが命令された後に生じる遷移時間ウインドウの間に、第１の帯域幅部分中で送信を送信してもよい。
【０１１２】
［０１２０］
いくつかのケースでは、遷移時間ウインドウマネージャー１２３５は、遷移時間ウインドウが満了したことを決定してもよい。このようなケースでは、送信発生器１２３０は、第１の帯域幅部分に対応する第２のＱＣＬ仮定にしたがって、第２の送信を発生させてもよい。基地局通信マネージャー１２１５は、次いで、送信機と調整して、遷移時間ウインドウが満了した後に、第１の帯域幅部分中で第２の送信を送信してもよい。
【０１１３】
［０１２１］
いくつかのケースでは、基地局通信マネージャー１２１５は、送信機と調整して、遷移時間ウインドウの持続時間を示す、無線リソース制御シグナリング、または、ダウンリンク制御情報、または、制御要素を送信してもよい。いくつかのケースでは、ＱＣＬマネージャー１２２０は、送信機と調整して、第２の帯域幅部分の基準信号が第１の帯域幅部分の第２の基準信号と相互帯域幅部分擬似コロケートされているか否かを示す、無線リソース制御シグナリング、または、ダウンリンク制御情報、または、制御要素を送信してもよい。いくつかのケースでは、基地局通信マネージャー１２１５は、送信機と調整して、第２の帯域幅部分中で基準信号を送信し、第１の帯域幅部分中で第２の基準信号を送信してもよい。いくつかのケースでは、基準信号は、ＣＳＩ−ＲＳ、ＳＳＢ、または、ＴＲＳである。
【０１１４】
［０１２２］
図１３は、本開示の態様にしたがう、帯域幅部分切り替えの間のＱＣＬ仮定をサポートするデバイス１３０５を含むシステム１３００のダイヤグラムを示している。デバイス１３０５は、例えば、図１を参照して上記で説明したような基地局１０５のコンポーネントの例であってもよく、または、これらを含んでいてもよい。デバイス１３０５は、基地局通信マネージャー１３１５と、プロセッサ１３２０と、メモリ１３２５と、ソフトウェア１３３０と、トランシーバ１３３５と、アンテナ１３４０と、ネットワーク通信マネージャー１３４５と、局間通信マネージャー１３５０とを含み、通信を送信および受信するためのコンポーネントを含む、双方向音声およびデータ通信のためのコンポーネントを含んでいてもよい。これらのコンポーネントは、１つ以上のバス（例えば、バス１３１０）を介して電子通信してもよい。デバイス１３０５は、１つ以上のＵＥ１１５とワイヤレスに通信してもよい。
【０１１５】
［０１２３］
プロセッサ１３２０は、インテリジェントハードウェアデバイス（例えば、汎用プロセッサ、ＤＳＰ、ＣＰＵ、マイクロ制御装置、ＡＳＩＣ、ＦＰＧＡ、プログラム可能論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１３２０は、メモリ制御装置を使用して、メモリアレイを動作させるように構成されていてもよい。他のケースでは、メモリ制御装置は、プロセッサ１３２０に統合されていてもよい。プロセッサ１３２０は、メモリ中に記憶されているコンピュータ読取可能命令を実行して、さまざまな機能（例えば、帯域幅部分切り替えの間のＱＣＬ仮定をサポートする機能またはタスク）を実行するように構成されていてもよい。
【０１１６】
［０１２４］
メモリ１３２５は、ＲＡＭおよびＲＯＭを含んでいてもよい。メモリ１３２５は、実行されるとき、プロセッサに、ここで説明したさまざまな機能を実行させる命令を含む、コンピュータ読取可能、コンピュータ実行可能ソフトウェア１３３０を記憶していてもよい。いくつかのケースでは、メモリ１３２５は、とりわけ、周辺コンポーネントまたはデバイスとの対話のような基本ハードウェアまたはソフトウェア動作を制御できるＢＩＯＳを含んでいてもよい。
【０１１７】
［０１２５］
ソフトウェア１３３０は、帯域幅部分切り替えの間のＱＣＬ仮定をサポートするためのコードを含む、本開示の態様を実現するためのコードを含んでいてもよい。ソフトウェア１３３０は、システムメモリまたは他のメモリのような非一時的コンピュータ読取可能媒体中に記憶されていてもよい。いくつかのケースでは、ソフトウェア１３３０は、プロセッサによって直接実行可能でないかもしれないが、（例えば、コンパイルして実行するとき）コンピュータに、ここで説明した機能を実行させてもよい。
【０１１８】
［０１２６］
トランシーバ１３３５は、上記で説明したように、１つ以上のアンテナ、ワイヤードまたはワイヤレスリンクを介して双方向に通信してもよい。例えば、トランシーバ１３３５は、ワイヤレストランシーバを表してもよく、別のワイヤレストランシーバと双方向に通信してもよい。トランシーバ１３３５は、パケットを変調して、変調したパケットを送信のためにアンテナに提供し、アンテナから受け取ったパケットを復調するためのモデムも含んでいてもよい。
【０１１９】
［０１２７］
いくつかのケースでは、ワイヤレスデバイスは、単一のアンテナ１３４０を含んでいてもよい。しかしながら、いくつかのケースでは、デバイスは、１つより多くのアンテナ１３４０を有してもよく、これらは、複数のワイヤレス送信を同時に送信または受信することが可能であってもよい。
【０１２０】
［０１２８］
ネットワーク通信マネージャー１３４５は、（例えば、１つ以上のワイヤードバックホールリンクを介しての）コアネットワークとの通信を管理してもよい。例えば、ネットワーク通信マネージャー１３４５は、１つ以上のＵＥ１１５のようなクライアントデバイスのためのデータ通信の転送を管理してもよい。
【０１２１】
［０１２９］
局間通信マネージャー１３５０は、他の基地局１０５との通信を管理してもよく、そして他の基地局１０５と協力してＵＥ１１５との通信を制御するための制御装置またはスケジューラを含んでいてもよい。例えば、局間通信マネージャー１３５０は、ビーム形成またはジョイント送信のようなさまざまな干渉緩和技術のために、ＵＥ１１５への送信に対するスケジューリングを調整してもよい。いくつかの例では、局間通信マネージャー１３５０は、ＬＴＥ／ＬＴＥ−Ａワイヤレス通信ネットワークテクノロジー内にＸ２インターフェースを提供して、基地局１０５間の通信を提供してもよい。
【０１２２】
［０１３０］
図１４は、本開示の態様にしたがう、帯域幅部分切り替えの間のＱＣＬ仮定のための方法１４００を図示するフローチャートを示している。方法１４００の動作は、ここで説明したような、ＵＥ１１５またはそのコンポーネントによって実現してもよい。例えば、方法１４００の動作は、図６〜９を参照して説明したように、ＵＥ通信マネージャーによって実行してもよい。いくつかの例では、ＵＥ１１５は、デバイスの機能的な要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０１２３】
［０１３１］
１４０５において、ＵＥ１１５は、第２の帯域幅部分の基準信号から第１の帯域幅部分に対するＤＭＲＳのためのＱＣＬ仮定を導出することを示すインジケータを受信してもよい。１４０５の動作は、ここで説明した方法にしたがって実行してもよい。ある例では、１４０５の動作の態様は、図６〜９を参照して説明したようなＱＣＬマネージャーによって実行してもよい。
【０１２４】
［０１３２］
１４１０において、ＵＥ１１５は、第２の帯域幅部分から第１の帯域幅部分に切り替えるようにＵＥに命令する許可を第２の帯域幅部分中で受信してもよい。１４１０の動作は、ここで説明した方法にしたがって実行してもよい。ある例では、１４１０の動作の態様は、図６〜９を参照して説明したようなＤＣＩマネージャーによって実行してもよい。
【０１２５】
［０１３３］
１４１５において、ＵＥ１１５は、ＱＣＬ仮定に少なくとも部分的に基づいて、ＵＥが許可を受信した後に生じる遷移時間ウインドウ内で受信した第１の帯域幅部分中の送信を復調してもよい。１４１５の動作は、ここで説明した方法にしたがって実行してもよい。ある例では、ブロック１４１５の動作の態様は、図６〜９を参照して説明したような復調器によって実行してもよい。
【０１２６】
［０１３４］
図１５は、本開示の態様にしたがう、帯域幅部分切り替えの間のＱＣＬ仮定のための方法１５００を図示するフローチャートを示している。方法１５００の動作は、ここで説明したような、基地局１０５またはそのコンポーネントによって実現してもよい。例えば、方法１５００の動作は、図１０〜１３を参照して説明したような基地局通信マネージャーによって実行してもよい。いくつかの例では、基地局１０５は、デバイスの機能的な要素を制御するためのコードのセットを実行して、以下で説明する機能を実行してもよい。追加的にまたは代替的に、基地局１０５は、特殊目的ハードウェアを使用して、以下で説明する機能の態様を実行してもよい。
【０１２７】
［０１３５］
１５０５において、基地局１０５は、第２の帯域幅部分の基準信号から第１の帯域幅部分に対するＤＭＲＳのためのＱＣＬ仮定を導出することを示すインジケータをＵＥに送信してもよい。１５０５の動作は、ここで説明した方法にしたがって実行してもよい。ある例では、１５０５の動作の態様は、図１０〜１３を参照して説明したようなＱＣＬマネージャーによって実行してもよい。
【０１２８】
［０１３６］
１５１０において、基地局１０５は、第２の帯域幅部分から第１の帯域幅部分に切り替えるようにＵＥに命令する許可を第２の帯域幅部分中で送信してもよい。１５１０の動作は、ここで説明した方法にしたがって実行してもよい。ある例では、１５１０の動作の態様は、図１０〜１３を参照して説明したようなＤＣＩマネージャーによって実行してもよい。
【０１２９】
［０１３７］
１５１５において、基地局１０５は、ＱＣＬ仮定にしたがって送信を発生させてもよい。１５１５の動作は、ここで説明した方法にしたがって実行してもよい。ある例では、１５１５の動作の態様は、図１０〜１３を参照して説明したような送信発生器によって実行してもよい。
【０１３０】
［０１３８］
１５２０において、基地局１０５は、第２の帯域幅部分から第１の帯域幅部分に切り替えるようにＵＥが命令された後に生じる遷移時間ウインドウの間に、第１の帯域幅部分中で送信を送信してもよい。１５２０の動作は、ここで説明した方法にしたがって実行してもよい。ある例では、ブロック１５２０の動作の態様は、図１０〜１３を参照して説明したような送信機によって実行してもよい。
【０１３１】
［０１３９］
実施形態１：ＵＥによるワイヤレス通信のための方法において、第２の帯域幅部分の基準信号から第１の帯域幅部分に対するＤＭＲＳのためのＱＣＬ仮定を導出することを示すインジケータを受信することと、第２の帯域幅部分から第１の帯域幅部分に切り替えるようにＵＥに命令する許可を第２の帯域幅部分中で受信することと、ＱＣＬ仮定に少なくとも部分的に基づいて、ＵＥが許可を受信した後に生じる遷移時間ウインドウ内で受信した第１の帯域幅部分中の送信を復調することとを含む方法。
【０１３２】
［０１４０］
実施形態２：遷移時間ウインドウの持続時間は、第１の帯域幅部分上の第１のデータチャネルの持続時間に対応し、第１のデータチャネルは、第１の帯域幅部分中の送信を含む実施形態１記載の方法。
【０１３３】
［０１４１］
実施形態３：インジケータは、第２の帯域幅部分の基準信号が第１の帯域幅部分の第２の基準信号と相互帯域幅部分擬似コロケートされていることを示し、方法は、第１の帯域幅部分および第２の帯域幅部分に渡って基準信号および第２の基準信号をフィルタリングして、ＱＣＬパラメータを決定することをさらに含み、第１の帯域幅部分中の送信は、ＱＣＬパラメータに少なくとも部分的に基づいて復調される実施形態１または２記載の方法。
【０１３４】
［０１４２］
実施形態４：インジケータは、第２の帯域幅部分の基準信号が第１の帯域幅部分の第２の基準信号と相互帯域幅部分擬似コロケートされていないことを示し、方法は、第１の帯域幅部分および第２の帯域幅部分に渡って基準信号および第２の基準信号をフィルタリングしないことを決定することとをさらに含む実施形態１から３記載の方法。
【０１３５】
［０１４３］
実施形態５：遷移時間ウインドウが満了したことを決定することと、第１の帯域幅部分の基準信号から第１の帯域幅部分に対するＤＭＲＳのための第２のＱＣＬ仮定を導出することと、遷移時間ウインドウが満了した後に、第２のＱＣＬ仮定に少なくとも部分的に基づいて、第１の帯域幅部分中の第２の送信を復調することとをさらに含む実施形態１から４記載の方法。
【０１３６】
［０１４４］
実施形態６：ＱＣＬ仮定は、第２の帯域幅部分の基準信号に少なくとも部分的に基づいて、第１の帯域幅部分に対するＱＣＬパラメータを導出することを示し、第１の帯域幅部分中の送信は、ＱＣＬパラメータに少なくとも部分的に基づいて復調される実施形態１から５記載の方法。
【０１３７】
［０１４５］
実施形態７：ＱＣＬパラメータは、遅延拡散パラメータ、ドップラーパラメータ、平均遅延パラメータ、ドップラーシフトパラメータ、空間受信パラメータ、または、これらの任意の組み合わせである実施形態１から６記載の方法。
【０１３８】
［０１４６］
実施形態８：遷移時間ウインドウの持続時間を示す、無線リソース制御シグナリング、または、ダウンリンク制御情報、または、制御要素を受信することをさらに含む実施形態１から７記載の方法。
【０１３９】
［０１４７］
実施形態９：第２の帯域幅部分の基準信号が第１の帯域幅部分の第２の基準信号と相互帯域幅部分擬似コロケートされているか否かを示す、無線リソース制御シグナリング、または、ダウンリンク制御情報、または、制御要素を受信することをさらに含む実施形態１から８記載の方法。
【０１４０】
［０１４８］
実施形態１０：ＵＥは、遷移時間ウインドウの持続時間をローカルに記憶する実施形態１から９記載の方法。
【０１４１】
［０１４９］
実施形態１１：遷移時間ウインドウの持続時間は、第１の帯域幅部分の第２の基準信号の周期の関数である実施形態１から１０記載の方法。
【０１４２】
［０１５０］
実施形態１２：基準信号は、ＣＳＩ−ＲＳ、ＳＳＢ、または、ＴＲＳである実施形態１から１１記載の方法。
【０１４３】
［０１５１］
実施形態１３：インジケータは、複数の異なるＱＣＬパラメータセットからのＱＣＬパラメータセットを示すＴＣＩである実施形態１から１２記載の方法。
【０１４４】
［０１５２］
実施形態１４：第２の帯域幅部分に対する構成されたＴＣＩ状態に少なくとも部分的に基づいて、第１の帯域幅部分に対するＴＣＩ状態を導出する実施形態１から１３記載の方法。
【０１４５】
［０１５３］
実施形態１５：複数の異なるＴＣＩ状態のうちの、第１の帯域幅部分に対する第１のＴＣＩ状態を利用するようにＵＥを構成するコンフィギュレーション情報を受信することと、第１のＴＣＩ状態にしたがって、第１の帯域幅部分中の送信を受信することとをさらに含み、複数のＴＣＩ状態の各ＴＣＩ状態は、少なくとも１つの基準信号を識別し、第２の帯域幅部分中で方向送信を受信するように構成されている受信ビームに対するパラメータを含む実施形態１から１４記載の方法。
【０１４６】
［０１５４］
実施形態１６：第２の帯域幅部分中のＴＣＩ解釈を利用するようにＵＥを構成する制御要素を許可の前に受信することと、制御要素の適用時間が遷移時間ウインドウ内で生じることを決定することと、ＴＣＩ解釈にしたがって、第１の帯域幅部分中の送信を受信することとをさらに含む実施形態１から１５記載の方法。
【０１４７】
［０１５５］
実施形態１７：第２の帯域幅部分中のＴＣＩ解釈を利用するようにＵＥを構成する制御要素を許可の前に受信することと、遷移時間ウインドウの後に延びる制御要素の適用時間に少なくとも部分的に基づいて、遷移時間ウインドウの間に第１の帯域幅部分中で受信した送信に対してＴＣＩ解釈を適用するか拒否するかを決定することとをさらに含む実施形態１から１６記載の方法。
【０１４８】
［０１５６］
実施形態１８：送信のための第１の帯域幅部分の共有データチャネルまたは制御チャネルを監視することをさらに含む実施形態１から１７記載の方法。
【０１４９】
［０１５７］
実施形態１９：送信はＣＯＲＥＳＥＴであり、遷移時間ウインドウの間の第１の帯域幅部分中の送信を復調することは、ＱＣＬ仮定に少なくとも部分的に基づいて、第１の帯域幅部分中のＣＯＲＥＳＥＴを復調することをさらに含む実施形態１から１８記載の方法。
【０１５０】
［０１５８］
実施形態２０：送信は第１のＣＯＲＥＳＥＴであり、遷移時間ウインドウの間の第１の帯域幅部分中の送信を復調することは、第１の帯域幅部分中の第１のＣＯＲＥＳＥＴおよび第２のＣＯＲＥＳＥＴをマッピングすることと、ＱＣＬ仮定とマッピングとに少なくとも部分的に基づいて、第１のＣＯＲＥＳＥＴおよび第２のＣＯＲＥＳＥＴを復調することとをさらに含む実施形態１から１９記載の方法。
【０１５１】
［０１５９］
実施形態２１：実施形態１から２０記載のいずれかの方法を実行するための少なくとも１つの手段を具備する装置。
【０１５２】
［０１６０］
実施形態２２：ワイヤレス通信のための装置において、プロセッサと、プロセッサと電子通信するメモリと、メモリ中に記憶されている命令とを具備し、命令は、プロセッサによって、装置に、実施形態１から２０記載のいずれかの方法を実行させるように実行可能である装置。
【０１５３】
［０１６１］
実施形態２３：ワイヤレス通信のためのコードを記憶している非一時的コンピュータ読取可能媒体において、コードは命令を含み、命令は、プロセッサによって、実施形態１から２０記載のいずれかの方法を実行するように実行可能である非一時的コンピュータ読取可能媒体。
【０１５４】
［０１６２］
実施形態２４：基地局によるワイヤレス通信のための方法において、第２の帯域幅部分の基準信号から第１の帯域幅部分に対するＤＭＲＳのためのＱＣＬ仮定を導出することを示すインジケータをＵＥに送信することと、第２の帯域幅部分から第１の帯域幅部分に切り替えるようにＵＥに命令する許可を第２の帯域幅部分中で送信することと、ＱＣＬ仮定にしたがって、送信を発生させることと、第２の帯域幅部分から第１の帯域幅部分に切り替えるようにＵＥが命令された後に生じる遷移時間ウインドウの間に、第１の帯域幅部分中で送信を送信することとを含む方法。
【０１５５】
［０１６３］
実施形態２５：遷移時間ウインドウの持続時間は、第１の帯域幅部分上の第１のデータチャネルの持続時間に対応し、第１のデータチャネルは、第１の帯域幅部分中の送信を含む実施形態２４記載の方法。
【０１５６】
［０１６４］
実施形態２６：遷移時間ウインドウが満了したことを決定することと、第１の帯域幅部分に対応する第２のＱＣＬ仮定にしたがって、第２の送信を発生させることと、遷移時間ウインドウが満了した後に、第１の帯域幅部分中で第２の送信を送信することとをさらに含む実施形態２４または２５記載の方法。
【０１５７】
［０１６５］
実施形態２７：遷移時間ウインドウの持続時間を示す、無線リソース制御シグナリング、または、ダウンリンク制御情報、または、制御要素を送信することをさらに含む実施形態２４から２６記載の方法。
【０１５８】
［０１６６］
実施形態２８：第２の帯域幅部分の基準信号が第１の帯域幅部分の第２の基準信号と相互帯域幅部分擬似コロケートされているか否かを示す、無線リソース制御シグナリング、または、ダウンリンク制御情報、または、制御要素を送信することとをさらに含む実施形態２４から２７記載の方法。
【０１５９】
［０１６７］
実施形態２９：第２の帯域幅部分中で基準信号を送信することと、第１の帯域幅部分中で第２の基準信号を送信することとをさらに含む実施形態２４から２８記載の方法。
【０１６０】
［０１６８］
実施形態３０：基準信号は、ＣＳＩ−ＲＳ、ＳＳＢ、または、追跡基準信号である実施形態２４から２９記載の方法。
【０１６１】
［０１６９］
実施形態３１：実施形態２４から３０記載のいずれかの方法を実行するための少なくとも１つの手段を具備する装置。
【０１６２】
［０１７０］
実施形態３２：ワイヤレス通信のための装置において、プロセッサと、プロセッサと電子通信するメモリと、メモリ中に記憶されている命令とを具備し、命令は、プロセッサによって、装置に、実施形態２４から３０記載のいずれかの方法を実行させるように実行可能である装置。
【０１６３】
［０１７１］
実施形態３３：ワイヤレス通信のためのコードを記憶している非一時的コンピュータ読取可能媒体において、コードは、命令を含み、命令は、プロセッサによって、実施形態２４から３０記載のいずれかの方法を実行するように実行可能である非一時的コンピュータ読取可能媒体。
【０１６４】
［０１７２］
上記で説明した方法は、可能なインプリメンテーションを説明しており、動作およびステップは、再構成またはそうでなければ修正してもよく、他のインプリメンテーションが可能であることに留意すべきである。さらに、方法のうちの２つ以上からの態様を組み合わせてもよい。
【０１６５】
［０１７３］
ここで説明した技術は、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および、他のシステムのような、さまざまなワイヤレス通信システムのために使用してもよい。ＣＤＭＡシステムは、ＣＤＭＡ２０００、ユニバーサル地上無線アクセス（ＵＴＲＡ）等のような無線テクノロジーを実現してもよい。ＣＤＭＡ２０００は、ＩＳ−２０００、ＩＳ−９５、および、ＩＳ−８５６標準規格をカバーする。ＩＳ−２０００リリースは、一般的に、ＣＤＭＡ２０００  １Ｘ、１Ｘ等として呼ばれることがある。ＩＳ−８５６（ＴＩＡ−８５６）は、ＣＤＭＡ２０００  １ｘＥＶ−ＤＯや、高速パケットデータ（ＨＲＰＤ）等として一般的に呼ばれる。ＵＴＲＡは、広帯域ＣＤＭＡ（ＷＣＤＭＡ（登録商標））およびＣＤＭＡの他の変形を含んでいる。ＴＤＭＡシステムは、移動体通信のためのグローバルシステム（ＧＳＭ（登録商標））のような無線テクノロジーを実現してもよい。
【０１６６】
［０１７４］
ＯＦＤＭＡシステムは、ウルトラモバイルブロードバンド（ＵＭＢ）、進化型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ等のような無線テクノロジーを実現してもよい。ＵＴＲＡおよびＥ−ＵＴＲＡは、ユニバーサル移動体電気通信システム（ＵＭＴＳ）の一部である。ＬＴＥ、ＬＴＥ−Ａ、および、ＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、および、ＧＳＭは、「第３世代パートナーシッププロジェクト」（３ＧＰＰ（登録商標））という名の組織からの文書中で説明されている。ＣＤＭＡ２０００およびＵＭＢは、「第３世代パートナーシッププロジェクト２」（３ＧＰＰ２）という名の組織からの文書中で説明されている。ここで説明した技術は、上述したシステムおよび無線テクノロジーとともに、他のシステムおよび無線テクノロジーに対して使用してもよい。ＬＴＥ、ＬＴＥ−Ａ、ＬＴＥ−Ａプロ、または、ＮＲシステムの態様は、例を目的として説明されており、ＬＴＥ、ＬＴＥ−Ａ、ＬＴＥ−Ａプロ、または、ＮＲ専門用語は、説明の大部分において使用しているかもしれないが、ここで説明した技術は、ＬＴＥ、ＬＴＥ−Ａ、ＬＴＥ−Ａプロ、または、ＮＲアプリケーションを超えて適用可能である。
【０１６７】
［０１７５］
マクロセルは一般的に、比較的広い地理的エリア（例えば、半径数キロメートル）をカバーし、ネットワークプロバイダにサービス加入しているＵＥ１１５による無制限のアクセスを可能にしてもよい。スモールセルは、マクロセルと比較して、より低電力の基地局１０５に関係付けられていてもよく、スモールセルは、マクロセルと同じまたは異なる（例えば、ライセンスされている、ライセンスされていない等）周波数帯域において動作してもよい。スモールセルは、さまざまな例にしたがって、ピコセル、フェムトセル、および、マイクロセルを含んでいてもよい。ピコセルは、例えば、狭い地理的エリアをカバーしてもよく、ネットワークプロバイダにサービス加入しているＵＥ１１５による無制限アクセスを可能にしてもよい。フェムトセルはまた、狭い地理的エリア（例えば、家）をカバーしてもよく、フェムトセルとの関係を有するＵＥ１１５（例えば、閉じられた加入者グループ（ＣＳＧ）中のＵＥ１１５、家中のユーザに関するＵＥ１１５、および、これらに類するもの）による制限付きアクセスを提供してもよい。マクロセルに対するｅＮＢは、マクロｅＮＢと呼ばれることがある。スモールセルに対するｅＮＢは、スモールセルｅＮＢ、ピコｅＮＢ、フェムトｅＮＢ、または、ホームｅＮＢと呼ばれることがある。ｅＮＢは、１つ以上（例えば、２つ、３つ、４つ、および、これらに類する数）のセルをサポートしてもよく、１つ以上のコンポーネント搬送波を使用する通信もサポートしてもよい。
【０１６８】
［０１７６］
ワイヤレス通信システム１００またはここで説明したシステムは、同期動作または非同期動作をサポートしてもよい。同期動作について、基地局１０５は、類似のフレームタイミングを有してもよく、異なる基地局１０５からの送信が時間的に近似して整列されていてもよい。非同期動作について、基地局１０５は、異なるフレームタイミングを有してもよく、異なる基地局１０５からの送信が時間的に整列されていないかもしれない。ここで説明した技術は、同期動作または非同期動作のいずれかのために使用してもよい。
【０１６９】
［０１７７］
ここで説明した情報および信号を、さまざまな異なるテクノロジーおよび技術のうちのいずれかを使用して表してもよい。例えば、上記の説明を通じて参照されるデータ、命令、コマンド、情報、信号、ビット、シンボル、および、チップは、電圧、電流、電磁波、磁界または磁粒、光界または光粒、あるいは、これらの任意の組み合わせによって表すことができる。
【０１７０】
［０１７８］
ここにおける開示に関連して説明したさまざまな例示的なブロックおよびモジュールは、ここで説明した機能を実行するように設計された、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス（ＰＬＤ）、ディスクリートゲートまたはトランジスタ論理、ディスクリートハードウエアコンポーネント、あるいは、これらの任意の組み合わせを用いて、実現または実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせ、（例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーション）として実現してもよい。
【０１７１】
［０１７９］
ここで説明した機能は、ハードウェア、プロセッサによって実行されるソフトウェア、ファームウェア、または、これらの任意の組み合わせで実現してもよい。プロセッサによって実行されるソフトウェアで実現する場合、機能は、１つ以上の命令またはコードとしてコンピュータ読取可能媒体上に記憶され、あるいは、それを通して送信されてもよい。他の例およびインプリメンテーションは、本開示および添付の特許請求の範囲内にある。例えば、ソフトウェアの性質により、上記で説明した機能は、プロセッサによって実行されるソフトウェア、ハードウェア、ファームウェア、ハードワイヤリング、または、これらの任意の組み合わせを使用して実現することができる。機能を実現する特徴はまた、機能の部分が異なる物理的ロケーションで実現されるように分散されることを含む、さまざまなポジションに物理的に位置付けられてもよい。
【０１７２】
［０１８０］
コンピュータ読取可能媒体は、１つの場所から別の場所へのコンピュータプログラムの転送を促進する何らかの媒体を含む、通信媒体と非一時的コンピュータ記憶媒体との両方を含んでいる。非一時的記憶媒体は、汎用または特殊目的コンピュータによってアクセスできる何らかの利用可能な媒体であってもよい。限定ではなく例として、非一時的コンピュータ読取可能媒体は、ランダムアクセスメモリ（ＲＡＭ）、リードオンリーメモリ（ＲＯＭ）、電気的消去可能プログラム可能リードオンリーメモリ（ＥＥＰＲＯＭ（登録商標））、フラッシュメモリ、コンパクトディスク（ＣＤ）ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用または特殊目的コンピュータ、あるいは、汎用または特殊目的プロセッサによってアクセスできる、他の何らかの非一時的媒体を含んでいてもよい。また、何らかの接続は、コンピュータ読取可能媒体と適切に呼ばれる。例えば、同軸ケーブル、光ファイバケーブル、ツイストペア、デジタル加入者線（ＤＳＬ）、または、赤外線、無線、および、マイクロ波のようなワイヤレステクノロジーを使用して、ソフトウェアが、ウェブサイト、サーバ、または、他の遠隔ソースから送信される場合、同軸ケーブル、光ファイバケーブル、ツイストペア、ＤＳＬ、または、赤外線、無線、および、マイクロ波のようなワイヤレステクノロジーは、媒体の定義に含まれる。ディスク（ｄｉｓｋ）およびディスク（ｄｉｓｃ）は、ここで使用されるように、ＣＤ、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含み、ディスク（ｄｉｓｋ）は通常、磁気的にデータを再生する一方で、ディスク（ｄｉｓｃ）は、レーザーを用いて光学的にデータを再生する。上記の組み合わせもまた、コンピュータ読取可能媒体の範囲内に含まれる。
【０１７３】
［０１８１］
特許請求の範囲を含め、ここで使用されるように、アイテムのリスト（例えば、「〜のうちの少なくとも１つ」または「〜のうちの１つ以上」のようなフレーズで始まるアイテムのリスト）において使用されるような「または」は、例えば、Ａ、Ｂ、または、Ｃのうちの少なくとも１つのリストが、ＡまたはＢまたはＣまたはＡＢまたはＡＣまたはＢＣまたはＡＢＣ（すなわち、ＡおよびＢおよびＣ）を意味するような包括的リストを示している。また、ここで使用されるように、「〜に基づく」というフレーズは、条件の閉じたセットへの参照として解釈すべきではない。例えば、「条件Ａに基づく」と説明した例示的なステップは、本開示の範囲から逸脱することなく、条件Ａと条件Ｂとの両方に基づいていてもよい。言い換えると、ここで使用されるように、「〜に基づく」というフレーズは、「〜に少なくとも部分的に基づく」というフレーズと同じように解釈すべきである。
【０１７４】
［０１８２］
添付した図面では、同様のコンポーネントまたは特徴は、同じ参照ラベルを有しているかもしれない。さらに、同じタイプのさまざまなコンポーネントは、参照ラベルに、ダッシュと、同様のコンポーネント間を区別する第２のラベルとを後続させることによって区別されているかもしれない。本明細書中で第１の参照ラベルだけが使用される場合、説明は、第２の参照ラベル、または、他の後続の参照ラベルに関係なく、同じ第１の参照ラベルを有する同様のコンポーネントのうちのいずれか１つに適用可能である。
【０１７５】
［０１８３］
添付した図面に関連してここに述べた説明は、例示的なコンフィギュレーションを説明しており、実現してもよい、または、特許請求の範囲内にあるすべての例を表してはいない。ここで使用される「例示的」という用語は、「例、事例、または、実例としての役割を果たすこと」を意味し、「好ましい」または「他の例より有利である」ということを意味しない。詳細な説明は、説明した技術の理解を提供することを目的とした特定の詳細を含んでいる。しかしながら、これらの技術は、これらの特定の詳細なく実施してもよい。いくつかの事例では、周知の構造およびデバイスは、説明した例のコンセプトを暖味にすることを回避するために、ブロックダイヤグラムの形態で示されている。
【０１７６】
［０１８４］
ここでの説明は、当業者が本開示を製造または使用することを可能にするために提供されている。本開示に対するさまざまな修正は、当業者にとって容易に明らかとなり、ここで定義された包括的な原理は、本開示の範囲から逸脱することなく他のバリエーションに適用してもよい。したがって、本開示は、ここで説明した例および設計に限定されず、ここに開示された原理および新規の特徴と一致する最も広い範囲が付与されるべきである。
【図１】
2021518713.tif 000003
【図２】
2021518713.tif 000004
【図３】
2021518713.tif 000005
【図４】
2021518713.tif 000006
【図５】
2021518713.tif 000007
【図６】
2021518713.tif 000008
【図７】
2021518713.tif 000009
【図８】
2021518713.tif 000010
【図９】
2021518713.tif 000011
【図１０】
2021518713.tif 000012
【図１１】
2021518713.tif 000013
【図１２】
2021518713.tif 000014
【図１３】
2021518713.tif 000015
【図１４】
2021518713.tif 000016
【図１５】
2021518713.tif 000017
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法において、
第２の帯域幅部分に関係する複数の送信コンフィギュレーションインジケータ（ＴＣＩ）状態のうちの第１のＴＣＩ状態を、第１の帯域幅部分に対して利用するように前記ＵＥを構成するコンフィギュレーション情報を受信し、前記第１のＴＣＩ状態を含む前記複数のＴＣＩ状態の各ＴＣＩ状態は、少なくとも１つの基準信号を識別し、前記第２の帯域幅部分中の送信を受信するように構成されている受信ビームに対するパラメータを示し、前記コンフィギュレーション情報は、前記第１のＴＣＩ状態に関係する前記第２の帯域幅部分中の前記少なくとも１つの基準信号から、前記第１の帯域幅部分中で送信されることになる送信のための第１の擬似コロケーション（ＱＣＬ）仮定を導出するように前記ＵＥに示すことと、
前記第２の帯域幅部分から前記第１の帯域幅部分に切り替えるように前記ＵＥに命令する許可を前記第２の帯域幅部分中で受信することと、
前記ＵＥが前記許可を受信した後に生じる遷移時間ウインドウ内で、前記第１のＴＣＩ状態にしたがって、前記第１の帯域幅部分中の送信を受信することと、
前記第１のＱＣＬ仮定に少なくとも部分的に基づいて、前記第１の帯域幅部分中の前記送信を復調することと、
前記第１の帯域幅部分中で受信した少なくとも１つの基準信号から、前記第１の帯域幅部分に対する第２のＱＣＬ仮定を導出することと、
前記遷移時間ウインドウが満了した後に、前記第２のＱＣＬ仮定に少なくとも部分的に基づいて、前記第１の帯域幅部分中の第２の送信を復調することとを含む方法。
【請求項２】
前記遷移時間ウインドウの持続時間は、前記第１の帯域幅部分上の第１のデータチャネルの持続時間に対応し、前記第１のデータチャネルは、前記第１の帯域幅部分中の前記送信を含む請求項１記載の方法。
【請求項３】
前記インジケータは、前記第２の帯域幅部分の前記基準信号が前記第１の帯域幅部分の第２の基準信号と相互帯域幅部分擬似コロケートされていることを示し、
前記方法は、
前記第１の帯域幅部分および前記第２の帯域幅部分に渡って前記基準信号および前記第２の基準信号をフィルタリングして、ＱＣＬパラメータを決定することをさらに含み、
前記第１の帯域幅部分中の前記送信は、前記ＱＣＬパラメータに少なくとも部分的に基づいて復調される請求項１記載の方法。
【請求項４】
前記インジケータは、前記第２の帯域幅部分の前記基準信号が前記第１の帯域幅部分の第２の基準信号と相互帯域幅部分擬似コロケートされていないことを示し、
前記方法は、
前記第１の帯域幅部分および前記第２の帯域幅部分に渡って前記基準信号および前記第２の基準信号をフィルタリングしないことを決定することとをさらに含む請求項１記載の方法。
【請求項５】
前記ＱＣＬ仮定は、前記第２の帯域幅部分の前記基準信号に少なくとも部分的に基づいて、前記第１の帯域幅部分に対するＱＣＬパラメータを導出することを示し、前記第１の帯域幅部分中の前記送信は、前記ＱＣＬパラメータに少なくとも部分的に基づいて復調される請求項１記載の方法。
【請求項６】
前記ＱＣＬパラメータは、遅延拡散パラメータ、ドップラーパラメータ、平均遅延パラメータ、ドップラーシフトパラメータ、空間受信パラメータ、または、これらの任意の組み合わせである請求項５記載の方法。
【請求項７】
前記遷移時間ウインドウの持続時間を示す、無線リソース制御シグナリング、または、ダウンリンク制御情報、または、制御要素を受信することをさらに含む請求項１記載の方法。
【請求項８】
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を受信することをさらに含む請求項１記載の方法。
【請求項９】
前記ＵＥは、前記遷移時間ウインドウの持続時間をローカルに記憶する請求項１記載の方法。
【請求項１０】
前記遷移時間ウインドウの持続時間は、前記第１の帯域幅部分の第２の基準信号の周期の関数である請求項１記載の方法。
【請求項１１】
前記基準信号は、チャネル状態情報基準信号（ＣＳＩ−ＲＳ）、同期信号ブロック（ＳＳＢ）、または、追跡基準信号（ＴＲＳ）である請求項１記載の方法。
【請求項１２】
前記インジケータは、複数の異なるＱＣＬパラメータセットからのＱＣＬパラメータセットを示す送信コンフィギュレーションインジケータ（ＴＣＩ）である請求項１記載の方法。
【請求項１３】
前記第２の帯域幅部分に対する構成された送信コンフィギュレーションインジケータ（ＴＣＩ）状態に少なくとも部分的に基づいて、前記第１の帯域幅部分に対するＴＣＩ状態を導出することをさらに含む請求項１記載の方法。
【請求項１４】
前記第２の帯域幅部分中の送信コンフィギュレーションインジケータ（ＴＣＩ）解釈を利用するように前記ＵＥを構成する制御要素を前記許可の前に受信することと、
前記制御要素の適用時間が前記遷移時間ウインドウ内で生じることを決定することと、
前記ＴＣＩ解釈にしたがって、前記第１の帯域幅部分中の前記送信を受信することとをさらに含む請求項１記載の方法。
【請求項１５】
前記第２の帯域幅部分中の送信コンフィギュレーションインジケータ（ＴＣＩ）解釈を利用するように前記ＵＥを構成する制御要素を前記許可の前に受信することと、
前記遷移時間ウインドウの後に延びる前記制御要素の適用時間に少なくとも部分的に基づいて、前記遷移時間ウインドウの間に前記第１の帯域幅部分中で受信した送信に対して前記ＴＣＩ解釈を適用するか拒否するかを決定することとをさらに含む請求項１記載の方法。
【請求項１６】
前記送信のための前記第１の帯域幅部分の共有データチャネルまたは制御チャネルを監視することをさらに含む請求項１記載の方法。
【請求項１７】
前記送信は制御リソースセット（ＣＯＲＥＳＥＴ）であり、前記遷移時間ウインドウの間の前記第１の帯域幅部分中の前記送信を復調することは、
前記ＱＣＬ仮定に少なくとも部分的に基づいて、前記第１の帯域幅部分中の前記ＣＯＲＥＳＥＴを復調することをさらに含む請求項１記載の方法。
【請求項１８】
前記送信は第１の制御リソースセット（ＣＯＲＥＳＥＴ）であり、前記遷移時間ウインドウの間の前記第１の帯域幅部分中の前記送信を復調することは、
前記第１の帯域幅部分中の前記第１のＣＯＲＥＳＥＴおよび第２のＣＯＲＥＳＥＴをマッピングすることと、
前記ＱＣＬ仮定と前記マッピングとに少なくとも部分的に基づいて、前記第１のＣＯＲＥＳＥＴおよび前記第２のＣＯＲＥＳＥＴを復調することとをさらに含む請求項１記載の方法。
【請求項１９】
ユーザ機器（ＵＥ）によるワイヤレス通信のための装置において、
第２の帯域幅部分に関係する複数の送信コンフィギュレーションインジケータ（ＴＣＩ）状態のうちの第１のＴＣＩ状態を、第１の帯域幅部分に対して利用するように前記ＵＥを構成するコンフィギュレーション情報を受信し、前記第１のＴＣＩ状態を含む前記複数のＴＣＩ状態の各ＴＣＩ状態は、少なくとも１つの基準信号を識別し、前記第２の帯域幅部分中の送信を受信するように構成されている受信ビームに対するパラメータを示し、前記コンフィギュレーション情報は、前記第１のＴＣＩ状態に関係する前記第２の帯域幅部分中の前記少なくとも１つの基準信号から、前記第１の帯域幅部分中で送信されることになる送信のための第１の擬似コロケーション（ＱＣＬ）仮定を導出するように前記ＵＥに示す手段と、
前記第２の帯域幅部分から前記第１の帯域幅部分に切り替えるように前記ＵＥに命令する許可を前記第２の帯域幅部分中で受信する手段と、
前記ＵＥが前記許可を受信した後に生じる遷移時間ウインドウ内で、前記第１のＴＣＩ状態にしたがって、前記第１の帯域幅部分中の送信を受信する手段と、
前記第１のＱＣＬ仮定に少なくとも部分的に基づいて、前記第１の帯域幅部分中の前記送信を復調する手段と、
前記第１の帯域幅部分中で受信した少なくとも１つの基準信号から、前記第１の帯域幅部分に対する第２のＱＣＬ仮定を導出する手段と、
前記遷移時間ウインドウが満了した後に、前記第２のＱＣＬ仮定に少なくとも部分的に基づいて、前記第１の帯域幅部分中の第２の送信を復調する手段とを具備する装置。
【請求項２０】
ユーザ機器（ＵＥ）によるワイヤレス通信のための装置において、
プロセッサと、
前記プロセッサと電子通信するメモリと、
前記メモリ中に記憶されている命令とを具備し、
前記命令は、前記プロセッサによって、前記装置に、
第２の帯域幅部分に関係する複数の送信コンフィギュレーションインジケータ（ＴＣＩ）状態のうちの第１のＴＣＩ状態を、第１の帯域幅部分に対して利用するように前記ＵＥを構成するコンフィギュレーション情報を受信させ、前記第１のＴＣＩ状態を含む前記複数のＴＣＩ状態の各ＴＣＩ状態は、少なくとも１つの基準信号を識別し、前記第２の帯域幅部分中の送信を受信するように構成されている受信ビームに対するパラメータを示し、前記コンフィギュレーション情報は、前記第１のＴＣＩ状態に関係する前記第２の帯域幅部分中の前記少なくとも１つの基準信号から、前記第１の帯域幅部分中で送信されることになる送信のための第１の擬似コロケーション（ＱＣＬ）仮定を導出するように前記ＵＥに示し、
前記第２の帯域幅部分から前記第１の帯域幅部分に切り替えるように前記ＵＥに命令する許可を前記第２の帯域幅部分中で受信させ、
前記ＵＥが前記許可を受信した後に生じる遷移時間ウインドウ内で、前記第１のＴＣＩ状態にしたがって、前記第１の帯域幅部分中の送信を受信させ、
前記第１のＱＣＬ仮定に少なくとも部分的に基づいて、前記第１の帯域幅部分中の前記送信を復調させ、
前記第１の帯域幅部分中で受信した少なくとも１つの基準信号から、前記第１の帯域幅部分に対する第２のＱＣＬ仮定を導出させ、
前記遷移時間ウインドウが満了した後に、前記第２のＱＣＬ仮定に少なくとも部分的に基づいて、前記第１の帯域幅部分中の第２の送信を復調させるように実行可能である装置。
【請求項２１】
前記インジケータは、前記第２の帯域幅部分の前記基準信号が前記第１の帯域幅部分の第２の基準信号と相互帯域幅部分擬似コロケートされていることを示し、
前記命令は、前記プロセッサによって、前記装置に、
前記第１の帯域幅部分および前記第２の帯域幅部分に渡って前記基準信号および前記第２の基準信号をフィルタリングさせて、ＱＣＬパラメータを決定させるようにさらに実行可能であり、
前記第１の帯域幅部分中の前記送信は、前記ＱＣＬパラメータに少なくとも部分的に基づいて復調される請求項２０記載の装置。
【請求項２２】
前記インジケータは、前記第２の帯域幅部分の前記基準信号が前記第１の帯域幅部分の第２の基準信号と相互帯域幅部分擬似コロケートされていないことを示し、
前記命令は、前記プロセッサによって、前記装置に、
前記第１の帯域幅部分および前記第２の帯域幅部分に渡って前記基準信号および前記第２の基準信号をフィルタリングしないことを決定させるようにさらに実行可能である請求項２０記載の装置。
【請求項２３】
前記命令は、前記プロセッサによって、前記装置に、
前記遷移時間ウインドウが満了したことを決定させ、
前記第１の帯域幅部分の基準信号から前記第１の帯域幅部分に対するＤＭＲＳのための第２のＱＣＬ仮定を導出させ、
前記遷移時間ウインドウが満了した後に、前記第２のＱＣＬ仮定に少なくとも部分的に基づいて、前記第１の帯域幅部分中の第２の送信を復調させるようにさらに実行可能である請求項２０記載の装置。
【請求項２４】
前記ＱＣＬ仮定は、前記第２の帯域幅部分の前記基準信号に少なくとも部分的に基づいて、前記第１の帯域幅部分に対するＱＣＬパラメータを導出することを示し、前記第１の帯域幅部分中の前記送信は、前記ＱＣＬパラメータに少なくとも部分的に基づいて復調される請求項２０記載の装置。
【請求項２５】
前記ＱＣＬパラメータは、遅延拡散パラメータ、ドップラーパラメータ、平均遅延パラメータ、ドップラーシフトパラメータ、空間受信パラメータ、または、これらの任意の組み合わせである請求項２４記載の装置。
【請求項２６】
前記命令は、前記プロセッサによって、前記装置に、
前記遷移時間ウインドウの持続時間を示す、無線リソース制御シグナリング、または、ダウンリンク制御情報、または、制御要素を受信させるようにさらに実行可能である請求項２０記載の装置。
【請求項２７】
前記命令は、前記プロセッサによって、前記装置に、
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を受信させるようにさらに実行可能である請求項２０記載の装置。
【請求項２８】
前記ＵＥは、前記遷移時間ウインドウの持続時間をローカルに記憶する請求項２０記載の装置。
【請求項２９】
前記遷移時間ウインドウの持続時間は、前記第１の帯域幅部分の第２の基準信号の周期の関数である請求項２０記載の装置。
【請求項３０】
前記基準信号は、チャネル状態情報基準信号（ＣＳＩ−ＲＳ）、同期信号ブロック（ＳＳＢ）、または、追跡基準信号（ＴＲＳ）である請求項２０記載の装置。
【請求項３１】
前記インジケータは、複数の異なるＱＣＬパラメータセットからのＱＣＬパラメータセットを示す送信コンフィギュレーションインジケータ（ＴＣＩ）である請求項２０記載の装置。
【請求項３２】
前記命令は、前記プロセッサによって、前記装置に、
前記第２の帯域幅部分に対する構成された送信コンフィギュレーションインジケータ（ＴＣＩ）状態に少なくとも部分的に基づいて、前記第１の帯域幅部分に対するＴＣＩ状態を導出させるようにさらに実行可能である請求項２０記載の装置。
【請求項３３】
前記命令は、前記プロセッサによって、前記装置に、
前記第２の帯域幅部分中の送信コンフィギュレーションインジケータ（ＴＣＩ）解釈を利用するように前記ＵＥを構成する制御要素を前記許可の前に受信させ、
前記制御要素の適用時間が前記遷移時間ウインドウ内で生じることを決定させ、
前記ＴＣＩ解釈にしたがって、前記第１の帯域幅部分中の前記送信を受信させるようにさらに実行可能である請求項２０記載の装置。
【請求項３４】
前記命令は、前記プロセッサによって、前記装置に、
前記第２の帯域幅部分中の送信コンフィギュレーションインジケータ（ＴＣＩ）解釈を利用するように前記ＵＥを構成する制御要素を前記許可の前に受信させ、
前記遷移時間ウインドウの後に延びる前記制御要素の適用時間に少なくとも部分的に基づいて、前記遷移時間ウインドウの間に前記第１の帯域幅部分中で受信した送信に対して前記ＴＣＩ解釈を適用するか拒否するかを決定させるようにさらに実行可能である請求項２０記載の装置。
【請求項３５】
前記命令は、前記プロセッサによって、前記装置に、
前記送信のための前記第１の帯域幅部分の共有データチャネルまたは制御チャネルを監視させるようにさらに実行可能である請求項２０記載の装置。
【請求項３６】
前記送信への前記命令は制御リソースセット（ＣＯＲＥＳＥＴ）であり、前記遷移時間ウインドウの間の前記第１の帯域幅部分中の前記送信を復調することは、前記プロセッサによって、前記装置に、
前記ＱＣＬ仮定に少なくとも部分的に基づいて、前記第１の帯域幅部分中の前記ＣＯＲＥＳＥＴを復調させるようにさらに実行可能である請求項２０記載の装置。
【請求項３７】
前記送信への前記命令は第１の制御リソースセット（ＣＯＲＥＳＥＴ）であり、前記遷移時間ウインドウの間の前記第１の帯域幅部分中の前記送信を復調することは、前記プロセッサによって、前記装置に、
前記第１の帯域幅部分中の前記第１のＣＯＲＥＳＥＴおよび第２のＣＯＲＥＳＥＴをマッピングさせ、
前記ＱＣＬ仮定と前記マッピングとに少なくとも部分的に基づいて、前記第１のＣＯＲＥＳＥＴおよび前記第２のＣＯＲＥＳＥＴを復調させるようにさらに実行可能である請求項２０記載の装置。
【請求項３８】
ユーザ機器（ＵＥ）によるワイヤレス通信のための方法において、
第１の帯域幅部分に関係する送信コンフィギュレーションインジケータ（ＴＣＩ）状態のセットのうちの第１のＴＣＩ状態の表示を基地局から受信し、各ＴＣＩ状態は、基準信号のそれぞれのセットに関係し、前記基準信号のセットに関係する擬似コロケーション（ＱＣＬ）関連性を示すことと、
前記第１のＴＣＩ状態の表示に少なくとも部分的に基づいて、前記第１の帯域幅部分中の１つ以上の第１の基準信号を受信することに関係する１つ以上のアンテナポートが、第２の帯域幅部分中の、１つ以上の第２の基準信号、データまたは制御情報を受信することに関係する１つ以上のアンテナポートと擬似コロケーションされていることを決定することと、
前記第１の帯域幅中の前記１つ以上の第１の基準信号を前記基地局から受信することと、
前記１つ以上の第１の基準信号に基づいて、前記第１の帯域幅部分に対する１つ以上の第１のＱＣＬパラメータを決定することと、
前記第１の帯域幅部分から前記第２の帯域幅部分への切り替えを決定することと、
前記第２の帯域幅部分への切り替え後に、前記第２の帯域幅部分中の、前記１つ以上の第２の基準信号、前記データまたは前記制御情報、あるいは、これらの組み合わせを前記基地局から受信することと、
前記第２の帯域幅部分に切り替えた後、前記第２の帯域幅部分中の他の何らかの基準信号を処理する前に、前記１つ以上の第１のＱＣＬパラメータに基づいて、前記第２の帯域幅部分中の、前記１つ以上の第２の基準信号、前記データまたは前記制御情報、あるいは、これらの組み合わせの少なくとも一部分を復調することと、
前記１つ以上の第１のＱＣＬパラメータに基づいて、前記第２の帯域幅部分中の、前記１つ以上の第２の基準信号、前記データまたは前記制御情報、あるいは、これらの組み合わせの一部分を復調した後に、前記第２の帯域幅部分中の１つ以上の第３の基準信号を前記基地局から受信することと、
前記１つ以上の第３の基準信号に基づいて、前記第２の帯域幅部分に対する１つ以上の第２のＱＣＬパラメータを決定することと、
前記１つ以上の第３の基準信号を受信した後に、前記第２の帯域幅部分中の、１つ以上の第４の基準信号、第２のデータまたは第２の制御情報、あるいは、これらの組み合わせを前記基地局から受信することと、
前記１つ以上の第２のＱＣＬパラメータに基づいて、前記第２の帯域幅部分中の、前記１つ以上の第４の基準信号、前記第２のデータまたは前記第２の制御情報、あるいは、これらの組み合わせを復調することとを含む方法。
【請求項３９】
前記第２の帯域幅部分中の、前記１つ以上の第２の基準信号、前記データまたは前記制御情報をスケーリングする、または、前記第１の帯域幅部分から前記第２の帯域幅部分に切り替えるように前記ＵＥに要求することを含む、ダウンリンク制御情報を前記基地局から受信することをさらに含み、前記第２の帯域幅部分への切り替えを決定することは、前記ダウンリンク制御情報を受信することに基づいている請求項３８記載の方法。
【請求項４０】
前記第２の帯域幅部分への切り替えを決定することは、前記第１の帯域幅部分または前記第２の帯域幅部分の一方または両方に関係するタイマーの満了に基づいている請求項３８記載の方法。
【請求項４１】
前記１つ以上の第２の基準信号、前記データまたは前記制御信号は、前記第２の帯域幅部分への切り替え後に、または、前記第２の帯域幅部分への切り替えを決定した後に、遷移時間ウインドウ内で前記第２の帯域幅部分中で受信され、前記１つ以上のＱＣＬパラメータに基づく、前記第２の帯域幅部分中の、前記１つ以上の第２の基準信号、前記データまたは前記制御情報の復調は、前記遷移時間ウインドウの終了前に、前記１つ以上の第２の基準信号、前記データまたは前記制御情報を受信することに基づいている請求項３８記載の方法。
【請求項４２】
前記データまたは前記制御情報は、第２のＴＣＩ状態の表示を含み、前記１つ以上の第３の基準信号の受信または前記１つ以上の第２のＱＣＬパラメータの決定は、第２のＴＣＩ状態に基づいている請求項３８記載の方法。
【請求項４３】
前記遷移時間ウインドウの長さまたは持続時間の表示を前記基地局から受信することをさらに含む請求項４１記載の方法。
【請求項４４】
前記第２の帯域幅部分中の、前記１つ以上の第２の基準信号、前記データまたは前記制御情報を受信するための前記１つ以上のＱＣＬパラメータの決定は、前記第２の帯域幅部分中の何らかの基準信号を受信することに基づいていない請求項３８記載の方法。
【請求項４５】
前記第１の帯域幅部分中の前記１つ以上の第１の基準信号を送信することに関係する１つ以上のアンテナポートが、前記第２の帯域幅部分中の、前記１つ以上の第２の基準信号、前記データまたは前記制御情報を送信することに関係する１つ以上のアンテナポートと擬似コロケーションされていることを示す、無線リソース制御シグナリング、媒体アクセス制御の制御要素、または、ダウンリンク制御情報中の表示を受信することをさらに含む請求項３８記載の方法。
【手続補正２】
【補正対象書類名】明細書
【補正対象項目名】０１７６
【補正方法】変更
【補正の内容】
【０１７６】
［０１８４］
ここでの説明は、当業者が本開示を製造または使用することを可能にするために提供されている。本開示に対するさまざまな修正は、当業者にとって容易に明らかとなり、ここで定義された包括的な原理は、本開示の範囲から逸脱することなく他のバリエーションに適用してもよい。したがって、本開示は、ここで説明した例および設計に限定されず、ここに開示された原理および新規の特徴と一致する最も広い範囲が付与されるべきである。
以下に、本願出願の当初の特許請求の範囲に記載された発明を付記する。
［１］  ユーザ機器（ＵＥ）によるワイヤレス通信のための方法において、
第２の帯域幅部分の基準信号から第１の帯域幅部分に対する復調基準信号（ＤＭＲＳ）のための擬似コロケーション（ＱＣＬ）仮定を導出することを示すインジケータを受信することと、
前記第２の帯域幅部分から前記第１の帯域幅部分に切り替えるように前記ＵＥに命令する許可を前記第２の帯域幅部分中で受信することと、
前記ＱＣＬ仮定に少なくとも部分的に基づいて、前記ＵＥが前記許可を受信した後に生じる遷移時間ウインドウ内で受信した前記第１の帯域幅部分中の送信を復調することとを含む方法。
［２］  前記遷移時間ウインドウの持続時間は、前記第１の帯域幅部分上の第１のデータチャネルの持続時間に対応し、前記第１のデータチャネルは、前記第１の帯域幅部分中の前記送信を含む［１］記載の方法。
［３］  前記インジケータは、前記第２の帯域幅部分の前記基準信号が前記第１の帯域幅部分の第２の基準信号と相互帯域幅部分擬似コロケートされていることを示し、
前記方法は、
前記第１の帯域幅部分および前記第２の帯域幅部分に渡って前記基準信号および前記第２の基準信号をフィルタリングして、ＱＣＬパラメータを決定することをさらに含み、
前記第１の帯域幅部分中の前記送信は、前記ＱＣＬパラメータに少なくとも部分的に基づいて復調される［１］記載の方法。
［４］  前記インジケータは、前記第２の帯域幅部分の前記基準信号が前記第１の帯域幅部分の第２の基準信号と相互帯域幅部分擬似コロケートされていないことを示し、
前記方法は、
前記第１の帯域幅部分および前記第２の帯域幅部分に渡って前記基準信号および前記第２の基準信号をフィルタリングしないことを決定することとをさらに含む［１］記載の方法。
［５］  前記遷移時間ウインドウが満了したことを決定することと、
前記第１の帯域幅部分の基準信号から前記第１の帯域幅部分に対する前記ＤＭＲＳのための第２のＱＣＬ仮定を導出することと、
前記遷移時間ウインドウが満了した後に、前記第２のＱＣＬ仮定に少なくとも部分的に基づいて、前記第１の帯域幅部分中の第２の送信を復調することとをさらに含む［１］記載の方法。
［６］  前記ＱＣＬ仮定は、前記第２の帯域幅部分の前記基準信号に少なくとも部分的に基づいて、前記第１の帯域幅部分に対するＱＣＬパラメータを導出することを示し、前記第１の帯域幅部分中の前記送信は、前記ＱＣＬパラメータに少なくとも部分的に基づいて復調される［１］記載の方法。
［７］  前記ＱＣＬパラメータは、遅延拡散パラメータ、ドップラーパラメータ、平均遅延パラメータ、ドップラーシフトパラメータ、空間受信パラメータ、または、これらの任意の組み合わせである［６］記載の方法。
［８］  前記遷移時間ウインドウの持続時間を示す、無線リソース制御シグナリング、または、ダウンリンク制御情報、または、制御要素を受信することをさらに含む［１］記載の方法。
［９］  前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を受信することをさらに含む［１］記載の方法。
［１０］  前記ＵＥは、前記遷移時間ウインドウの持続時間をローカルに記憶する［１］記載の方法。
［１１］  前記遷移時間ウインドウの持続時間は、前記第１の帯域幅部分の第２の基準信号の周期の関数である［１］記載の方法。
［１２］  前記基準信号は、チャネル状態情報基準信号（ＣＳＩ−ＲＳ）、同期信号ブロック（ＳＳＢ）、または、追跡基準信号（ＴＲＳ）である［１］記載の方法。
［１３］  前記インジケータは、複数の異なるＱＣＬパラメータセットからのＱＣＬパラメータセットを示す送信コンフィギュレーションインジケータ（ＴＣＩ）である［１］記載の方法。
［１４］  前記第２の帯域幅部分に対する構成された送信コンフィギュレーションインジケータ（ＴＣＩ）状態に少なくとも部分的に基づいて、前記第１の帯域幅部分に対するＴＣＩ状態を導出することをさらに含む［１］記載の方法。
［１５］  複数の異なる送信コンフィギュレーションインジケータ（ＴＣＩ）状態のうちの、前記第１の帯域幅部分に対する第１のＴＣＩ状態を利用するように前記ＵＥを構成するコンフィギュレーション情報を受信することと、
前記第１のＴＣＩ状態にしたがって、前記第１の帯域幅部分中の前記送信を受信することとをさらに含み、
前記複数のＴＣＩ状態の各ＴＣＩ状態は、少なくとも１つの基準信号を識別し、前記第２の帯域幅部分中で方向送信を受信するように構成されている受信ビームに対するパラメータを含む［１］記載の方法。
［１６］  前記第２の帯域幅部分中の送信コンフィギュレーションインジケータ（ＴＣＩ）解釈を利用するように前記ＵＥを構成する制御要素を前記許可の前に受信することと、
前記制御要素の適用時間が前記遷移時間ウインドウ内で生じることを決定することと、
前記ＴＣＩ解釈にしたがって、前記第１の帯域幅部分中の前記送信を受信することとをさらに含む［１］記載の方法。
［１７］  前記第２の帯域幅部分中の送信コンフィギュレーションインジケータ（ＴＣＩ）解釈を利用するように前記ＵＥを構成する制御要素を前記許可の前に受信することと、
前記遷移時間ウインドウの後に延びる前記制御要素の適用時間に少なくとも部分的に基づいて、前記遷移時間ウインドウの間に前記第１の帯域幅部分中で受信した送信に対して前記ＴＣＩ解釈を適用するか拒否するかを決定することとをさらに含む［１］記載の方法。
［１８］  前記送信のための前記第１の帯域幅部分の共有データチャネルまたは制御チャネルを監視することをさらに含む［１］記載の方法。
［１９］  前記送信は制御リソースセット（ＣＯＲＥＳＥＴ）であり、前記遷移時間ウインドウの間の前記第１の帯域幅部分中の前記送信を復調することは、
前記ＱＣＬ仮定に少なくとも部分的に基づいて、前記第１の帯域幅部分中の前記ＣＯＲＥＳＥＴを復調することをさらに含む［１］記載の方法。
［２０］  前記送信は第１の制御リソースセット（ＣＯＲＥＳＥＴ）であり、前記遷移時間ウインドウの間の前記第１の帯域幅部分中の前記送信を復調することは、
前記第１の帯域幅部分中の前記第１のＣＯＲＥＳＥＴおよび第２のＣＯＲＥＳＥＴをマッピングすることと、
前記ＱＣＬ仮定と前記マッピングとに少なくとも部分的に基づいて、前記第１のＣＯＲＥＳＥＴおよび前記第２のＣＯＲＥＳＥＴを復調することとをさらに含む［１］記載の方法。
［２１］  基地局によるワイヤレス通信のための方法において、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信することと、
前記第２の帯域幅部分から前記第１の帯域幅部分に切り替えるように前記ＵＥに命令する許可を前記第２の帯域幅部分中で送信することと、
前記ＱＣＬ仮定にしたがって、送信を発生させることと、
前記第２の帯域幅部分から前記第１の帯域幅部分に切り替えるように前記ＵＥが命令された後に生じる遷移時間ウインドウの間に、前記第１の帯域幅部分中で前記送信を送信することとを含む方法。
［２２］  前記遷移時間ウインドウの持続時間は、前記第１の帯域幅部分上の第１のデータチャネルの持続時間に対応し、前記第１のデータチャネルは、前記第１の帯域幅部分中の前記送信を含む［２１］記載の方法。
［２３］  前記遷移時間ウインドウが満了したことを決定することと、
前記第１の帯域幅部分に対応する第２のＱＣＬ仮定にしたがって、第２の送信を発生させることと、
前記遷移時間ウインドウが満了した後に、前記第１の帯域幅部分中で前記第２の送信を送信することとをさらに含む［２１］記載の方法。
［２４］  前記遷移時間ウインドウの持続時間を示す、無線リソース制御シグナリング、または、ダウンリンク制御情報、または、制御要素を送信することをさらに含む［２１］記載の方法。
［２５］  前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を送信することとをさらに含む［２１］記載の方法。
［２６］  前記第２の帯域幅部分中で前記基準信号を送信することと、
前記第１の帯域幅部分中で第２の基準信号を送信することとをさらに含む［２１］記載の方法。
［２７］  前記基準信号は、チャネル状態情報基準信号（ＣＳＩ−ＲＳ）、同期信号ブロック（ＳＳＢ）、または、追跡基準信号（ＴＲＳ）である［２１］記載の方法。
［２８］  ユーザ機器（ＵＥ）によるワイヤレス通信のための装置において、
第２の帯域幅部分の基準信号から第１の帯域幅部分に対する復調基準信号（ＤＭＲＳ）のための擬似コロケーション（ＱＣＬ）仮定を導出することを示すインジケータを受信する手段と、
前記第２の帯域幅部分から前記第１の帯域幅部分に切り替えるように前記ＵＥに命令する許可を前記第２の帯域幅部分中で受信する手段と、
前記ＱＣＬ仮定に少なくとも部分的に基づいて、前記ＵＥが前記許可を受信した後に生じる遷移時間ウインドウ内で受信した前記第１の帯域幅部分中の送信を復調する手段とを具備する装置。
［２９］  基地局によるワイヤレス通信のための装置において、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信する手段と、
前記第２の帯域幅部分から前記第１の帯域幅部分に切り替えるように前記ＵＥに命令する許可を前記第２の帯域幅部分中で送信する手段と、
前記ＱＣＬ仮定にしたがって、送信を発生させる手段と、
前記第２の帯域幅部分から前記第１の帯域幅部分に切り替えるように前記ＵＥが命令された後に生じる遷移時間ウインドウの間に、前記第１の帯域幅部分中で前記送信を送信する手段とを具備する装置。
［３０］  ユーザ機器（ＵＥ）によるワイヤレス通信のための装置において、
プロセッサと、
前記プロセッサと電子通信するメモリと、
前記メモリ中に記憶されている命令とを具備し、
前記命令は、前記プロセッサによって、前記装置に、
第２の帯域幅部分の基準信号から第１の帯域幅部分に対する復調基準信号（ＤＭＲＳ）のための擬似コロケーション（ＱＣＬ）仮定を導出することを示すインジケータを受信させ、
前記第２の帯域幅部分から前記第１の帯域幅部分に切り替えるように前記ＵＥに命令する許可を前記第２の帯域幅部分中で受信させ、
前記ＱＣＬ仮定に少なくとも部分的に基づいて、前記ＵＥが前記許可を受信した後に生じる遷移時間ウインドウ内で受信した前記第１の帯域幅部分中の送信を復調させるように実行可能である装置。
［３１］  前記インジケータは、前記第２の帯域幅部分の前記基準信号が前記第１の帯域幅部分の第２の基準信号と相互帯域幅部分擬似コロケートされていることを示し、
前記命令は、前記プロセッサによって、前記装置に、
前記第１の帯域幅部分および前記第２の帯域幅部分に渡って前記基準信号および前記第２の基準信号をフィルタリングさせて、ＱＣＬパラメータを決定させるようにさらに実行可能であり、
前記第１の帯域幅部分中の前記送信は、前記ＱＣＬパラメータに少なくとも部分的に基づいて復調される［３０］記載の装置。
［３２］  前記インジケータは、前記第２の帯域幅部分の前記基準信号が前記第１の帯域幅部分の第２の基準信号と相互帯域幅部分擬似コロケートされていないことを示し、
前記命令は、前記プロセッサによって、前記装置に、
前記第１の帯域幅部分および前記第２の帯域幅部分に渡って前記基準信号および前記第２の基準信号をフィルタリングしないことを決定させるようにさらに実行可能である［３０］記載の装置。
［３３］  前記命令は、前記プロセッサによって、前記装置に、
前記遷移時間ウインドウが満了したことを決定させ、
前記第１の帯域幅部分の基準信号から前記第１の帯域幅部分に対する前記ＤＭＲＳのための第２のＱＣＬ仮定を導出させ、
前記遷移時間ウインドウが満了した後に、前記第２のＱＣＬ仮定に少なくとも部分的に基づいて、前記第１の帯域幅部分中の第２の送信を復調させるようにさらに実行可能である［３０］記載の装置。
［３４］  前記ＱＣＬ仮定は、前記第２の帯域幅部分の前記基準信号に少なくとも部分的に基づいて、前記第１の帯域幅部分に対するＱＣＬパラメータを導出することを示し、前記第１の帯域幅部分中の前記送信は、前記ＱＣＬパラメータに少なくとも部分的に基づいて復調される［３０］記載の装置。
［３５］  前記ＱＣＬパラメータは、遅延拡散パラメータ、ドップラーパラメータ、平均遅延パラメータ、ドップラーシフトパラメータ、空間受信パラメータ、または、これらの任意の組み合わせである［３４］記載の装置。
［３６］  前記命令は、前記プロセッサによって、前記装置に、
前記遷移時間ウインドウの持続時間を示す、無線リソース制御シグナリング、または、ダウンリンク制御情報、または、制御要素を受信させるようにさらに実行可能である［３０］記載の装置。
［３７］  前記命令は、前記プロセッサによって、前記装置に、
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を受信させるようにさらに実行可能である［３０］記載の装置。
［３８］  前記ＵＥは、前記遷移時間ウインドウの持続時間をローカルに記憶する［３０］記載の装置。
［３９］  前記遷移時間ウインドウの持続時間は、前記第１の帯域幅部分の第２の基準信号の周期の関数である［３０］記載の装置。
［４０］  前記基準信号は、チャネル状態情報基準信号（ＣＳＩ−ＲＳ）、同期信号ブロック（ＳＳＢ）、または、追跡基準信号（ＴＲＳ）である［３０］記載の装置。
［４１］  前記インジケータは、複数の異なるＱＣＬパラメータセットからのＱＣＬパラメータセットを示す送信コンフィギュレーションインジケータ（ＴＣＩ）である［３０］記載の装置。
［４２］  前記命令は、前記プロセッサによって、前記装置に、
前記第２の帯域幅部分に対する構成された送信コンフィギュレーションインジケータ（ＴＣＩ）状態に少なくとも部分的に基づいて、前記第１の帯域幅部分に対するＴＣＩ状態を導出させるようにさらに実行可能である［３０］記載の装置。
［４３］  前記命令は、前記プロセッサによって、前記装置に、
複数の異なる送信コンフィギュレーションインジケータ（ＴＣＩ）状態のうちの、前記第１の帯域幅部分に対する第１のＴＣＩ状態を利用するように前記ＵＥを構成するコンフィギュレーション情報を受信させ、
前記第１のＴＣＩ状態にしたがって、前記第１の帯域幅部分中の前記送信を受信させるようにさらに実行可能であり、
前記複数のＴＣＩ状態の各ＴＣＩ状態は、少なくとも１つの基準信号を識別し、前記第２の帯域幅部分中で方向送信を受信するように構成されている受信ビームに対するパラメータを含む［３０］記載の装置。
［４４］  前記命令は、前記プロセッサによって、前記装置に、
前記第２の帯域幅部分中の送信コンフィギュレーションインジケータ（ＴＣＩ）解釈を利用するように前記ＵＥを構成する制御要素を前記許可の前に受信させ、
前記制御要素の適用時間が前記遷移時間ウインドウ内で生じることを決定させ、
前記ＴＣＩ解釈にしたがって、前記第１の帯域幅部分中の前記送信を受信させるようにさらに実行可能である［３０］記載の装置。
［４５］  前記命令は、前記プロセッサによって、前記装置に、
前記第２の帯域幅部分中の送信コンフィギュレーションインジケータ（ＴＣＩ）解釈を利用するように前記ＵＥを構成する制御要素を前記許可の前に受信させ、
前記遷移時間ウインドウの後に延びる前記制御要素の適用時間に少なくとも部分的に基づいて、前記遷移時間ウインドウの間に前記第１の帯域幅部分中で受信した送信に対して前記ＴＣＩ解釈を適用するか拒否するかを決定させるようにさらに実行可能である［３０］記載の装置。
［４６］  前記命令は、前記プロセッサによって、前記装置に、
前記送信のための前記第１の帯域幅部分の共有データチャネルまたは制御チャネルを監視させるようにさらに実行可能である［３０］記載の装置。
［４７］  前記送信への前記命令は制御リソースセット（ＣＯＲＥＳＥＴ）であり、前記遷移時間ウインドウの間の前記第１の帯域幅部分中の前記送信を復調することは、前記プロセッサによって、前記装置に、
前記ＱＣＬ仮定に少なくとも部分的に基づいて、前記第１の帯域幅部分中の前記ＣＯＲＥＳＥＴを復調させるようにさらに実行可能である［３０］記載の装置。
［４８］  前記送信への前記命令は第１の制御リソースセット（ＣＯＲＥＳＥＴ）であり、前記遷移時間ウインドウの間の前記第１の帯域幅部分中の前記送信を復調することは、前記プロセッサによって、前記装置に、
前記第１の帯域幅部分中の前記第１のＣＯＲＥＳＥＴおよび第２のＣＯＲＥＳＥＴをマッピングさせ、
前記ＱＣＬ仮定と前記マッピングとに少なくとも部分的に基づいて、前記第１のＣＯＲＥＳＥＴおよび前記第２のＣＯＲＥＳＥＴを復調させるようにさらに実行可能である［３０］記載の装置。
［４９］  基地局によるワイヤレス通信のための装置において、
プロセッサと、
前記プロセッサと電子通信するメモリと、
前記メモリ中に記憶されている命令とを具備し、
前記命令は、前記プロセッサによって、前記装置に、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信させ、
前記第２の帯域幅部分から前記第１の帯域幅部分に切り替えるように前記ＵＥに命令する許可を前記第２の帯域幅部分中で送信させ、
前記ＱＣＬ仮定にしたがって、送信を発生させ、
前記第２の帯域幅部分から前記第１の帯域幅部分に切り替えるように前記ＵＥが命令された後に生じる遷移時間ウインドウの間に、前記第１の帯域幅部分中で前記送信を送信させるように実行可能である装置。
［５０］  前記命令は、前記プロセッサによって、前記装置に、
前記遷移時間ウインドウが満了したことを決定させ、
前記第１の帯域幅部分に対応する第２のＱＣＬ仮定にしたがって、第２の送信を発生させ、
前記遷移時間ウインドウが満了した後に、前記第１の帯域幅部分中で前記第２の送信を送信させるようにさらに実行可能である［４９］記載の装置。
［５１］  前記命令は、前記プロセッサによって、前記装置に、
前記遷移時間ウインドウの持続時間を示す、無線リソース制御シグナリング、または、ダウンリンク制御情報、または、制御要素を送信させるようにさらに実行可能である［４９］記載の装置。
［５２］  前記命令は、前記プロセッサによって、前記装置に、
前記第２の帯域幅部分の前記基準信号が前記第１の帯域幅部分の第２の基準信号と相互帯域幅部分擬似コロケートされているか否かを示す、無線リソース制御シグナリング、または、ダウンリンク制御情報、または、制御要素を送信させるようにさらに実行可能である［４９］記載の装置。
［５３］  前記命令は、前記プロセッサによって、前記装置に、
前記第２の帯域幅部分中で前記基準信号を送信させ、
前記第１の帯域幅部分中で第２の基準信号を送信させるようにさらに実行可能である［４９］記載の装置。
［５４］  前記基準信号は、チャネル状態情報基準信号（ＣＳＩ−ＲＳ）、同期信号ブロック（ＳＳＢ）、または、追跡基準信号（ＴＲＳ）である［４９］記載の装置。
［５５］  ユーザ機器（ＵＥ）によるワイヤレス通信のためのコードを記憶している非一時的コンピュータ読取可能媒体において、
前記コードは命令を含み、
前記命令は、プロセッサによって、
第２の帯域幅部分の基準信号から第１の帯域幅部分に対する復調基準信号（ＤＭＲＳ）のための擬似コロケーション（ＱＣＬ）仮定を導出することを示すインジケータを受信し、
前記第２の帯域幅部分から前記第１の帯域幅部分に切り替えるように前記ＵＥに命令する許可を前記第２の帯域幅部分中で受信し、
前記ＱＣＬ仮定に少なくとも部分的に基づいて、前記ＵＥが前記許可を受信した後に生じる遷移時間ウインドウ内で受信した前記第１の帯域幅部分中の送信を復調するように実行可能である非一時的コンピュータ読取可能媒体。
［５６］  基地局によるワイヤレス通信のためのコードを記憶している非一時的コンピュータ読取可能媒体において、
前記コードは命令を含み、
前記命令は、プロセッサによって、
第２の帯域幅部分の基準信号から第１の帯域幅部分に対する復調基準信号（ＤＭＲＳ）のための擬似コロケーション（ＱＣＬ）仮定を導出することを示すインジケータをユーザ機器（ＵＥ）に送信し、
前記第２の帯域幅部分から前記第１の帯域幅部分に切り替えるように前記ＵＥに命令する許可を前記第２の帯域幅部分中で送信し、
前記ＱＣＬ仮定にしたがって、送信を発生させ、
前記第２の帯域幅部分から前記第１の帯域幅部分に切り替えるように前記ＵＥが命令された後に生じる遷移時間ウインドウの間に、前記第１の帯域幅部分中で前記送信を送信するように実行可能である非一時的コンピュータ読取可能媒体。
【国際調査報告】
2021518713.tif 000018
2021518713.tif 000019